(57)【要約】  撮像された複数のデジタルアセットを、記録媒体に記録する画像記録装置であって、前記複数のデジタルアセットを格納するアセットロールディレクトリを、複数の前記記録媒体のそれぞれが備える前記アセットロールディレクトリのそれぞれを識別可能なディレクトリ名で、前記記録媒体中に作成するアセットロールディレクトリ作成部と、前記複数のデジタルアセットのそれぞれへのパスを格納するアセット情報ファイルを生成するアセット情報生成部と、前記複数のデジタルアセット、及び前記アセット情報ファイルを、前記アセットロールディレクトリに格納するべく、前記記録媒体に記録するアセット記録部と、記録される前記アセット情報ファイルへのパスを格納するインデックスマニフェストファイルを生成するインデックス生成部と、生成された前記インデックスマニフェストファイルを、前記記録媒体毎に異なることのない、予め定められたパスに記録するインデックス記録部とを備える画像記録装置である。【選択図】図３
2008530630.tif 000002
【特許請求の範囲】
【請求項１】
複数のデジタルアセットを、記録媒体に記録するデジタルアセット記録装置であって、
前記複数のデジタルアセットを格納するアセットロールディレクトリを、一以上の入力媒体のそれぞれに関連付けられたディレクトリで作成する、アセットロールディレクトリ作成部と、
前記複数のデジタルアセットのそれぞれへのパスを格納するアセットマニフェストファイルを生成するアセットマニフェスト生成部と、
前記複数のデジタルアセット、及び前記アセットマニフェストファイルを、前記アセットロールディレクトリに格納するべく、前記記録媒体に記録するアセット記録部と、
記録される前記アセットマニフェストファイルへのパスを格納するインデックスマニフェストファイルを生成するインデックス生成部と、
生成された前記インデックスマニフェストファイルを、前記記録媒体毎に異なることのない、予め定められたパスに記録するインデックス記録部と、
前記複数のデジタルアセットの解像度を下げることで複数の表示用画像を生成する表示用画像生成部と、
前記複数の表示用画像を格納する表示用画像ディレクトリを、前記アセットロールディレクトリの下位に作成する、表示用画像ディレクトリ作成部と、
前記複数の表示用画像を、前記表示用画像ディレクトリに格納するべく、前記記録媒体に記録する表示用画像記録部と、
を備えるデジタルアセット記録装置。
【請求項２】
前記アセットロールディレクトリ作成部は、前記画像記録装置毎に固有の、前記アセットロールディレクトリのディレクトリ名を決定する請求項１に記載の画像記録装置。
【請求項３】
前記アセットロールディレクトリ作成部は、更に、前記アセットロールディレクトリを生成する日時情報に基づいて、前記日時情報毎に異なる、前記アセットロールディレクトリのディレクトリ名を決定する請求項２に記載の画像記録装置。
【請求項４】
前記アセットマニフェスト生成部は、記録される前記複数の表示用画像のそれぞれへのパスを格納する前記アセットマニフェストファイルを生成する、
請求項３に記載の画像記録装置。
【請求項５】
前記表示用画像生成部は、前記複数の表示用画像のそれぞれについて、当該表示用画像を生成する場合に用いた前記デジタルアセットのファイル名を、逆変換可能な予め定められた規則で変換することにより、当該表示用画像のファイル名を生成する請求項４に記載の画像記録装置。
【請求項６】
前記表示用画像生成部は、当該表示用画像を生成する場合に用いた前記デジタルアセットのファイル名の、先頭の予め定められた長さの文字列を、他の文字列に変更することにより、当該表示用画像のファイル名を生成する請求項５に記載の画像記録装置。
【請求項７】
第１の前記記録媒体から、前記インデックスマニフェストファイルを読み取る第１インデックス読み取り部と、
前記第１インデックス読み取り部によって読み取られた前記インデックスマニフェストファイルに格納されている前記アセットマニフェストファイルへのパスに基づいて、前記第１の記録媒体に格納されている前記アセットロールディレクトリを有するアセットディレクトリのディレクトリ名を検出する第１アセットディレクトリ検出部と、
前記第１インデックス読み取り部により読み取られた前記インデックスマニフェストファイルに格納されている前記アセットマニフェストファイルへのパスを用いて、前記第１の記録媒体から前記アセットマニフェストファイルを読み取るアセットマニフェスト読み取り部と、
読み取られた前記アセットマニフェストファイルに格納されている前記複数のデジタルアセットのそれぞれへのパスを用いて、前記第１の記録媒体から前記複数のデジタルアセットを読み取る画像読み取り部と、
第２の前記記録媒体から、前記インデックスマニフェストファイルを読み取る第２インデックス読み取り部と、
前記第２インデックス読み取り部によって読み取られた前記インデックスマニフェストファイルに格納されている前記アセットマニフェストファイルへのパスに基づいて、前記第２の記録媒体に格納されている前記アセットロールディレクトリを有するアセットディレクトリのディレクトリ名を検出する第２アセットディレクトリ検出部と
を更に備え、
前記アセット記録部は、前記第１アセットディレクトリ検出部、及び前記第２アセットディレクトリ検出部のそれぞれによって読み取られた前記アセットディレクトリのディレクトリ名が一致する場合に、読み取られた前記複数のデジタルアセット、及び前記アセットマニフェストファイルを、パスを変更することなく前記第２の記録媒体に記録し、
前記インデックス生成部は、前記第２インデックス読み取り部により読み取られた、前記第２の記録媒体に既に記録されている前記インデックスマニフェストファイルに、前記第１の記録媒体から読み取られて前記第２の記録媒体に記録される前記アセットマニフェストファイルへのパスを更に格納させることにより、新たなインデックスマニフェストファイルを生成し、
前記インデックス記録部は、生成された前記新たなインデックスマニフェストファイルを用いて、前記第２の記録媒体に既に記録されている前記インデックスマニフェストファイルを更新する
請求項６に記載の画像記録装置。
【請求項８】
前記第１アセットディレクトリ検出部、及び前記第２アセットディレクトリ検出部のそれぞれによって読み取られた前記アセットディレクトリのディレクトリ名が一致しない場合に、予め定められたディレクトリ名の前記アセットディレクトリを、前記第２の記録媒体中に作成するアセットディレクトリ作成部
を更に備え、
前記アセットロールディレクトリ作成部は、前記第１アセットディレクトリ検出部、及び前記第２アセットディレクトリ検出部のそれぞれによって読み取られた前記アセットディレクトリのディレクトリ名が一致しない場合に、前記第１インデックス読み取り部によって読み取られた前記インデックスマニフェストファイルに格納されている前記アセットマニフェストファイルへのパスに基づいて、当該アセットマニフェストファイルが前記第１の記録媒体において格納されている前記アセットロールディレクトリのディレクトリ名と同一のディレクトリ名の前記アセットロールディレクトリを、前記アセットディレクトリ作成部によって作成された前記アセットディレクトリの下位に作成し、
前記アセット記録部は、前記第１アセットディレクトリ検出部、及び前記第２アセットディレクトリ検出部のそれぞれによって読み取られた前記アセットディレクトリのディレクトリ名が一致しない場合に、読み取られた前記複数のデジタルアセット、及び前記アセットマニフェストファイルを、作成された前記アセットディレクトリに格納させるべく、前記第２の記録媒体に記録する
請求項７に記載の画像記録装置。
【請求項９】
画像記録装置を用いることにより、複数のデジタルアセットを、記録媒体に記録する画像記録方法であって、
前記複数のデジタルアセットを格納するアセットロールディレクトリを、一以上の入力媒体のそれぞれに関連付けられたディレクトリで作成するアセットロールディレクトリ作成段階と、
前記複数のデジタルアセットのそれぞれへのパスを格納するアセットマニフェストファイルを生成するアセットマニフェスト生成段階と、
前記複数のデジタルアセット、及び前記アセットマニフェストファイルを、前記アセットロールディレクトリに格納するべく、前記記録媒体に記録するアセット記録段階と、
記録される前記アセットマニフェストファイルへのパスを格納するインデックスマニフェストファイルを生成するインデックス生成段階と、
生成された前記インデックスマニフェストファイルを、前記記録媒体毎に異なることのない、予め定められたパスに記録するインデックス記録段階と、
前記複数のデジタルアセットの解像度を下げることで複数の表示用画像を生成する表示用画像生成段階と、
前記複数の表示用画像を格納する表示用画像ディレクトリを、前記アセットロールディレクトリの下位に作成する、表示用画像ディレクトリ作成段階と、
前記複数の表示用画像を、前記表示用画像ディレクトリに格納するべく、前記記録媒体に記録する表示用画像記録段階と、
を備える画像記録方法。
【請求項１０】
前記アセットロールディレクトリ作成段階は、当該画像記録装置を識別する装置識別子に基づいて、前記装置識別子毎に異なる、前記アセットロールディレクトリのディレクトリ名を決定する請求項９に記載の画像記録方法。
【請求項１１】
前記アセットロールディレクトリ作成段階は、更に、前記アセットロールディレクトリを生成する日時情報に基づいて、前記日時情報毎に異なる、前記アセットロールディレクトリのディレクトリ名を決定する請求項１０に記載の画像記録方法。
【請求項１２】
前記アセットマニフェスト生成段階は、記録される前記複数の表示用画像のそれぞれへのパスを格納する前記アセットマニフェストファイルを生成する請求項１１に記載の画像記録方法。
【請求項１３】
前記表示用画像生成段階は、前記複数の表示用画像のそれぞれについて、当該表示用画像を生成する場合に用いた前記デジタルアセットのファイル名を、逆変換可能な予め定められた規則で変換することにより、当該表示用画像のファイル名を生成する請求項１２に記載の画像記録方法。
【請求項１４】
前記表示用画像生成段階は、当該表示用画像を生成する場合に用いた前記デジタルアセットのファイル名の、先頭の予め定められた長さの文字列を、他の文字列に変更することにより、当該表示用画像のファイル名を生成する請求項１３に記載の画像記録方法。
【請求項１５】
第１の前記記録媒体から、前記インデックスマニフェストファイルを読み取る第１インデックス読み取り段階と、
前記第１インデックス読み取り段階で読み取られた前記インデックスマニフェストファイルに格納されている前記アセットマニフェストファイルへのパスに基づいて、前記第１の記録媒体に格納されている前記アセットロールディレクトリを有するアセットディレクトリのディレクトリ名を検出する第１アセットディレクトリ検出段階と、
前記第１インデックス読み取り段階で読み取られた前記インデックスマニフェストファイルに格納されている前記アセットマニフェストファイルへのパスを用いて、前記第１の記録媒体から前記アセットマニフェストファイルを読み取るアセットマニフェスト読み取り段階と、
読み取られた前記アセットマニフェストファイルに格納されている前記複数のデジタルアセットのそれぞれへのパスを用いて、前記第１の記録媒体から前記複数のデジタルアセットを読み取る画像読み取り段階と、
第２の前記記録媒体から、前記インデックスマニフェストファイルを読み取る第２インデックス読み取り段階と、
前記第２インデックス読み取り段階で読み取られた前記インデックスマニフェストファイルに格納されている前記アセットマニフェストファイルへのパスに基づいて、前記第２の記録媒体に格納されている前記アセットロールディレクトリを有するアセットディレクトリのディレクトリ名を検出する第２アセットディレクトリ検出段階と
を更に備え、
前記アセット記録段階は、前記第１アセットディレクトリ検出段階、及び前記第２アセットディレクトリ検出段階のそれぞれで読み取られた前記アセットディレクトリのディレクトリ名が一致する場合に、読み取られた前記複数のデジタルアセット、及び前記アセットマニフェストファイルを、パスを変更することなく前記第２の記録媒体に記録し、
前記インデックス生成段階は、前記第２インデックス読み取り段階で読み取られた、前記第２の記録媒体に既に記録されている前記インデックスマニフェストファイルに、前記第１の記録媒体から読み取られて前記第２の記録媒体に記録される前記アセットマニフェストファイルへのパスを更に格納させることにより、新たなインデックスマニフェストファイルを生成し、
前記インデックス記録段階は、生成された前記新たなインデックスマニフェストファイルを用いて、前記第２の記録媒体に既に記録されている前記インデックスマニフェストファイルを更新する
請求項１４に記載の画像記録方法。
【請求項１６】
前記第１アセットディレクトリ検出段階、及び前記第２アセットディレクトリ検出段階のそれぞれで読み取られた前記アセットディレクトリのディレクトリ名が一致しない場合に、予め定められたディレクトリ名の前記アセットディレクトリを、前記第２の記録媒体中に作成するアセットディレクトリ作成部
を更に備え、
前記アセットロールディレクトリ作成段階は、前記第１アセットディレクトリ検出段階、及び前記第２アセットディレクトリ検出段階のそれぞれで読み取られた前記アセットディレクトリのディレクトリ名が一致しない場合に、前記第１インデックス読み取り段階で読み取られた前記インデックスマニフェストファイルに格納されている前記アセットマニフェストファイルへのパスに基づいて、当該アセットマニフェストファイルが前記第１の記録媒体において格納されている前記アセットロールディレクトリのディレクトリ名と同一のディレクトリ名の前記アセットロールディレクトリを、前記アセットディレクトリ作成段階で作成された前記アセットディレクトリの下位に作成し、
前記アセット記録段階は、前記第１アセットディレクトリ検出段階、及び前記第２アセットディレクトリ検出段階のそれぞれで検出された前記アセットディレクトリのディレクトリ名が一致しない場合に、読み取られた前記複数のデジタルアセット、及び前記アセットマニフェストファイルを、作成された前記アセットディレクトリに格納させるべく、前記第２の記録媒体に記録する
請求項１５に記載の画像記録方法。
【請求項１７】
撮像された複数のデジタルアセットが記録されている記録媒体であって、
前記複数のデジタルアセットと、
前記複数のデジタルアセットのそれぞれへのパスを格納しているアセットマニフェストファイルと、
前記複数のデジタルアセット、及び前記アセットマニフェストファイルを格納しているアセットロールディレクトリと、
前記アセットマニフェストファイルへのパスを格納しているインデックスマニフェストファイルと、
前記複数のデジタルアセットの解像度を下げることで生成される複数の表示用画像と、
前記複数の表示用画像を前記アセットロールディレクトリの下位に格納する表示用画像ディレクトリと、
を備え、
前記インデックスマニフェストファイルは、当該記録媒体毎に異なることのない、予め定められたパスに配置されており、
前記アセットロールディレクトリは、複数の当該記録媒体のそれぞれが備える前記アセットロールディレクトリのそれぞれを識別可能なディレクトリ名を有する
記録媒体。
【請求項１８】
前記アセットロールディレクトリは、画像記録装置を識別する装置識別子に基づく、前記装置識別子毎に異なるディレクトリ名を有する請求項１７に記載の記録媒体。
【請求項１９】
前記アセットロールディレクトリは、生成された日時情報に基づいて、前記日時情報毎に異なるディレクトリ名を有する請求項１８に記載の記録媒体。
【請求項２０】
前記アセットマニフェストファイルは、前記複数の表示用画像のそれぞれへのパスを格納する
請求項１９に記載の記録媒体。
【請求項２１】
前記複数の表示用画像のそれぞれは、当該表示用画像を生成する場合に用いられた前記デジタルアセットのファイル名が、逆変換可能な予め定められた規則で変換されたファイル名を有する請求項２０に記載の記録媒体。
【請求項２２】
前記複数の表示用画像のそれぞれは、前記デジタルアセットのファイル名の、先頭の予め定められた数の文字列が、他の文字列に変更されたファイル名を有する請求項２１に記載の記録媒体。
【請求項２３】
記録媒体に格納されている複数のデジタルアセットからデジタルアセットを読み取るデジタルアセット読み取り装置であって、前記記録媒体は、前記複数のデジタルアセットを一以上の入力媒体のそれぞれに関連付けられたディレクトリで格納するアセットロールディレクトリと、前記複数のデジタルアセットのそれぞれへのパスを格納するアセットマニフェストと、記録される前記アセットマニフェストファイルへのパスを、前記記録媒体毎に異なることのない、予め定められたパスに格納するインデックスマニフェストファイルとを有し、前記読み取り装置は、
前記記録媒体上の前記複数のデジタルアセット及び前記アセットマニフェストを、前記記録媒体上の前記インデックスマニフェストファイルを用いて読み取る、アセット読み取り部を備える、
デジタルアセット読み取り装置。
【請求項２４】
前記アセットロールのディレクトリ名は、前記記録媒体を製造するのに用いられる各装置毎に異なる、請求項２３に記載のデジタルアセット読み取り装置。
【請求項２５】
前記アセットロールディレクトリは、前記アセットロールディレクトリを生成する日時情報に基づいて、前記日時情報毎に異なる、請求項２４に記載のデジタルアセット読み取り装置。
【請求項２６】
前記読み取り部は、
前記記録媒体から、前記インデックスマニフェストファイルを読み取る第１インデックス読み取り部と、
前記第１インデックス読み取り部によって読み取られた前記インデックスマニフェストファイルに格納されている前記アセットマニフェストファイルへのパスに基づいて、前記記録媒体に格納されている前記アセットロールディレクトリを有するアセットディレクトリのディレクトリ名を検出する第１アセットディレクトリ検出部と、
前記第１インデックス読み取り部により読み取られた前記インデックスマニフェストファイルに格納されている前記アセットマニフェストファイルへのパスを用いて、前記第１の記録媒体から前記アセットマニフェストファイルを読み取るアセットマニフェスト読み取り部と、
読み取られた前記アセットマニフェストファイルに格納されている前記複数のデジタルアセットのそれぞれへのパスを用いて、前記複数のデジタルアセットのうちの少なくとも一つを読み取る画像読み取り部と、
を備える、請求項２３に記載のデジタルアセット読み取り装置。
【請求項２７】
前記読み取り部はさらに、
第２の記録媒体から、前記インデックスマニフェストファイルを読み取る第２インデックス読み取り部と、
前記第２インデックス読み取り部によって読み取られた前記インデックスマニフェストファイルに格納されている前記アセットマニフェストファイルへのパスに基づいて、前記第２の記録媒体に格納されている前記アセットロールディレクトリを有するアセットディレクトリのディレクトリ名を検出する第２アセットディレクトリ検出部と
を更に備え、
前記アセット読み取り部は、前記第１アセットディレクトリ検出部、及び前記第２アセットディレクトリ検出部のそれぞれによって読み取られた前記アセットディレクトリのディレクトリ名が一致する場合に、読み取られた前記複数のデジタルアセット、及び前記アセットマニフェストファイルを、パスを変更することなく前記第２の記録媒体に記録し、
前記第２インデックス読み取り部により読み取られた、前記第２の記録媒体に既に記録されている前記インデックスマニフェストファイルに、前記第１の記録媒体から読み取られて前記第２の記録媒体に記録される前記アセットマニフェストファイルへのパスを更に格納させることにより、新たなインデックスマニフェストファイルを生成する生成部を有し、
前記生成部は、生成された前記新たなインデックスマニフェストファイルを用いて、前記第２の記録媒体に既に記録されている前記インデックスマニフェストファイルを更新する
請求項２６に記載のデジタルアセット読み取り装置。
【請求項２８】
前記第１アセットディレクトリ検出部、及び前記第２アセットディレクトリ検出部のそれぞれによって読み取られた前記アセットディレクトリのディレクトリ名が一致しない場合に、予め定められたディレクトリ名の前記アセットディレクトリを、前記第２の記録媒体中に作成するアセットディレクトリ作成部
を更に備え、
前記アセットロールディレクトリ作成部は、前記第１アセットディレクトリ検出部、及び前記第２アセットディレクトリ検出部のそれぞれによって読み取られた前記アセットディレクトリのディレクトリ名が一致しない場合に、前記第１インデックス読み取り部によって読み取られた前記インデックスマニフェストファイルに格納されている前記アセットマニフェストファイルへのパスに基づいて、当該アセットマニフェストファイルが前記第１の記録媒体において格納されている前記アセットロールディレクトリのディレクトリ名と同一のディレクトリ名の前記アセットロールディレクトリを、前記アセットディレクトリ作成部によって作成された前記アセットディレクトリの下位に作成し、
前記アセット読み取り部は、前記第１アセットディレクトリ検出部、及び前記第２アセットディレクトリ検出部のそれぞれによって読み取られた前記アセットディレクトリのディレクトリ名が一致しない場合に、読み取られた前記複数のデジタルアセット、及び前記アセットマニフェストファイルを、作成された前記アセットディレクトリに格納させるべく、前記第２の記録媒体に記録する
請求項２７に記載のデジタルアセット読み取り装置。
【発明の詳細な説明】
【技術分野】
【０００１】
本明細書に別紙Ａ−１、Ａ−２、Ａ−３を添付して、その内容をここに参照として組み込む。
【０００２】
本出願は、２００５年２月１７日提出の米国特許出願番号１１／０５９，６８１および２００５年７月２２日提出の米国特許出願番号１１／１８６，８６８の優先権を主張しており、その内容をここにさらに参照として組み込む。
【０００３】
さらに、同一出願人による２００５年６月１０日提出の米国特許出願シリアル番号１１／１４９，３４７に言及し、その開示をここに参照として組み込む。
【０００４】
本発明は、画像記録装置、画像記録方法、及び記録媒体に関する。特に本発明は、撮像された複数のデジタルアセットを、記録媒体に記録する画像記録装置、及び画像記録方法、並びに当該記録媒体に関する。
【背景技術】
【０００５】
従来、記録媒体にオリジナルデジタルコンテンツを記録する記録装置は、該媒体への記録を条件なしで記録する。つまり、デジタルコンテンツあるいはその論理フォーマットの組成は条件なしということである。例えば、Ｆｕｊｉｃｏｌｏｒ（登録商標）ＣＤのフォーマットは記録装置を制御するアプリケーションにより完全に決定される。他のアプリケーションはデジタルコンテンツを他の方法で組成することができ、その例としては、Ｋｏｄａｋ  ＰｉｃｔｕｒｅＣＤ（登録商標）の論理フォーマットを生成するアプリケーションが挙げられる。これにより、媒体上のデジタルコンテンツの論理フォーマットが最初は未知であることから、読み取り装置にとっては複雑性が増すこととなる。本発明は、所定の論理フォーマットでデジタルコンテンツを記録媒体に記録する「画像記録装置」である。この所定の論理フォーマットはその後、「画像読み取り装置」の効率的で制御された操作を可能とする、というのもデジタルコンテンツの論理フォーマットが既知になるからである。本発明記載の装置が処理するデジタルコンテンツの論理フォーマットは、デジタルコンテンツの提示の改善を可能とする。目下のところ、視聴者に対して、デジタルコンテンツに関連付けられたメタデータに基づいた選択により決定して提示させる論理フォーマットは存在しない。加えて、読み取り装置は記録媒体上のメタデータに基づきその行動を実際に修正することもある。ＤＶＤプレーヤなどの目下の読み取り装置は、コンテンツ発信元及びコンテンツ記録装置が完全に決定する再生経験に依っている。本発明は、視聴者が選択した基準に基づく改善された再生モードをマニフェストのメタデータの利用により可能とするシステムを記載する。
【発明の開示】
【０００６】
そこで、本発明は、従来技術に付随する上述の欠点を克服することができる画像読み取り装置、画像読み取り方法、および記録媒体を提供することを目的とする。上述の、およびその他の目的は、独立項に記載の特徴の組み合わせにより達成される。また従属項は本発明の更なる有利な組み合わせ例を規定する。
【０００７】
本発明の第一局面によれば、複数のデジタルアセットを、記録媒体に記録する画像記録装置であって、前記複数のデジタルアセットを格納するアセットロールディレクトリを、一以上の入力媒体のそれぞれに関連付けられたディレクトリで作成するアセットロールディレクトリ作成部と、前記複数のデジタルアセットのそれぞれへのパスを格納するアセットマニフェストファイルを生成するアセットマニフェスト生成部と、前記複数のデジタルアセット、及び前記アセットマニフェストファイルを、前記アセットロールディレクトリに格納するべく、前記記録媒体に記録するアセット記録部と、記録される前記アセットマニフェストファイルへのパスを格納するインデックスマニフェストファイルを生成するインデックス生成部と、生成された前記インデックスマニフェストファイルを、前記記録媒体毎に異なることのない、予め定められたパスに記録するインデックス記録部とを備える画像記録装置である。
【０００８】
前記アセットロールディレクトリ作成部は、各画像記録装置に固有の前記アセットロールディレクトリのディレクトリ名を決定してもよい。
【０００９】
前記アセットロールディレクトリ作成部は、更に、前記アセットロールディレクトリを生成する日時情報に基づいて、前記日時情報毎に異なる、前記アセットロールディレクトリのディレクトリ名をさらに決定してもよい。
【００１０】
前記画像記録装置はさらに、前記複数のデジタルアセットの解像度を下げることによって複数の表示用画像を生成する表示用画像生成部と、前記複数の表示用画像を格納する表示用画像ディレクトリを、前記アセットロールディレクトリの下位に作成する表示用画像ディレクトリ作成部と、前記複数の表示用画像を、前記表示用画像ディレクトリに格納するべく、前記記録媒体に記録する表示用画像記録部とを更に備え、前記アセットマニフェスト生成部は、記録される前記複数の表示用画像のそれぞれへのパスを格納する前記アセットマニフェストファイルを生成してもよい。
【００１１】
前記表示用画像生成部は、前記複数の表示用画像のそれぞれについて、当該表示用画像を生成する場合に用いた前記デジタルアセットのファイル名を、逆変換可能な予め定められた規則で変換することにより、当該表示用画像のファイル名を生成してもよい。
【００１２】
前記表示用画像生成部は、当該表示用画像を生成する場合に用いた前記デジタルアセットのファイル名の、先頭の予め定められた長さの文字列を、他の文字列に変更することにより、当該表示用画像のファイル名を生成してもよい。
【００１３】
前記画像記録装置はさらに、第１の前記記録媒体から、前記インデックスマニフェストファイルを読み取る第１インデックス読み取り部と、前記第１インデックス読み取り部によって読み取られた前記インデックスマニフェストファイルに格納されている前記アセットマニフェストファイルへのパスに基づいて、前記第１の記録媒体に格納されている前記アセットロールディレクトリを有するアセットディレクトリのディレクトリ名を検出する第１アセットディレクトリ検出部と、前記第１インデックス読み取り部により読み取られた前記インデックスマニフェストファイルに格納されている前記アセットマニフェストファイルへのパスを用いて、前記第１の記録媒体から前記アセットマニフェストファイルを読み取るアセットマニフェスト読み取り部と、読み取られた前記アセットマニフェストファイルに格納されている前記複数のデジタルアセットのそれぞれへのパスを用いて、前記第１の記録媒体から前記複数のデジタルアセットを読み取る画像読み取り部と、第２の前記記録媒体から、前記インデックスマニフェストファイルを読み取る第２インデックス読み取り部と、前記第２インデックス読み取り部によって読み取られた前記インデックスマニフェストファイルに格納されている前記アセットマニフェストファイルへのパスに基づいて、前記第２の記録媒体に格納されている前記アセットロールディレクトリを有するアセットディレクトリのディレクトリ名を検出する第２アセットディレクトリ検出部とを更に備え、前記アセット記録部は、前記第１アセットディレクトリ検出部、及び前記第２アセットディレクトリ検出部のそれぞれによって検出された前記アセットディレクトリのディレクトリ名が一致する場合に、読み取られた前記複数のデジタルアセット、及び前記アセットマニフェストファイルを、パスを変更することなく前記第２の記録媒体に記録し、前記インデックス生成部は、前記第２インデックス読み取り部により読み取られた、前記第２の記録媒体に既に記録されている前記インデックスマニフェストファイルに、前記第１の記録媒体から読み取られて前記第２の記録媒体に記録される前記アセットマニフェストファイルへのパスを更に格納させることにより、新たなインデックスマニフェストファイルを生成し、前記インデックス記録部は、生成された前記新たなインデックスマニフェストファイルを用いて、前記第２の記録媒体に既に記録されている前記インデックスマニフェストファイルを更新してもよい。
【００１４】
前記画像記録装置は、前記第１アセットディレクトリ検出部、及び前記第２アセットディレクトリ検出部のそれぞれによって検出された前記アセットディレクトリのディレクトリ名が一致しない場合に、予め定められたディレクトリ名の前記アセットディレクトリを、前記第２の記録媒体中に作成するアセットディレクトリ作成部を更に備え、前記アセットロールディレクトリ作成部は、前記第１アセットディレクトリ検出部、及び前記第２アセットディレクトリ検出部のそれぞれによって検出された前記アセットディレクトリのディレクトリ名が一致しない場合に、前記第１インデックス読み取り部によって読み取られた前記インデックスマニフェストファイルに格納されている前記アセットマニフェストファイルへのパスに基づいて、当該アセットマニフェストファイルが前記第１の記録媒体において格納されている前記アセットロールディレクトリのディレクトリ名と同一のディレクトリ名の前記アセットロールディレクトリを、前記アセットディレクトリ作成部によって作成された前記アセットディレクトリの下位に作成し、前記アセット記録部は、前記第１アセットディレクトリ検出部、及び前記第２アセットディレクトリ検出部のそれぞれによって読み取られた前記アセットディレクトリのディレクトリ名が一致しない場合に、読み取られた前記複数のデジタルアセット、及び前記アセットマニフェストファイルを、作成された前記アセットディレクトリに格納させるべく、前記第２の記録媒体に記録する。
【００１５】
本発明の第二局面によれば、画像記録装置を用いることにより、複数のデジタルアセットを、記録媒体に記録する画像記録方法であって、アセットロールディレクトリを、一以上の入力媒体のそれぞれに関連付けられたディレクトリで前記複数のデジタルアセット格納することで作成するアセットロールディレクトリ作成段階と、前記複数のデジタルアセットのそれぞれへのパスを格納するアセットマニフェストファイルを生成するアセットマニフェスト生成段階と、前記複数のデジタルアセット、及び前記アセットマニフェストファイルを、前記アセットロールディレクトリに格納するべく、前記記録媒体に記録するアセット記録段階と、記録される前記アセットマニフェストファイルへのパスを格納するインデックスマニフェストファイルを生成するインデックス生成段階と、生成された前記インデックスマニフェストファイルを、前記記録媒体毎に異なることのない、予め定められたパスに記録するインデックス記録段階とを備える画像記録方法である。
【００１６】
前記アセットロールディレクトリ作成段階は、当該画像記録装置を識別可能な装置識別子に基づいて、前記装置識別子毎に異なる、前記アセットロールディレクトリのディレクトリ名を決定してもよい。
【００１７】
前記アセットロールディレクトリ作成段階は、更に、前記アセットロールディレクトリを生成する日時情報に基づいて、前記日時情報毎に異なる、前記アセットロールディレクトリのディレクトリ名を決定する。
【００１８】
前記画像記録方法は、前記複数のデジタルアセットの解像度を下げることによって複数の表示用画像を生成する表示用画像生成段階と、前記複数の表示用画像を格納する表示用画像ディレクトリを、前記アセットロールディレクトリの下位に作成する表示用画像ディレクトリ作成段階と、前記複数の表示用画像を、前記表示用画像ディレクトリに格納するべく、前記記録媒体に記録する表示用画像記録段階とを更に備え、前記アセットマニフェスト生成段階は、記録される前記複数の表示用画像のそれぞれへのパスを更に格納する前記アセットマニフェストファイルを生成してもよい。
【００１９】
前記表示用画像生成段階は、前記複数の表示用画像のそれぞれについて、当該表示用画像を生成する場合に用いた前記デジタルアセットのファイル名を、逆変換可能な予め定められた規則で変換することにより、当該表示用画像のファイル名を生成してもよい。
【００２０】
前記表示用画像生成段階は、当該表示用画像を生成する場合に用いた前記デジタルアセットのファイル名の、先頭の予め定められた長さの文字列を、他の文字列に変更することにより、当該表示用画像のファイル名を生成してもよい。
【００２１】
前記画像記録方法は、第１の前記記録媒体から、前記インデックスマニフェストファイルを読み取る第１インデックス読み取り段階と、前記第１インデックス読み取り段階において読み取られた前記インデックスマニフェストファイルに格納されている前記アセットマニフェストファイルへのパスに基づいて、前記第１の記録媒体に格納されている前記アセットロールディレクトリを有するアセットディレクトリのディレクトリ名を検出する第１アセットディレクトリ検出段階と、前記第１インデックス読み取り段階において読み取られた前記インデックスマニフェストファイルに格納されている前記アセットマニフェストファイルへのパスを用いて、前記第１の記録媒体から前記アセットマニフェストファイルを読み取るアセットマニフェスト読み取り段階と、読み取られた前記アセットマニフェストファイルに格納されている前記複数のデジタルアセットのそれぞれへのパスを用いて、前記第１の記録媒体から前記複数のデジタルアセットを読み取る画像読み取り段階と、第２の前記記録媒体から、前記インデックスマニフェストファイルを読み取る第２インデックス読み取り段階と、前記第２インデックス読み取り段階によって読み取られた前記インデックスマニフェストファイルに格納されている前記アセットマニフェストファイルへのパスに基づいて、前記第２の記録媒体に格納されている前記アセットロールディレクトリを有するアセットディレクトリのディレクトリ名を検出する第２アセットディレクトリ検出段階とを更に備え、前記アセット記録段階は、前記第１アセットディレクトリ検出段階、及び前記第２アセットディレクトリ検出段階のそれぞれにおいて読み取られた前記アセットディレクトリのディレクトリ名が一致する場合に、読み取られた前記複数のデジタルアセット、及び前記アセットマニフェストファイルを、パスを変更することなく前記第２の記録媒体に記録し、前記インデックス生成段階は、前記第２インデックス読み取り段階において読み取られた、前記第２の記録媒体に既に記録されている前記インデックスマニフェストファイルに、前記第１の記録媒体から読み取られて前記第２の記録媒体に記録される前記アセットマニフェストファイルへのパスを更に格納させることにより、新たなインデックスマニフェストファイルを生成し、前記インデックス記録段階は、生成された前記新たなインデックスマニフェストファイルを用いて、前記第２の記録媒体に既に記録されている前記インデックスマニフェストファイルを更新してもよい。
【００２２】
前記画像記録方法は、前記第１アセットディレクトリ検出段階、及び前記第２アセットディレクトリ検出段階のそれぞれによって読み取られた前記アセットディレクトリのディレクトリ名が一致しない場合に、予め定められたディレクトリ名の前記アセットディレクトリを、前記第２の記録媒体中に作成するアセットディレクトリ作成段階を更に備え、前記アセットロールディレクトリ作成段階は、前記第１アセットディレクトリ検出段階、及び前記第２アセットディレクトリ検出段階のそれぞれにおいて読み取られた前記アセットディレクトリのディレクトリ名が一致しない場合に、前記第１インデックス読み取り段階において読み取られた前記インデックスマニフェストファイルに格納されている前記アセットマニフェストファイルへのパスに基づいて、当該アセットマニフェストファイルが前記第１の記録媒体において格納されている前記アセットロールディレクトリのディレクトリ名と同一のディレクトリ名の前記アセットロールディレクトリを、前記アセットディレクトリ作成段階で作成された前記アセットディレクトリの下位に作成し、前記アセット記録段階は、前記第１アセットディレクトリ検出段階、及び前記第２アセットディレクトリ検出段階のそれぞれによって読み取られた前記アセットディレクトリのディレクトリ名が一致しない場合に、読み取られた前記複数のデジタルアセット、及び前記アセットマニフェストファイルを、作成された前記アセットディレクトリに格納させるべく、前記第２の記録媒体に記録する。
【００２３】
本発明の第三局面によれば、撮像された複数のデジタルアセットが記録されている記録媒体であって、前記複数のデジタルアセットと、前記複数のデジタルアセットのそれぞれへのパスを格納しているアセットマニフェストファイルと、前記複数のデジタルアセット、及び前記アセットマニフェストファイルを格納しているアセットロールディレクトリと、前記アセットマニフェストファイルへのパスを格納しているインデックスマニフェストファイルとを備え、前記インデックスマニフェストファイルは、当該記録媒体毎に異なることのない、予め定められたパスに記録されており、前記アセットロールディレクトリは、複数の当該記録媒体のそれぞれが備える前記アセットロールディレクトリのそれぞれを識別可能なディレクトリ名を有する記録媒体である。
【００２４】
前記アセットロールディレクトリは、該画像記録装置を識別するための装置識別子に基づき各装置識別子毎に異なるディレクトリ名を有してもよい。
【００２５】
前記アセットロールディレクトリは、生成された日時に基づく、前記日時毎に異なるディレクトリ名を有してもよい。
【００２６】
前記記録媒体は、前記複数のデジタルアセットの解像度を下げることによって生成された複数の表示用画像と、前記複数の表示用画像を前記アセットロールディレクトリの下位に格納する表示用画像ディレクトリとを更に備え、前記アセットマニフェストファイルは、前記複数の表示用画像のそれぞれへのパスを更に格納してもよい。
【００２７】
前記複数の表示用画像のそれぞれは、当該表示用画像を生成する場合に用いられた前記デジタルアセットのファイル名が、逆変換可能な予め定められた規則で変換されたファイル名を有してもよい。
【００２８】
前記複数の表示用画像のそれぞれは、当該表示用画像を生成するのに利用される前記デジタルアセットのファイル名の、先頭の予め定められた数の文字列が、他の文字列に変更されたファイル名を有してもよい。
【００２９】
発明の開示において、本発明の必要とされる特徴の全てを必ずしも記載していない。本発明は、上述の特徴の部分的組み合わせであってもよい。本発明の上述の、およびその他の特徴や利点は、添付の図面とともに、以下の実施形態の説明から、より明らかになるであろう。
【図面の簡単な説明】
【００３０】
本発明のよりよい理解の目的から、付随図面を参照し、これを参照として組み込むが、図面中、
【図１】本発明の実施形態に係る画像利用システムの一例である画像利用システム１０の構成の一例を示す図である。
【図２】本発明の実施形態に係る記録媒体３０のディレクトリ構成及びファイル構成の一例を示す図である。
【図３】本発明の実施形態に係る画像記録装置２０の機能構成の一例を示すブロック図である。
【図４】本発明の実施形態に係る画像読み取り装置４０の機能構成の一例を示すブロック図である。
【図５】本発明の実施形態に係る画像記録装置２０を用いる画像記録方法における処理の流れの一例を示すフローチャートである。
【図６】本発明の実施形態に係る画像読み取り装置４０を用いる画像読み取り方法における処理の流れの一例を示すフローチャートである。
【図７】本発明の実施形態に係る画像記録装置２０を用いる画像記録方法における処理の流れの他の例を示すフローチャートである。
【図８】本発明の実施形態に係る画像利用システムの他の例である画像利用システム５０の構成の一例を示す。
【図９】本発明の実施形態に係る画像記録装置７０を用いる画像記録方法における処理の流れの一例を示すフローチャートである。
【発明を実施するための最良の形態】
【００３１】
以下、好適な実施の形態に基づいて本発明を説明するが、以下の実施形態は本発明の範囲を限定するものではなく、本発明を例示するものである。また実施形態の中で説明されている特徴やその組み合わせの全てが発明に必須であるとは限らない。
【００３２】
図１は、本発明の一実施形態に係る画像利用システムの一例である画像利用システム１０の構成の一例を示す。本実施形態に係る画像利用システム１０は、画像記録装置２０によりデジタルアセットを記録媒体３０に記録したり、また、記録媒体３０に記録されているデジタルアセットを画像読み取り装置４０により読み取り、読み取ったデジタルアセットを表示したり印刷したりする。そして、本実施形態に係る画像利用システム１０は、記録媒体３０において、複数のデジタルアセットが何れの領域に記録されているかに関わらず、当該複数のデジタルアセットを正確に読み取ることを目的とする。また、本実施形態に係る画像利用システム１０は、既にデジタルアセットが記録されている記録媒体に新たなデジタルアセットを記録する場合に、既に記録されているデジタルアセットが意図せず消去されることを防止することを更なる目的とする。また、本実施形態に係る画像利用システム１０は、複数のデジタルアセット、及び当該複数のデジタルアセットに基づくスライドショーを示すマニフェストが既に記録されている記録媒体３０に新たなデジタルアセットを追加する場合に、記録媒体３０の容量の利用効率を向上させることを更なる目的とする。
【００３３】
本実施形態に係る画像利用システム１０は、画像記録装置２０、記録媒体３０、及び画像読み取り装置４０を備える。画像記録装置２０は、例えばデジタルカメラ等によって撮像された複数のデジタルアセットを、記録媒体３０に記録する。ここで、デジタルアセットとは、静止画像であってよく、これに代えて、動画像であってもよい。また、画像記録装置２０は、例えば、デジタルカメラ等の撮像装置であってよく、これに代えて、パーソナルコンピュータ等の情報処理装置であってもよい。画像読み取り装置４０は、撮像された複数のデジタルアセットが記録されている記録媒体３０から、当該複数のデジタルアセットを読み取る。そして、画像読み取り装置４０は、読み取ったデジタルアセットを、表示または印刷することにより、利用者に提供する。なお、画像読み取り装置４０は、例えば、ＤＶＤ−Ｖｉｄｅｏプレイヤー等の映像再生装置であってよく、これに代えて、パーソナルコンピュータ等の情報処理装置や、ＤＰＥサービス店舗に設置されたキオスク端末等であってもよい。
【００３４】
また、本発明において、画像記録装置２０及び画像読み取り装置４０は、それぞれ独立したものであってよく、これに代えて、一方が他方の機能及び構成を有していてもよい。また、画像記録装置２０及び画像読み取り装置４０のそれぞれは、互いに異なる複数の装置を含んでいてもよく、当該複数の装置が、互いに連携することにより、画像記録装置２０または画像読み取り装置４０として動作してもよい。
【００３５】
図２は、本実施形態に係る記録媒体３０のディレクトリ構成及びファイル構成の一例を示す。本実施形態に係る記録媒体３０は、ルートディレクトリの直下に、アセットディレクトリ３００、アルバムディレクトリ３３０、インデックスマニフェストファイル３４０、及びビデオストリーム３５０を格納している。
【００３６】
アセットディレクトリ３００は、デジタルアセットなどの画像利用システム１０によって用いられるデータを、複数のアセットロールディレクトリ（３１０ａ及び３１０ｂ。以降３１０として表記）、並びに共有ディレクトリ３２０を介して格納している。なお、本図において、アセットディレクトリ３００は、２つのロールアセットロールディレクトリ３１０を格納しているが、これに代えて、１つのみ、または３つ以上のロールアセットロールディレクトリ３１０を格納していてもよい。
【００３７】
アセットロールディレクトリ３１０ａは、複数のデジタルアセット３１２ａ、アセットマニフェストファイル３１４ａ、及び表示用画像ディレクトリ３１６ａを格納している。また、アセットロールディレクトリ３１０ａは、更に、録音された音声３１３ａを格納していてもよい。複数のデジタルアセット３１２ａは、例えば、デジタルカメラによって撮像された静止画像及び／又は動画像であってよい。アセットマニフェストファイル３１４ａは、アセットロールディレクトリ３１０ａに格納されている複数のデジタルアセット３１２ａのそれぞれへのパスを格納している。表示用画像ディレクトリ３１６ａは、アセットロールディレクトリ３１０ａの下位に位置すると共に、複数の表示用画像３１８ａを格納している。複数の表示用画像３１８ａは、複数のデジタルアセット３１２に代えて表示される画像であり、例えば、複数のデジタルアセットの解像度を下げることによって生成された画像であってよい。なお、アセットロールディレクトリ３１０ａは、表示用画像における解像度や縦横比等が異なる、複数の表示用画像ディレクトリを格納していてもよい。これにより、表示用画像を表示するための表示装置や表示方法毎に解像度や縦横比が異なる場合であっても、当該表示装置や表示方法に適した、表示品質の高い画像を表示することができる。また、アセットマニフェストファイル３１４ａは、複数の表示用画像３１８ａのそれぞれへのパスを更に格納している。
【００３８】
アセットロールディレクトリ３１０ｂは、複数のデジタルアセット３１２ｂ、アセットマニフェストファイル３１４ｂ、及び表示用画像ディレクトリ３１６ｂを格納している。本実施形態に示すように、複数のデジタルアセットを、記録媒体３０の複数のアセットロールディレクトリに分類して格納することができる。
【００３９】
共有ディレクトリ３２０は、複数の共有ファイル３２２、及び共有マニフェストファイル３２４を格納している。共有ファイルは、例えばアセットロールディレクトリ３１０に格納されているデジタルアセット３１２及び表示用画像３１８の少なくとも一部をスライドショーとして表示する場合に、ＢＧＭ（バックグラウンドミュージック）として演奏される楽曲であってよい。共有マニフェストファイル３２４は、複数の共有ファイル３２２のそれぞれへのパスを格納している。
【００４０】
アルバムディレクトリ３３０は、複数のアルバムマニフェストファイル３３２を格納している。複数のアルバムマニフェストファイル３３２のそれぞれは、記録媒体３０に記録されている複数のデジタルアセット（３１２ａ及び３１２ｂ。以降３１２と表記）のうち、少なくとも一部のデジタルアセットの表示順序を定める。具体的には、アルバムマニフェストファイル３３２は、表示すべきデジタルアセットのそれぞれへのパスを格納しているアセットマニフェストファイル（３１４ａ及び３１４ｂ。以降３１４と表記）へのパス、及び表示順序に従って表示すべき画像のそれぞれを識別する画像識別子を格納している。なお、この場合、アセット情報ファイル３１４は、複数のデジタルアセットのそれぞれへのパスと、当該デジタルアセットを識別する画像識別子とを、対応付けて格納していてよい。
【００４１】
インデックスマニフェストファイル３４０は、複数のアセットマニフェストファイル３１４のそれぞれへのパス、及び複数のアルバムマニフェストファイル３３２へのパスを格納している。また、インデックスマニフェストファイル３４０は、記録媒体３０毎に異なることはなく、また、予め定められたパスに記録されている。具体的には、インデックスマニフェストファイル３４０は、記録媒体３０のルートディレクトリの直下に、"ＰＡＳＳＩＤＸ．ＰＶＭ"というファイル名で記録されていてよい。
【００４２】
ビデオストリーム３５０は、例えばＤＶＤ−Ｖｉｄｅｏ形式のビデオストリームを含むファイル群又はディレクトリ群であってよい。そして、ビデオストリーム３５０は、アルバムマニフェストファイル３３２が定める表示順序に基づくスライドショーを示すビデオストリームであってよい。これにより、アルバムマニフェストファイル３３２、及び表示用画像３１８を読み取ってスライドショーを表示することのできない表示機器であっても、記録媒体３０をＤＶＤ−Ｖｉｄｅｏディスクとして再生することにより、当該スライドショーを表示することができる。
【００４３】
なお、本図に示したアセットディレクトリ３００、アセットロールディレクトリ３１０、複数のデジタルアセット３１２、アセットマニフェストファイル３１４、表示用画像ディレクトリ（３１６ａ及び３１６ｂ。以降３１６と表記）、複数の表示用画像３１８、共有ディレクトリ３２０、複数の共有ファイル３２２、共有マニフェストファイル３２４、アルバムディレクトリ３３０、並びに複数のアルバムマニフェストファイル３３２の少なくとも一部は、例えば利用者等によって予め定められた記録媒体３０のフォーマットによって異なっていてよい。ここで、記録媒体３０のフォーマットとは、例えば、Ｆｕｊｉｃｏｌｏｒ（登録商標）ＣＤ、ＰｉｃｔｕｒｅＣＤ（登録商標）、及びＨｏｔＡｌｂｕｍ（登録商標）等であってよい。
【００４４】
なお、アセットロールディレクトリ３１０は、各入力媒体と関連付けられたディレクトリ名を有していてよい。また、同様にして、複数のデジタルアセット３１２、アセットマニフェストファイル３１４、表示用画像ディレクトリ３１６、複数の表示用画像３１８、共有ディレクトリ３２０、複数の共有ファイル３２２、共有マニフェストファイル３２４、アルバムディレクトリ３３０、及び複数のアルバムマニフェストファイル３３２の少なくとも一部も、複数の入力媒体のそれぞれが備えるそれぞれのファイル及びディレクトリを識別可能な名称を有していてよい。
【００４５】
図３は、本実施形態に係る画像記録装置２０の機能構成の一例を示すブロック図である。画像記録装置２０は、画像入力部２００、装置識別子取得部２０５、日時取得部２１０、アセットロールディレクトリ作成部２１５、表示用画像生成部２２０、表示用画像ディレクトリ作成部２２５、アセットマニフェスト生成部２３０、アセット記録部２３５、表示用画像記録部２４０、アルバムディレクトリ作成部２４５、アルバムマニフェスト生成部２５０、アルバムマニフェスト記録部２５５、インデックス生成部２６０、及びインデックス記録部２６５を有する。
【００４６】
画像入力部２００は、撮像された複数のデジタルアセットを入力する。例えば、画像入力部２００は、複数のデジタルアセット３１２を撮像したデジタルカメラとデータ通信を行うことにより、複数のデジタルアセット３１２及び／又はデジタル音声アセット３１３を入力してよく、また、複数のデジタルアセット３１２が記録されている他の記録媒体や記憶装置から、複数のデジタルアセット３１２を読み取ることにより、複数のデジタルアセット３１２を入力してもよい。そして、画像入力部２００は、入力した複数のデジタルアセット３１２を、表示用画像生成部２２０、アセットマニフェスト生成部２３０、及びアセット記録部２３５に出力する。
【００４７】
装置識別子取得部２０５は、画像記録装置２０を識別可能な装置識別子を取得する。ここで、装置識別子とは、例えば、画像記録装置２０が有するネットワークインターフェイスに割り当てられたＭＡＣ（Ｍｅｄｉａ  Ａｃｃｅｓｓ  Ｃｏｎｔｒｏｌ）アドレスであってよい。そして、装置識別子取得部２０５は、取得した装置識別子をアセットロールディレクトリ作成部２１５に出力する。日時取得部２１０は、画像記録装置２０が有する時計機能及びカレンダー機能を用いて、現在時刻を取得する。そして、日時取得部２１０は、取得した現在時刻をアセットロールディレクトリ作成部２１５に出力する。
【００４８】
アセットロールディレクトリ作成部２１５は、画像入力部２００によって入力された複数のデジタルアセットを格納するアセットロールディレクトリ３１０を、記録媒体３０中に作成する。ここで、アセットロールディレクトリ作成部２１５は、複数の記録媒体のそれぞれが有するアセットロールディレクトリ３１０のそれぞれを識別するディレクトリ名で、アセットロールディレクトリ３１０を作成してよい。具体的には、アセットロールディレクトリ作成部２１５は、装置識別子取得部２０５から受け取った装置識別子に基づいて、当該装置識別子毎に異なるディレクトリ名を決定してよい。また、アセットロールディレクトリ作成部２１５は、更に、日時取得部２１０から受け取った、アセットロールディレクトリ３１０を生成する日時に基づいて、当該日時毎に異なるディレクトリ名を決定してよい。なお、アセットロールディレクトリ作成部２１５は、予め定められた記録媒体３０のフォーマットにおいて、アセットロールディレクトリ３１０を格納するアセットディレクトリ３００が定められており、且つ、当該アセットディレクトリが記録媒体３０に存在しない場合には、当該アセットディレクトリ３００を作成した後で、アセットロールディレクトリ３１０を作成してよい。そして、アセットロールディレクトリ作成部２１５は、記録媒体３０における、作成したアセットロールディレクトリ３１０へのパスを、表示用画像ディレクトリ作成部２２５、及びアセット記録部２３５に出力する。
【００４９】
表示用画像生成部２２０は、画像入力部２００によって入力された複数のデジタルアセット３１２の解像度を下げることによって、複数の表示用画像３１８を生成する。ここで、表示用画像生成部２２０は、複数の表示用画像３１８のそれぞれについて、当該表示用画像３１８を生成する場合に用いたデジタルアセット３１２のファイル名を、逆変換可能な予め定められた規則で変換することにより、当該表示用画像３１８のファイル名を生成してよい。具体的には、表示用画像生成部２２０は、複数の表示用画像３１８のそれぞれについて、当該表示用画像３１８を生成する場合に用いたデジタルアセット３１２のファイル名の、先頭の予め定められた長さの文字列を、他の文字列に変更することにより、当該表示用画像３１８のファイル名を生成してよい。なお、ここで、それぞれのデジタルアセット３１２のファイル名とは、当該デジタルアセット３１２が入力される際に、画像入力部２００によって定められたファイル名であってよい。そして、表示用画像生成部２２０は、複数の表示用画像３１８を表示用画像記録部２４０に出力する。また、表示用画像生成部２２０は、複数の表示用画像３１８のそれぞれのファイル名を、アセットマニフェスト生成部２３０に出力する。
【００５０】
表示用画像ディレクトリ作成部２２５は、表示用画像生成部２２０によって生成される複数の表示用画像３１８を格納する表示用画像ディレクトリ３１６を、アセットロールディレクトリ作成部２１５によって作成されたアセットロールディレクトリ３１０の下位に作成する。そして、表示用画像ディレクトリ作成部２２５は、表示用画像ディレクトリ３１６へのパスを表示用画像記録部２４０に出力する。また、表示用画像ディレクトリ作成部２２５は、作成した表示用画像ディレクトリ３１６へのパス、及びアセットロールディレクトリ３１０へのパスをアセットマニフェスト生成部２３０に出力する。
【００５１】
アセットマニフェスト生成部２３０は、画像入力部２００によって入力された複数のデジタルアセット３１２が記録媒体３０に記録された場合の、当該複数のデジタルアセット３１２のそれぞれへのパス、及び表示用画像生成部２２０によって生成された複数の表示用画像３１８が記録媒体３０に記録された場合の、当該複数の表示用画像３１８のそれぞれへのパスを格納するアセットマニフェストファイル３１４を生成する。ここで、アセットマニフェスト生成部２３０は、例えばアセットマニフェストファイル３１４がアセットロールディレクトリ３１０の直下に格納される等の、アセットマニフェストファイル３１４及びアセットロールディレクトリ３１０の予め定められた位置関係に基づいて、複数のデジタルアセット３１２のそれぞれへのパス、及び複数の表示用画像３１８のそれぞれへのパスを検出してよい。そして、アセットマニフェスト生成部２３０は、画像入力部２００から入力された複数のデジタルアセット３１２のそれぞれのファイル名、及び、例えば複数のデジタルアセット３１２がアセットロールディレクトリ３１０の直下に格納される等の、複数のデジタルアセット３１２及びアセットロールディレクトリ３１０の予め定められた位置関係に基づいて、当該複数のデジタルアセット３１２のそれぞれへのパスを検出してよい。また、アセットマニフェスト生成部２３０は、表示用画像生成部２２０から受け取った複数の表示用画像３１８のそれぞれのファイル名、及び表示用画像ディレクトリ作成部２２５から受け取った、表示用画像ディレクトリ３１６へのパス及びアセットロールディレクトリ３１０へのパスに基づいて、当該複数の表示用画像３１８のそれぞれへのパスを検出してよい。そして、アセットマニフェスト生成部２３０は、生成したアセットマニフェストファイル３１４を、アセット記録部２３５に出力する。
【００５２】
アセット記録部２３５は、画像入力部２００から受け取った複数のデジタルアセット３１２、及びアセットマニフェスト生成部２３０から受け取った複数のアセットマニフェストファイル３１４を、アセットロールディレクトリ作成部２１５が作成したアセットロールディレクトリ３１０に格納するべく、記録媒体３０に記録する。そして、アセット記録部２３５は、記録したアセットマニフェストファイル３１４へのパス、及び記録した複数のデジタルアセット３１２のそれぞれを識別する画像識別子を、アルバム生成マニフェスト生成部２５０に出力する。また、アセット記録部２３５は、記録したアセットマニフェストファイル３１４へのパスをインデックス生成部２６０に出力する。表示用画像記録部２４０は、表示用画像生成部２２０によって生成された複数の表示用画像３１８を、表示用画像ディレクトリ作成部２２５によって作成された表示用画像ディレクトリ３１６に格納するべく、記録媒体に記録する。
【００５３】
アルバムディレクトリ作成部２４５は、アルバムマニフェストファイル３３２を格納するアルバムディレクトリ３３０を、アセットロールディレクトリ作成部２１５が作成するアセットロールディレクトリ３１０の下位でない位置に作成する。例えば、アルバムディレクトリ作成部２４５は、記録媒体３０のルートディレクトリに格納するべく、アルバムディレクトリ３３０を作成してよい。そして、アルバムディレクトリ作成部２４５は、作成したアルバムディレクトリ３３０へのパスを、アルバムマニフェスト記録部２５５に出力する。
【００５４】
アルバムマニフェスト生成部２５０は、記録媒体３０に記録されるアセットマニフェストファイル３１４へのパス、及び記録媒体３０に記録されている複数のデジタルアセット３１２が表示される場合の表示順序を格納するアルバム情報ファイル３３２を生成する。具体的には、アルバムマニフェスト生成部２５０は、デジタルアセット３１２を識別する画像識別子を、表示順序に対応付けて、アルバムマニフェストファイル３３２に格納してよい。そして、アルバムマニフェスト生成部２５０は、生成したアルバムマニフェストファイル３３２を、アルバム情報記録部２５５に出力する。アルバムマニフェスト記録部２５５は、アルバムマニフェスト生成部２５０によって生成されたアルバムマニフェストファイル３３２を、アルバムディレクトリ作成部２４５によって作成されたアルバムディレクトリ３３０に格納するべく、記録媒体３０に記録する。そして、アルバムマニフェスト記録部２５５は、記録したアルバムマニフェストファイル３３２へのパスを、インデックス生成部２６０に出力する。
【００５５】
インデックス生成部２６０は、アセット記録部２３５によって記録媒体３０に記録されたアセットマニフェストファイル３１４へのパス、及びアルバムマニフェスト記録部２５５によって記録媒体３０に記録されたアルバムマニフェストファイル３３２へのパスを格納するインデックスマニフェストファイル３４０を生成する。そして、インデックス生成部２６０は、生成したインデックスマニフェストファイル３４０を、インデックス記録部２６５に出力する。インデックス記録部２６５は、インデックス生成部２６０によって生成されたインデックスマニフェストファイル３４０を、記録媒体３０毎に異なることのない、予め定められたパスに記録する。
【００５６】
本実施形態に係る画像記録装置２０によれば、アセットロールディレクトリ３１０のディレクトリ名を、複数の記録媒体のそれぞれで異なるディレクトリ名とすることができる。これにより、記録媒体３０に記録されたアセットロールディレクトリ３１０を他の記録媒体や記憶装置に複製する場合に、既に当該他の記録媒体や記憶装置に格納されているアセットロールディレクトリ３１０が上書きされることを防止することができる。従って、当該他の記録媒体や記録装置に格納されているファイルが意図せず消去されてしまうことを防止することができる。
【００５７】
また、ＭＡＣアドレス等の装置識別子に基づいてアセットロールディレクトリ３１０のディレクトリ名を決定することにより、異なる画像記録装置２０によって記録された記録媒体３０における、アセットロールディレクトリ３１０のディレクトリ名の重複を、精度よく防止することができる。更に、アセットロールディレクトリ３１０を作成する日時に基づいてアセットロールディレクトリ３１０のディレクトリ名を決定することにより、同一の画像記録装置２０によって記録された複数の記録媒体３０における、アセットロールディレクトリ３１０のディレクトリ名の重複を、精度よく防止することができる。
【００５８】
また、表示用画像ディレクトリ３１６を、アセットロールディレクトリ３１０の下位に作成することにより、アセットロールディレクトリ３１０は他の記録媒体へ複製される。それゆえ、当該アセットロールディレクトリ３１０に格納されているデジタルアセット３１２と、当該デジタルアセット３１２から生成された表示用画像３１８とを一括して複製することができる。これにより、記録媒体３０に記録されている画像データの管理を、容易に行うことができる。
【００５９】
また、デジタルアセットのファイル名を逆変換可能な規則で変換して表示用画像３１８のファイル名を生成することにより、例えばアセットマニフェストファイル３１４を消失した場合であっても、デジタルアセット３１２と表示用画像３１８との対応関係を検出することができる。その上、デジタルアセット３１２のファイル名における先頭の文字列を他の文字列に変更することによって、表示用画像３１２のファイル名を生成することにより、簡易な構成で、且つ短い時間でデジタルアセット３１２と表示用画像３１８との対応関係を検出することができる。
【００６０】
図４は、本実施形態に係る画像読み取り装置４０の機能構成の一例を示すブロック図である。本実施形態に係る画像読み取り装置４０は、インデックス読み取り部４００、アルバムマニフェスト読み取り部４１０、アセットマニフェスト読み取り部４２０、画像読み取り部４３０、及び画像表示部４４０を有する。本例における画像読み取り装置４０は、記録媒体３０に記録されているアルバムマニフェストファイル３３２に従って、記録媒体３０に記録されている複数のデジタルアセット３１２に基づくスライドショーを表示する。
【００６１】
インデックス読み取り部４００は、記録媒体３０からインデックスマニフェストファイル３４０を読み取る。ここで、インデックス読み取り部４００は、記録媒体３０毎に異なることはなく、予め定められたパスを用いて、インデックスマニフェストファイル３４０を読み取ってよい。そして、インデックス読み取り部４００は、読み取ったインデックスマニフェストファイル３４０をアルバムマニフェスト読み取り部４１０に出力する。アルバムマニフェスト読み取り部４１０は、インデックス読み取り部４００によって読み取られたインデックスマニフェストファイル３４０に格納されているアルバムマニフェストファイル３３２へのパスを用いて、記録媒体３０からアルバムマニフェストファイル３３２を読み取る。そして、アルバムマニフェスト読み取り部４１０は、読み取ったアルバムマニフェストファイル３３２をアセットマニフェスト読み取り部４２０に出力する。アセットマニフェスト読み取り部４２０は、アルバムマニフェスト読み取り部４１０によって読み取られたアルバムマニフェストファイル３３２に格納されているアセット情報ファイル３１４へのパスを用いて、記録媒体３０からアセットマニフェストファイル３１４を読み取る。そして、アセットマニフェスト読み取り部４２０は、読み取ったアセットマニフェストファイル３１４を画像読み取り部４３０に出力する。
【００６２】
画像読み取り部４３０は、アセットマニフェスト読み取り部４２０によって読み取られたアセットマニフェストファイル３１４に格納されている複数のデジタルアセット３１２のそれぞれへのパスを用いて、記録媒体３０から複数のデジタルアセット３１２の少なくとも一部を読み取る。また、画像読み取り部４３０は、デジタルアセット３１２を読み取る代わりに、アセットマニフェストファイル３１４に格納されている複数の表示用画像３１８のそれぞれへのパスを用いて、記録媒体３０から複数の表示用画像３１８の少なくとも一部を読み取ってもよい。具体的には、画像読み取り部４３０は、アルバムマニフェスト報読み取り部４１０によって読み取られたアルバムマニフェストファイル３３２が定める表示順序に従って表示されるべきデジタルアセット３１２のそれぞれについて、順次、デジタルアセットから生成された表示用画像へのパスがアセットマニフェストファイルに格納されている場合には、表示用画像３１８を読み取り、デジタルアセット３１２から生成された表示用画像３１８へのパスがアセットマニフェストファイル３１４に格納されていない場合には、当該デジタルアセット３１２を読み取る。出力部４４０は、画像読み取り部４３０によって読み取られたデジタルアセット３１２または表示用画像３１８を表示する。出力部４４０はさらに音声及び印刷された出力を提供することができることは理解されるべきである。
【００６３】
本実施形態に係る画像読み取り装置４０によれば、アセットマニフェストファイル３１４へのパスが格納されているインデックマニフェストスファイル３４０へのパスは記録媒体のフォーマットに依らず定まるので、アセットマニフェストファイル３１４へのパスが記録媒体のフォーマットによって異なる場合であっても、アセットマニフェストファイル３１４を正確に読み取ることができる。これにより、複数のデジタルアセット３１２が記録されている領域、即ち複数のデジタルアセットのそれぞれへのパスが記録媒体毎に異なる場合であっても、読み取ったアセットマニフェストファイル３１４に基づいて、複数のデジタルアセット３１２のそれぞれを正確に読み取ることができる。
【００６４】
また、デジタルアセット３１２の解像度に比べて出力部４４０の解像度が低い場合、デジタルアセット３１２が有する情報の多くは表示されず、データの読み取りに要する時間や記憶領域の多くが無駄になってしまう。しかし、本実施形態に係る画像読み取り装置４０によれば、記録媒体３０に、デジタルアセット３１２より解像度の低い表示用画像３１８が予め記録されているので、デジタルアセット３１２の代わりに、当該デジタルアセット３１２に対応する表示用画像３１８を読み取って表示することにより、効率よく、且つ高速に画像の読み取り及び表示を行うことができる。また、表示用画像３１８へのパスがアセットマニフェストファイル３１４に記録されていることにより、表示用画像３１８へのパスが記録媒体３０のフォーマットによって異なる場合であっても、表示用画像３１８を正確に読み取ることができる。
【００６５】
また、アルバムマニフェストファイル３３２へのパスがインデックマニフェストスファイル３４０に格納されていることにより、アルバム情報ファイル３３２へのパスが記録媒体３０のフォーマットによって異なる場合であっても、デジタルアセット３１２及び表示用画像３１８を正確に読み取ることができる。
【００６６】
また、画像読み取り装置４０は、アルバムマニフェストファイル３３２に関わらず、デジタルアセット３１２または表示用画像３１８を表示してもよい。この場合、画像読み取り装置４０は、アルバムマニフェスト読み取り部４１０を有していなくともよく、アセットマニフェスト読み取り部４２０は、アルバムマニフェストファイル３３２に代えて、インデックスマニフェストファイル３４０に格納されているアセットマニフェストファイル３１４へのパスを用いて、アセットマニフェストファイル３１４を読み取ってよい。
【００６７】
また、画像読み取り装置４０は、画像表示を備えていなくともよい。この場合、画像読み取り装置４０は、例えば、画像読み取り部４３０によって読み取られたデジタルアセット３１２を印刷して利用者に提供してもよい。また、画像読み取り装置４０は、例えば、画像読み取り部４３０によって読み取られたデジタルアセット３１２または表示用画像３１８を、画像読み取り部４３０から離れた表示装置にネットワーク接続を介して出力してもよい。
【００６８】
図５は、本実施形態に係る画像記録装置２０を用いる画像記録方法における処理の流れの一例を示すフローチャートである。画像入力部２００は、撮像された複数のデジタルアセット３１２を入力する（Ｓ１０００）。アセットロールディレクトリ作成部２１５は、入力された複数のデジタルアセット３１２を格納するアセットロールディレクトリ３１０を、複数の記録媒体のそれぞれが有するアセットロールディレクトリ３１０を識別可能なディレクトリ名で、記録媒体３０中に作成する（Ｓ１０１０）。表示用画像ディレクトリ作成部２２５は、複数の表示用画像３１８を格納する表示用画像ディレクトリ３１６を、作成されたアセットロールディレクトリ３１０の下位に作成する（Ｓ１０２０）。表示用画像生成部２２０は、入力された複数のデジタルアセット３１２の解像度を下げることによって、複数の表示用画像３１８を生成する（Ｓ１０３０）。
【００６９】
続いて、アセットマニフェスト生成部２３０は、入力された複数のデジタルアセット３１２が記録媒体３０に記録された場合の、当該複数のデジタルアセット３１２のそれぞれへのパス、及び生成された複数の表示用画像３１８が記録媒体３０に記録された場合の、当該複数のデジタルアセット３１２のそれぞれへのパスを格納するアセットマニフェストファイル３１４を生成する（Ｓ１０４０）。アセット記録部２３５は、入力された複数のデジタルアセット３１２、及び生成されたアセットマニフェストファイル３１４を、作成されたアセットロールディレクトリ３１０に格納するべく、記録媒体に記録する（Ｓ１０５０）。続いて、表示用画像記録部２４０は、生成された複数の表示用画像３１８を、作成された表示用画像ディレクトリ３１６に格納するべく、記録媒体３０に記録する（Ｓ１０６０）。
【００７０】
続いて、アルバムディレクトリ作成部２４５は、アルバムマニフェストファイル３３２を格納するアルバムディレクトリ３３０を、作成されたアセットロールディレクトリ３１０の下位でない位置に作成する（Ｓ１０７０）。アルバムマニフェスト生成部２５０は、記録媒体３０に記録されたアセットマニフェストファイル３１４へのパス、及び記録媒体３０に記録された複数のデジタルアセット３１２の表示順序を格納するアルバムマニフェストファイル３３２を生成する（Ｓ１０８０）。アルバムマニフェスト記録部２５５は、生成されたアルバムマニフェストファイル３３２を、作成されたアルバムディレクトリ３３０に格納するべく、記録媒体３０に記録する（Ｓ１０９０）。
【００７１】
続いて、インデックス生成部２６０は、記録媒体３０に記録されたアセットマニフェストファイル３１４へのパス、及び記録媒体３０に記録されたアルバムマニフェストファイル３３２へのパスを格納するインデックマニフェストスファイル３４０を生成する（Ｓ１１００）。インデックス記録部２６５は、生成されたインデックスマニフェストファイル３４０を、記録媒体３０毎に異なることのない、予め定められたパスに記録する（Ｓ１１１０）。
【００７２】
本実施形態に係る画像記録装置２０によれば、アルバムディレクトリ３３０をアセットロールディレクトリ３１０の下位ではない位置に作成することができる。これにより、複数のアセットロールディレクトリ３１０に跨った画像の表示順序を定めるアルバムマニフェストファイル３３２を用いる場合において、記録媒体３０からアセットロールディレクトリ３１０が削除された場合であっても、当該アルバムマニフェストファイル３３２を移動させる必要がない。
【００７３】
図６は、本実施形態に係る画像読み取り装置４０を用いる画像読み取り方法における処理の流れの一例を示すフローチャートである。インデックス読み取り部４００は、記録媒体３０からインデックスマニフェストファイル３４０を読み取る（Ｓ１２００）。アルバムマニフェスト読み取り部４１０は、読み取られたインデックスマニフェストファイル３４０に格納されているアルバムマニフェストファイル３３２へのパスを用いて、記録媒体３０からアルバムマニフェストファイル３３２を読み取る（Ｓ１２１０）。アセットマニフェスト読み取り部４２０は、読み取られたアルバムマニフェストファイル３３２に格納されているアセットマニフェストファイル３１４へのパスを用いて、記録媒体３０からアセットマニフェストファイル３１４を読み取る（Ｓ１２２０）。
【００７４】
続いて、画像読み取り装置４０は、以降の処理を、アルバムマニフェストファイル３３２によって定められる、表示すべきデジタルアセット３１２について繰り返す（Ｓ１２３０）。画像読み取り部４３０は、当該デジタルアセット３１２から生成された表示用画像３１８へのパスが、アセットマニフェストファイル３１４に格納されているか否かを判定する（Ｓ１２４０）。例えば、画像読み取り部４３０は、当該デジタルアセット３１２を識別する画像識別子に対応する表示用画像３１８へのパスが、アセットマニフェストファイル３１４に格納されているか否かを判定する。表示用画像３１８へのパスがアセットマニフェストファイル３１４に格納されていると判定した場合（Ｓ１２４０：Ｙｅｓ）、画像読み取り部４３０は、当該表示用画像３１８へのパスを用いて、当該表示用画像３１８を読み取る（Ｓ１２５０）。
【００７５】
一方、表示用画像３１８へのパスがアセットマニフェストファイル３１４に格納されていないと判定した場合（Ｓ１２４０：Ｎｏ）、画像読み取り部４３０は、アセットマニフェストファイル３１４に格納されている当該デジタルアセット３１２へのパスを用いて、当該デジタルアセット３１２を読み取る（Ｓ１２６０）。そして、画像読み取り部４３０は、画像表示部４４０における解像度に従って、読み取った当該デジタルアセット３１２の解像度を下げる（Ｓ１２７０）。
【００７６】
続いて、画像表示部４４０は、読み取られた表示用画像３１８、または読み取られて解像度が下げられたデジタルアセット３１２を表示する（Ｓ１２８０）。ここで、利用者が、表示された画像を印刷する旨を、画像読み取り装置４０に設けられた入力手段を用いて指示した場合、画像読み取り装置４０は、当該デジタルアセット３１２を記録媒体３０から読み取って、画像読み取り装置４０が有する印刷手段、あるいは外部の印刷装置に出力してよい。そして、画像読み取り装置４０は、以上の処理を、表示、提示、及び／又は出力すべきすべてのデジタルアセットについて繰り返す（Ｓ１２９０）。
【００７７】
図７は、本実施形態に係る画像記録装置２０を用いる画像記録方法における処理の流れの他の例を示すフローチャートである。本例において、画像記録装置２０は、複数のデジタルアセット３１２及びアルバムマニフェストファイル３３２が既に記録されている記録媒体３０に、新たな複数のデジタルアセット３１２及び新たなアルバムマニフェストファイル３３２を記録する。また、本例において、記録媒体３０は、同一の領域に一度のみ情報を記録することができるライトワンス型の記録媒体であり、ライトワンス型の記録媒体の、未だ情報が記録されていない領域に情報を記録することができる。また、本例における画像記録装置２０は、図４に示した画像読み取り装置４０を有しており、記録媒体３０に記録されているマニフェスト等の情報を読み取ることができるとする。
【００７８】
画像入力部２００は、新たな複数のデジタルアセット３１２を入力する（Ｓ１４００）。インデックス読み取り部４００は、記録媒体３０から、既に記録されているインデックマニフェストスファイル３４０を読み取る（Ｓ１４１０）。アルバムマニフェスト読み取り部４１０は、読み取られたインデックスマニフェストファイル３４０に格納されているアルバムマニフェストファイル３３２へのパスを用いて、記録媒体３０から、既に記録されているアルバムマニフェストファイル３３２を読み取る（Ｓ１４２０）。アセットロールディレクトリ作成部２１５は、入力された新たな複数のデジタルアセット３１２を格納する新たなアセットロールディレクトリ３１０を、複数の記録媒体のそれぞれが有するアセットロールディレクトリ３１０のそれぞれを識別可能なディレクトリ名で、記録媒体３０中に作成する（Ｓ１４３０）。表示用画像ディレクトリ作成部２２５は、複数の表示用画像を格納する新たな表示用画像ディレクトリを、作成された新たなアセットロールディレクトリ３１０の下位に作成する（Ｓ１４４０）。表示用画像生成部２２０は、入力された複数のデジタルアセット３１２の解像度を下げることによって、新たな複数の表示用画像３１８を生成する（Ｓ１４５０）。
【００７９】
アセットマニフェスト生成部２３０は、入力された新たな複数のデジタルアセット３１２が記録媒体３０に記録された場合の、当該新たな複数のデジタルアセット３１２のそれぞれへのパス、及び生成された新たな複数の表示用画像３１８が記録媒体３０に記録された場合の、当該新たな複数の表示用画像３１８のそれぞれへのパスを格納する新たなアセットマニフェストファイル３１４を生成する。アセット記録部２３５は、新たな複数のデジタルアセット３１２、及び生成された新たなアセットマニフェストファイル３１４を、作成された新たなアセットロールディレクトリ３１０に格納するべく、記録媒体における、未だ情報が記録されていない領域に記録する（Ｓ１４７０）。表示用画像記録部２４０は、生成された新たな複数の表示用画像３１８を、作成された新たな表示用画像ディレクトリ３１６に格納するべく、記録媒体における、未だ情報が記録されていない領域に記録する（Ｓ１４８０）。
【００８０】
アルバムマニフェスト生成部２５０は、既に記録媒体３０に記録されているアルバムマニフェストファイル３３２に、作成された新たなアセットマニフェストファイル３１４へのパス、及び入力された新たな複数のデジタルアセット３１２が表示される場合の表示順序を更に格納させた、新たなアルバムマニフェストファイル３３２を生成する（Ｓ１４９０）。アルバムマニフェスト記録部２５５は、記録媒体３０に記録されているアルバムマニフェストファイル３３２を無効にする（Ｓ１５００）。アルバムマニフェスト記録部２５５は、生成された新たなアルバムマニフェストファイル３３２を、記録媒体における、未だ情報が記録されていない領域に記録する（Ｓ１５１０）。例えば、アルバムマニフェスト記録部２５５は、新たなアルバムマニフェストファイル３３２を、既に記録されていたアルバムマニフェストファイル３３２と同じパスで記録媒体３０に記録してよい。また、アルバムマニフェスト記録部２５５は、アルバムマニフェストファイル３３２へのパスに対応する、記録媒体における物理領域を、既に記録されていたアルバムマニフェストファイル３３２の物理領域に代えて、新たなアルバムマニフェストファイル３３２の物理領域に変更したファイル管理情報を、記録媒体３０に記録してよい。
【００８１】
既にデジタルアセット３１２が記録されているライトワンス型の記録媒体に、新たなデジタルアセット３１２を追加して記録する場合、スライドショーがビデオストリームとして記録されていると、ビデオストリームを再度生成して記録する必要がある。一般に、ビデオストリームのデータ量は静止画像に比べて大きいので、このようにして生成したビデオストリームは、既にビデオストリームが記録されている記録媒体には記録できず、新たな記録媒体に記録しなければならない場合がある。しかし、本実施形態に係る画像記録装置２０によれば、新たなデジタルアセット３１２を記録すると共に、新たなアルバムマニフェストファイル３３２を更新するのみで、当該新たなデジタルアセット３１２を加えたスライドショーを表示するための記録媒体を作成することができる。これにより、記録媒体３０の記憶領域を有効に利用することができる。また、複数のデジタルアセット３１２を記録すると共に、アルバムマニフェストファイル３３２を更新する処理は、ビデオストリームを生成して記録する処理に比べて、より短い時間で実行できるので、本実施形態に係る画像記録装置２０を用いることにより、新たな複数のデジタルアセットを追加する場合の、利用者にとっての利便性を向上させることができる。
【００８２】
図８は、本発明の本実施形態に係る画像利用システムの他の例である画像利用システム５０の構成の一例を示す。本実施形態に係る画像利用システム５０は、第１の記録媒体６０に記録されている複数のデジタルアセット３１２を、第２の記録媒体８０に記録する。本実施形態に係る画像利用システム５０は、第１の記録媒体６０、画像記録装置７０、及び第２の記録媒体８０を備える。なお、第１の記録媒体６０及び第２の記録媒体８０のそれぞれは、図２に示した記録媒体３０と略同一のディレクトリ構造及びファイル構造を有していてよい。
【００８３】
本実施形態に係る記録装置７０は、第１インデックス読み取り部７００、第１アセットディレクトリ検出部７０５、アセットマニフェスト読み取り部７１０、画像読み取り部７１５、第２インデックス読み取り部７２０、第２アセットディレクトリ検出部７２５、アセットディレクトリ作成部７３０、アセットロールディレクトリ作成部７３５、アセット記録部７４０、インデックス生成部７４５、及びインデックス記録部７５０を有する。
【００８４】
第１インデックス読み取り部７００は、第１の記録媒体６０から、インデックスマニフェストファイル３４０を読み取る。ここで、第１インデックス読み取り部７００は、第１の記録媒体６０毎に異なることはなく、予め定められたパスを用いて、インデックスマニフェストファイル３４０を読み取ってよい。そして、第１インデックス読み取り部７００は、読み取ったインデックスマニフェストファイル３４０を、第１アセットディレクトリ検出部７０５、及びアセットマニフェスト読み取り部７１０に出力する。
【００８５】
第１アセットディレクトリ検出部７０５は、第１インデックス読み取り部７００によって読み取られたインデックスマニフェストファイル３４０に格納されているアセットマニフェストファイル３１４へのパスに基づいて、第１の記録媒体６０に格納されているアセットロールディレクトリ３１０を有するアセットディレクトリ３００のディレクトリ名を検出する。ここで、第１アセットディレクトリ検出部７０５は、第１の記録媒体６０がアセットロールディレクトリ３００を有しておらず、ルートディレクトリの直下にアセットロールディレクトリ３１０を有している場合には、アセットディレクトリ３００が存在しない旨を検出してよい。そして、第１アセットディレクトリ検出部７０５は、第１の記録媒体６０におけるアセット情報ファイル３１４へのパス、及び検出したアセットディレクトリ３００のディレクトリ名を、アセットディレクトリ作成部７３０、アセットロールディレクトリ作成部７３５、及びアセット記録部７４０に出力する。
【００８６】
アセットマニフェスト読み取り部７１０は、第１インデックス読み取り部７００により読み取られたインデックスマニフェストファイル３４０に格納されているアセットマニフェストファイル３１４へのパスを用いて、第１の記録媒体６０からアセットマニフェストファイル３１４を読み取る。そして、アセットマニフェスト読み取り部７１０は、読み取ったアセットマニフェストファイル３１４を、画像読み取り部７１５及びアセット記録部７４０に出力する。画像読み取り部７１５は、アセットマニフェスト読み取り部７１０によって読み取られたアセットマニフェストファイル３１４に格納されている複数のデジタルアセット３１２のそれぞれへのパスを用いて、第１の記録媒体６０から複数のデジタルアセット３１２を読み取る。そして、画像読み取り部７１５は、読み取った複数のデジタルアセット３１２を、アセット記録部７４０に出力する。
【００８７】
第２インデックス読み取り部７２０は、第２の記録媒体８０から、インデックスマニフェストファイル３４０を読み取る。ここで、第２インデックス読み取り部７２０は、第２の記録媒体８０毎に異なることはなく、予め定められたパスを用いて、インデックスマニフェストファイル３４０を読み取ってよい。そして、第２インデックス読み取り部７２０は、読み取ったインデックスマニフェストファイル３４０を、第２アセットディレクトリ検出部７２５及びインデックス生成部７４５に出力する。
【００８８】
第２アセットディレクトリ検出部７２５は、第２インデックス読み取り部７２０によって読み取られたインデックスマニフェストファイル３４０に格納されているアセットマニフェストファイル３１４へのパスに基づいて、第２の記録媒体８０に格納されているアセットロールディレクトリ３１０を有するアセットディレクトリ３００のディレクトリ名を検出する。ここで、第２アセットディレクトリ検出部７２５は、第２の記録媒体８０がアセットロールディレクトリ３００を有しておらず、ルートディレクトリの直下にアセットロールディレクトリ３１０を有している場合には、アセットディレクトリ３００が存在しない旨を検出してよい。第２アセットディレクトリ検出部７２５は、検出したアセットディレクトリ３００のディレクトリ名を、アセットディレクトリ作成部７３０、アセットロールディレクトリ作成部７３５、及びアセット記録部７４０に出力する。
【００８９】
アセットディレクトリ作成部７３０は、第１アセットディレクトリ検出部７０５、及び第２アセットディレクトリ検出部７２５のそれぞれによって検出されたアセットディレクトリ３００のディレクトリ名が一致しない場合に、予め定められたディレクトリ名のアセットディレクトリ３００を、第２の記録媒体８０中に作成する。そして、アセットディレクトリ作成部７３０は、作成したアセットディレクトリ３００へのパスを、アセットロールディレクトリ作成部７３５に出力する。
【００９０】
セットロールディレクトリ作成部７３５は、アセットマニフェスト読み取り部７１０によって読み取られたアセットマニフェストファイル３１４、及び画像読み取り部７１５によって読み取られた複数のデジタルアセット３１２を格納するべきアセットロールディレクトリ３１０を、第２の記録媒体８０中に作成する。具体的には、アセットロールディレクトリ作成部７３５は、第１アセットディレクトリ検出部７０５、及び第２アセットディレクトリ検出部７２５のそれぞれによって検出されたアセットディレクトリ３００のディレクトリ名が一致する場合、第２の記録媒体８０が有するアセットディレクトリ３００の下位に、アセットロールディレクトリ３１０を作成する。また、アセットロールディレクトリ作成部７３５は、第１アセットディレクトリ検出部７０５、及び第２アセットディレクトリ検出部７２５のそれぞれによって検出されたアセットディレクトリ３００のディレクトリ名が一致しない場合、アセットディレクトリ作成部７３０によって作成された第２の記録媒体８０のアセットディレクトリ３００の下位に、アセットロールディレクトリ３１０を作成する。なお、アセットロールディレクトリ作成部７３５は、アセットロールディレクトリ３１０のディレクトリ名を、第１アセットディレクトリ検出部７１０から受け取った、第１の記録媒体６０におけるアセットマニフェストファイル３１４へのパスに基づいて、当該アセットマニフェストファイル３１４が第１の記録媒体６０において格納されているアセットロールディレクトリ３１０のディレクトリ名と同一のディレクトリ名となるべく定めてよい。そして、アセットロールディレクトリ作成部７３５は、作成したアセットロールディレクトリ３１０へのパスを、アセット記録部７４０に出力する。
【００９１】
アセット記録部７４０は、アセットマニフェスト読み取り部７１０によって読み取られた、第１の記録媒体６０に記録されているアセットマニフェストファイル３１４、及び画像読み取り部７１５によって読み取られた、第１の記録媒体６０に記録されている複数のデジタルアセット３１２を、アセットロールディレクトリ作成部７３５によって作成されたアセットロールディレクトリ３１０に格納するべく、第２の記録媒体８０に記録する。そして、アセット記録部７４０は、記録したアセットマニフェストファイル３１４へのパスを出力する。
【００９２】
インデックス生成部７４５は、第２インデックス読み取り部７２０により読み取られた、第２の記録媒体に既に記録されているインデックスマニフェストファイル３４０に、アセット記録部７４０により第２の記録媒体８０に記録されたアセットマニフェストファイル３１４へのパスを更に格納させることにより、新たなインデックスマニフェストファイル３４０を生成する。そして、インデックス生成部７４５は、生成した新たなインデックスマニフェストファイル３４０をインデックス記録部７５０に出力する。
【００９３】
インデックス記録部７５０は、インデックス生成部７４５により生成された新たなインデックスマニフェストファイル３４０を用いて、第２の記録媒体８０に既に記録されているインデックスマニフェストファイル３４０を更新する。例えば、インデックス記録部７５０は、第２の記録媒体８０がライトワンス型である場合には、既に記録されているインデックスマニフェストファイル３４０を無効にすると共に、未だに情報が記録されていない領域に、新たなインデックスマニフェストファイル３４０を記録してよい。
【００９４】
本実施形態に係る画像記録装置７０によれば、既にデジタルアセット３１２が記録されている第２の記録媒体８０に、当該第２の記録媒体８０とは別の記録媒体である第１の記録媒体６０に記録されている複数のデジタルアセット３１２を追加して記録することができる。そして、画像記録装置７０によれば、それぞれの記録媒体が同一のフォーマットに基づく場合には、第１の記録媒体６０における当該複数のデジタルアセット３１２及びアセットマニフェストファイル３１４へのパスを変更することなく、第１の記録媒体６０における当該複数のデジタルアセット３１２及びアセットマニフェストファイル３１４を記録することができる。また、画像記録装置７０によれば、それぞれの記録媒体が互いに異なるフォーマットに基づく場合には、予め定められたディレクトリ名のアセットディレクトリ３００を作成して、当該複数のデジタルアセット３１２及びアセットマニフェストファイル３１４を第２の記録媒体８０に記録することができる。従って、画像記録装置７０によれば、第１の記録媒体６０及び第２の記録媒体８０のそれぞれにおけるフォーマットに関わらず、第１の記録媒体６０からのデジタルアセット３１２を第２の記録媒体８０へと複製することができ、その反対もできる。
【００９５】
なお、本図に示した画像記録装置７０は、第１の記録媒体に記録されている複数のデジタルアセット３１２及びアセットマニフェストファイル３１４を第２の記録媒体８０に記録している。これに加えて、画像記録装置７０は、第１の記録媒体６０に記録されているアルバムマニフェストファイル３３２を、第２の記録媒体８０に更に記録してもよい。この場合、記録装置７０は、第２の記録媒体８０に既に記録されているアルバムマニフェストファイル３３２に、アセットマニフェストファイル３１４へのパス、及びアセット記録部７４０により記録された複数のデジタルアセット３１２の表示順序を更に格納させるべく、当該アルバムマニフェストファイル３３２を更新してよい。記録装置７０は、これに代えて、第２の記録媒体８０に既に記録されているアルバムマニフェストファイル３３２とは別に、アセットマニフェストファイル３１４へのパス、及びアセット記録部７４０により記録された複数のデジタルアセット３１２の表示順序を格納する新たなアルバムマニフェストファイル３３２を記録してもよい。
【００９６】
図９は、本実施形態に係る画像記録装置７０を用いる画像記録方法における処理の流れの一例を示すフローチャートである。第１インデックス読み取り部７００は、第１の記録媒体６０から、インデックスマニフェストファイル３４０を読み取る（Ｓ１６００）。第１アセットディレクトリ検出部７０５は、第１インデックス読み取り部７００によって読み取られたインデックスマニフェストファイル３４０に格納されているアセットマニフェストファイル３１４へのパスに基づいて、第１の記録媒体６０に格納されているアセットロールディレクトリ３１０を有するアセットディレクトリ３００のディレクトリ名を検出する（Ｓ１６１０）。アセットマニフェスト読み取り部７１０は、第１インデックス読み取り部７００により読み取られたインデックスマニフェストファイル３４０に格納されているアセットマニフェストファイル３１４へのパスを用いて、第１の記録媒体６０からアセットマニフェストファイル３１４を読み取る（Ｓ１６２０）。画像読み取り部７１５は、アセットマニフェスト読み取り部７１０によって読み取られたアセットマニフェストファイル３１４に格納されている複数のデジタルアセット３１２のそれぞれへのパスを用いて、第１の記録媒体６０から複数のデジタルアセット３１２を読み取る（Ｓ１６３０）。
【００９７】
第２インデックス読み取り部７２０は、第２の記録媒体８０から、インデックスマニフェストファイル３４０を読み取る（Ｓ１６４０）。第２アセットディレクトリ検出部７２５は、第２インデックス読み取り部７２０によって読み取られたインデックスマニフェストファイル３４０に格納されているアセットマニフェストファイル３１４へのパスに基づいて、第２の記録媒体８０に格納されているアセットロールディレクトリ３１０を有するアセットディレクトリ３００のディレクトリ名を検出する（Ｓ１６５０）。
【００９８】
続いて、画像記録装置７０は、第１アセットディレクトリ検出部７０５、及び第２アセットディレクトリ検出部７２５のそれぞれによって検出されたアセットディレクトリ３００のディレクトリ名が一致するか否かを判定する（Ｓ１６６０）。アセットディレクトリ３００のディレクトリ名が一致しない場合に（Ｓ１６６０：Ｎｏ）、アセットディレクトリ作成部７３０は、予め定められた名前のアセットディレクトリ３００を、第２の記録媒体８０中に作成する（Ｓ１６７０）。
【００９９】
続いて、アセットロールディレクトリ作成部７３５は、アセットマニフェスト読み取り部７１０によって読み取られたアセットマニフェストファイル３１４、及び画像読み取り部７１５によって読み取られた複数のデジタルアセット３１２を格納するべきアセットロールディレクトリ３１０を、第２の記録媒体８０中に作成する（Ｓ１６８０）。アセット記録部７４０は、アセットマニフェスト読み取り部７１０によって読み取られた、第１の記録媒体６０に記録されているアセットマニフェストファイル３１４、及び画像読み取り部７１５によって読み取られた、第１の記録媒体６０に記録されている複数のデジタルアセット３１２を、アセットロールディレクトリ作成部７３５によって作成されたアセットロールディレクトリ３１０に格納するべく、第２の記録媒体８０に記録する（Ｓ１６９０）。
【０１００】
インデックス生成部７４５は、第２インデックス読み取り部７２０により読み取られた、第２の記録媒体８０に既に記録されているインデックスマニフェストファイル３４０に、アセットマニフェスト読み取り部７１０により第１の記録媒体６０から読み取られて、アセット記録部７４０により第２の記録媒体８０に記録されたアセットマニフェストファイル３１４へのパスを更に格納させることにより、新たなインデックスマニフェストファイル３４０を生成する（Ｓ１７００）。インデックス記録部７５０は、インデックス生成部７４５により生成された新たなインデックスマニフェストファイル３４０を用いて、第２の記録媒体８０に既に記録されているインデックスマニフェストファイル３４０を更新する（Ｓ１７１０）。
【０１０１】
本明細書に添付する付属書Ａ−１、Ａ−２、およびＡ−３において、本実施形態の別の例を提示する。
【０１０２】
本発明を模範的な実施形態により説明してきたが、当業者であれば本発明の趣旨および範囲から逸脱することなく多くの改良および置換をなしうるであろうことは理解されよう。本発明は、添付の請求項によってのみ定義される。
【産業上の利用可能性】
【０１０３】
上記説明から明らかなように、本発明によれば、記録媒体のフォーマットに関わらず、記録媒体に記録されているデジタルアセットを読み取ることができる。
【０１０４】
ピクチャ・アーカイブ・アンド・シェアリング・スタンダード
ジョイント・イニシアティブ
Ｆｕｊｉ  Ｐｈｏｔｏ  Ｆｉｌｍ  Ｃｏ．，Ｌｔｄ．，
Ｋｏｎｉｃａ  Ｍｉｎｏｌｔａ  Ｐｈｏｔｏ  Ｉｍａｇｉｎｇ，  Ｉｎｃ．，
Ｅａｓｔｍａｎ  Ｋｏｄａｋ  Ｃｏｍｐａｎｙ
バージョン１．００
ディスクの論理的な仕様
２００５年３月１７日
（C）２００５年、富士写真フイルム株式会社、コニカミノルタフォトイメージング株式会社、イーストマンコダック社、著作権所有
目次
１．概略・・・・・・・・・・・・・・・・・・・・・・・・・・・・・・・・・・１
１．１  ＰＡＳＳの主要な特徴・・・・・・・・・・・・・・・・・・・・・・・・２
１．２  システム概略・・・・・・・・・・・・・・・・・・・・・・・・・・・・３
１．３  ＰＡＳＳディスクの論理的な仕様の概略・・・・・・・・・・・・・・・・７
２．用語定義・・・・・・・・・・・・・・・・・・・・・・・・・・・・・・・・７
３．論理ディスクコンポーネント・・・・・・・・・・・・・・・・・・・・・・・９
３．１ファイル・・・・・・・・・・・・・・・・・・・・・・・・・・・・・・１０
３．１．１  ＰＡＳＳアセットファイルフォーマット・・・・・・・・・・・・・１０
３．１．１．１  静止画像ＰＡＳＳアセットファイル用ファイルフォーマット
・・・・・・・・・・・・・・・・・・・・・・・・・・・・・・・・・・・・・１０
３．１．１．２  ビデオＰＡＳＳアセットファイル用ファイルフォーマット
・・・・・・・・・・・・・・・・・・・・・・・・・・・・・・・・・・・・・１０
３．１．１．３  音声ＰＡＳＳアセットファイル用ファイルフォーマット
・・・・・・・・・・・・・・・・・・・・・・・・・・・・・・・・・・・・・１０
３．１．２  システム生成ファイル・・・・・・・・・・・・・・・・・・・・・１０
３．１．２．１  概略・・・・・・・・・・・・・・・・・・・・・・・・・・・１０
３．１．２．２  ＰＡＳＳ特有ＸＭＬ要素・・・・・・・・・・・・・・・・・・１１
３．１．２．３  ＰＡＳＳ  ＸＭＬネームスペース・・・・・・・・・・・・・・１１
３．１．２．４  インデックス・マニフェスト・ファイル・・・・・・・・・・・１２
３．１．２．５  アルバム・マニフェスト・ファイル・・・・・・・・・・・・・１５
３．１．２．６  ＰＡＳＳアセット・リスト・マニフェスト・ファイル・・・・・２０
３．２  コンテナ種類・・・・・・・・・・・・・・・・・・・・・・・・・・・３３
３．２．１  アセットディレクトリ（Ａｓｓｅｔｓ  ｄｉｒｅｃｔｏｒｙ）
・・・・・・・・・・・・・・・・・・・・・３３
３．２．１．１  制限・・・・・・・・・・・・・・・・・・・・・・・・・・・３３
３．２．２  アセットロールディレクトリ・・・・・・・・・・・・・・・・・・３３
３．２．２．１  制限・・・・・・・・・・・・・・・・・・・・・・・・・・・３３
３．２．３  アルバムディレクトリ・・・・・・・・・・・・・・・・・・・・・３３
３．２．３．１  制限・・・・・・・・・・・・・・・・・・・・・・・・・・・３３
３．２．４  表示ディレクトリ・・・・・・・・・・・・・・・・・・・・・・・３４
３．２．４．１  制限・・・・・・・・・・・・・・・・・・・・・・・・・・・３４
３．２．５  共有アセットディレクトリ・・・・・・・・・・・・・・・・・・・３６
３．２．５．１  制限・・・・・・・・・・・・・・・・・・・・・・・・・・・３６
４  ディレクトリ及びファイル構造・・・・・・・・・・・・・・・・・・・・・３６
４．１  全体構造・・・・・・・・・・・・・・・・・・・・・・・・・・・・・３６
４．２  ファイルシステム・・・・・・・・・・・・・・・・・・・・・・・・・３７
４．３  推奨ディレクトリ構造の命名取り決め・・・・・・・・・・・・・・・・３７
４．３．１  例示推奨ディレクトリ構造・・・・・・・・・・・・・・・・・・・３７
４．３．２  推奨ディレクトリ構造の命名取り決め・・・・・・・・・・・・・・３８
４．３．２．１  ＰＡＳＳインデックス・マニフェスト・ファイル・・・・・・・３８
４．３．２．２  アセットディレクトリ・・・・・・・・・・・・・・・・・・・３９
４．３．２．３  生成ＩＤ（ＴＵＩＤ）・・・・・・・・・・・・・・・・・・・３９
４．３．２．４  生成日付情報・・・・・・・・・・・・・・・・・・・・・・・３９
４．３．２．５  アセットロールディレクトリ・・・・・・・・・・・・・・・・３９
４．３．２．６  ＰＡＳＳアセットファイル・・・・・・・・・・・・・・・・・３９
４．３．２．７  アセットロールディレクトリのアセット・リスト・マニフェスト
・・・・・・・・・・・・・・・・・・・・・・・・・・・・・・・・・・・・・４０
４．３．２．８  アルバムディレクトリ・・・・・・・・・・・・・・・・・・・４０
４．３．２．９  デフォルト・アルバム・マニフェスト・ファイル・・・・・・・４０
４．３．２．１０  カスタム・アルバム・マニフェスト・ファイル・・・・・・・４０
４．３．２．１１  共有アセットディレクトリ・・・・・・・・・・・・・・・・４０
４．３．２．１２  共有アセットファイル・・・・・・・・・・・・・・・・・・４０
４．３．２．１３  共有アセット・リスト・マニフェスト・・・・・・・・・・・４１
４．３．２．１４  表示ディレクトリ・・・・・・・・・・・・・・・・・・・・４１
４．３．２．１５  表示用画像ファイル・・・・・・・・・・・・・・・・・・・４１
４．３．３  ディレクトリ構造例・・・・・・・・・・・・・・・・・・・・・・４１
４．３．３．１  インデックス・マニフェスト・ファイル・・・・・・・・・・・４１
４．３．３．２  アルバム・マニフェスト・ファイル・・・・・・・・・・・・・４２
４．３．３．３  アセット・リスト・マニフェスト・ファイル・・・・・・・・・４４
４．３．３．４  共有アセット・リスト・マニフェスト・・・・・・・・・・・・４８
５  移行・・・・・・・・・・・・・・・・・・・・・・・・・・・・・・・・・４９
５．１  移行管理・・・・・・・・・・・・・・・・・・・・・・・・・・・・・４９
６  媒体種類特有制限・・・・・・・・・・・・・・・・・・・・・・・・・・・５０
付録Ａ―短縮普遍識別子（ｔｒｕｎｃａｔｅｄ  ｕｎｉｖｅｒｓａｌ  ｉｄｅｎｔｉｆｉｅｒ）生成のための推奨アルゴリズム（参考情報）・・・・・・・・・・・・・５１
付録Ｂ―レガシーディレクトリとファイル構造の相互参照（参考情報）・・・・・５３
付録Ｃ―Ｋｏｄａｋ  ＰｉｃｔｕｒｅＣＤディレクトリおよびファイル構造（参考情報）
・・・・・・・・・・・・・・・・・・・・・・・・・・・・・・・・・・・・・５４
付録Ｄ：ＤＣＦおよびＦｕｊｉｆｉｌｍ  Ｆｕｊｉｃｏｌｏｒ  ＣＤディレクトリおよびファイル構造（参考情報）・・・・・・・・・・・・・・・・・・・・・・・・５５
付録Ｅ：Ｋｏｎｉｃａ  Ｍｉｎｏｌｔａ  Ｈｏｔ  Ａｌｂｕｍディレクトリおよびファイル構造（参考情報）・・・・・・・・・・・・・・・・・・・・・・・・・・・５７
付録Ｆ：参考文献・・・・・・・・・・・・・・・・・・・・・・・・・・・・・５８Ｆｉｇｕｒｅｓ
Ｆｉｇｕｒｅ１：ＰＡＳＳ特徴・・・・・・・・・・・・・・・・・・・・・・・・３
Ｆｉｇｕｒｅ２：ディスクの論理的な仕様の構造・・・・・・・・・・・・・・・・５
Ｆｉｇｕｒｅ３：ＰＡＳＳデジタルアルバム・オリジネイティング・システム（キオスク、ミニラボ）・・・・・・・・・・・・・・・・・・・・・・・・・・・・・・・５
Ｆｉｇｕｒｅ４：ＰＡＳＳデジタルアルバム・レシービング・システム・バリエーション１（ＤＶＤプレーヤ）・・・・・・・・・・・・・・・・・・・・・・・・・・・６
Ｆｉｇｕｒｅ５：ＰＡＳＳデジタルアルバム・レシービング・システム・バリエーション２（プリントキオスク、ミニラボ）・・・・・・・・・・・・・・・・・・・・・６
Ｆｉｇｕｒｅ６：ＰＡＳＳデジタルアルバム・レシービング・システム・バリエーション３（ＰＣアプリケーション）・・・・・・・・・・・・・・・・・・・・・・・・６
Ｆｉｇｕｒｅ７：三種類のＰＡＳＳデジタルアルバム・マニフェスト・ファイルの関係
・・・・・・・・・・・・・・・・・・・・・・・・・・・・・・・・・・・・・１１
Ｆｉｇｕｒｅ８：ＰＡＳＳインデックス・マニフェスト・ファイルのＸＭＬ要素組成
・・・・・・・・・・・・・・・・・・・・・・・・・・・・・・・・・・・・・１３
Ｆｉｇｕｒｅ９：ＰＡＳＳアルバム・マニフェスト・ファイルのＸＭＬ要素組成・１７
Ｆｉｇｕｒｅ１０：画像ＩＤ生成・・・・・・・・・・・・・・・・・・・・・・２５
Ｆｉｇｕｒｅ１１：アセット・リスト・マニフェスト・ファイルのＸＭＬ要素組成
・・・・・・・・・・・・・・・・・・・・・・・・・・・・・・・・・・・・・２６
Ｆｉｇｕｒｅ１２：表示ディレクトリの位置・・・・・・・・・・・・・・・・・３５
Ｆｉｇｕｒｅ１３：推奨ディレクトリ構造・・・・・・・・・・・・・・・・・・３８
ＦｉｇｕｒｅＣ：Ｋｏｄａｋ  ＰｉｃｔｕｒｅＣＤ（登録商標）に基づくＰＡＳＳファイル構造・・・・・・・・・・・・・・・・・・・・・・・・・・・・・・・・・５４
ＦｉｇｕｒｅＤ―１：ＤＣＦに基づくＰＡＳＳファイル構造・・・・・・・・・・５５
ＦｉｇｕｒｅＤ―２：ＦｕｊｉｃｏｌｏｒＣＤに基づくＰＡＳＳファイル構造・・５５
ＦｉｇｕｒｅＤ―２：ＦｕｊｉｃｏｌｏｒＣＤに基づくＰＡＳＳファイル構造・・５６
ＦｉｇｕｒｅＥ：Ｋｏｎｉｃａ  Ｍｉｎｏｌｔａ  Ｈｏｔ  Ａｌｂｕｍに基づくＰＡＳＳファイル構造・・・・・・・・・・・・・・・・・・・・・・・・・・・・・・５７
Ｔａｂｌｅｓ
Ｔａｂｌｅ１：ＰＡＳＳ  ＸＭＬネームスペース識別子・・・・・・・・・・・・１２
Ｔａｂｌｅ２：ＰＡＳＳデジタルアルバム一般情報メタデータ・・・・・・・・・１４
Ｔａｂｌｅ３：ＰＡＳＳアルバム・マニフェストで制限されるアセット参照・・・１８
Ｔａｂｌｅ４：アルバム一般メタデータ・・・・・・・・・・・・・・・・・・・１８
Ｔａｂｌｅ５：ＰＡＳＳアセットリスト・メタデータ・・・・・・・・・・・・・２０
Ｔａｂｌｅ６：ＰＡＳＳアセットリストで許可されるアセット・・・・・・・・・２８
Ｔａｂｌｅ７：ＰＡＳＳアセット・メタデータ・・・・・・・・・・・・・・・・２９
Ｔａｂｌｅ８：静止画像メタデータ・・・・・・・・・・・・・・・・・・・・・３０
ＴａｂｌｅＡ：ＤｉからＡＳＣＩＩへの変換・・・・・・・・・・・・・・・・・５２
ＴａｂｌｅＢ：ＰＡＳＳレガシーシステムとＲＤＳの記述・・・・・・・・・・・５３１  概略
ピクチャ・アーカイブ・アンド・シェアリング・スタンダード（ＰＡＳＳ）は、デジタル撮像産業イニシアチブであり、以前には簡単にあるいは信頼性高く達成できなかったような形でデジタル画像の保存、プリント、再生、及び共有をコンシューマーに許す。
先進技術は、デジタルコンテンツが、例えば、静止画像、ビデオ、音声、あるいは音楽、及びグラフィクスなどの、多くの形式で存在することを意味する。技術はさらにこれら様々なデジタルフォーマットの編集、コピー、および融合を可能にした。加えて、デジタルスチルカメラ、ＤＶＤプレーヤ、デジタルビデオカメラ、および携帯電話（ｃｅｌｌ  ｐｈｏｎｅ）などの、様々なデジタルフォーマットを利用する様々な機器が存在する。しかし、技術は遅いペースで進化してきてはいるが、ＰＣと違ってこれら機器は多数フォーマットを処理・再生することができない。
仕様ＰＡＳＳ一式は、全ての実装会社からの製品が媒体上の情報を理解できるよう情報を物理媒体にエンコードする方法を定義する。ＰＡＳＳはこれを、アセットについてのエンコード・デコードプロセスを定義して、ＰＡＳＳシステムの共通ユーザインターフェース要件を記述することにより行っている。ＰＡＳＳアーキテクチャは言語およびプラットフォームから独立したオープンシステム規格に基づいており、異なるシステム間の機能を可能とする。
ＰＡＳＳはメンバー会社同士が共通の規格を提供・利用できることを保証するために、ロゴ、商標、及びライセンスプログラムを持つ。このプログラムはメンバー会社に、彼等の事業の要請を提起し、機能性を保証する仕様に準拠する製品の確立を許し、ＰＡＳＳロゴの存在によりコンシューマーに認識される。
ＰＡＳＳの仕様は、伝統的なコンシューマー写真産業を可能とした規格に匹敵することができる（つまりプロセスＣ―４１、規格映写スライド及びカートリッジ構成、ペーパフォーマットなどである）。これら規格なしには、写真は写真愛好家の範疇に制限されただろう。これらがあったからこそ、写真は大きな、非常に成功した、主要なコンシューマー産業に成長した。ＰＡＳＳの仕様はデジタル写真に対してこれとほぼ同じことを約束する。
ＰＡＳＳイニシアチブは、コンシューマー画像・コンテンツを処理・管理して目下も将来的にもコンシューマーに簡単に自分のコンテンツを楽しむことを可能ならしめる約束を達成する全ての会社からの参加を呼びかける。
１．１ＰＡＳＳの主要な特徴
ＰＡＳＳはたくさんの特徴を定義する。下のＴａｂｌｅはＰＡＳＳシステムの主要な特徴を定義する。
スライドショーを見るための家庭用電化製品（ＣＥ）の利用が容易
今日のＤＶＤプレーヤ及び将来のＰＡＳＳサポートのＤＶＤプレーヤを利用してテレビ、パソコン、その他のＣＥ機器上で写真スライドショーを簡単に再生することができる。
ＣＥ機器でプレビューをして簡単にプリントを注文できる
スライドショーを見ている間にスライド番号をチェックして、それを写真注文書に加える。
ＰＡＳＳデジタルアルバム（ＰＡＳＳ  Ｄｉｇｉｔａｌ  Ａｌｂｕｍ）とともにプリント注文書を、近所の写真屋に持っていけば処理してもらえる。
任意のプリントキオスクを利用して簡単にプリントを注文できる
任意のＰＡＳＳサポートプリントキオスクにおいて、ＰＡＳＳデジタルアルバムを利用したプリント注文ができる。
写真読み取りが容易である
ＰＡＳＳデジタルアルバムは、お手元の画像が、ご自身が加えた日付及び任意のキーワードから迅速に簡便に読み取ることにより入手可能であることを意味する。
５）安全な写真の移行
様々な媒体フォーマット（ＣＤ、メモリカードなど）をより新たな、より小さい格納機器（ＤＶＤなど）に整理統合できる。
多くの他のＰＡＳＳデジタルアルバムを組み合わせることで、写真履歴をなくすことなく（メタデータの保持）単一のＰＡＳＳデジタルアルバムを作成する。
６）写真共有が容易
ご自身のＰＡＳＳデジタルアルバムを他の人と、ご自身が個々の写真に加えた日付、位置、イベント、人の名前などの情報をなくすことなく共有できる。
【表１】
2008530630.tif 000003
１．２システム概略
ＰＡＳＳシステムは以下の主要なシステムおよびコンポーネントから成る。
１）オリジネイティング・システム
オリジネイティング・システムは、ＰＡＳＳデジタルアルバムをＰＡＳＳディスク上に作成するのに利用されるが、典型的に以下の機能を持つ。
ａ）コンシューマーデータを様々な媒体から収集して、それらをＰＡＳＳデジタルアルバムのＰＡＳＳフォーマットに変換する。
ｂ）ＰＡＳＳディスク上のコンシューマー画像用にメタデータ（日付、キーワードなど）を収集あるいは生成する。
ｃ）ＣＥ機器上で再生可能なスライドショーとして、ＰＡＳＳディスク上にデジタルアルバムを作成する。
ｄ）多くの作成世代の多数のＰＡＳＳディスクから、コンシューマーデータを損失することなく新たなＰＡＳＳディスクを作成する。
ｅ）オプションとして、既存のＤＶＤプレーヤ上で生成することも可能な、短いビデオセグメントを作成する。
２）レシービング・システム
ＰＡＳＳレシービング・システムは最小限、以下の機能を実装する。
ａ）ＰＡＳＳアセットファイルフォーマットをチェックする。
ｂ）ＰＡＳＳデジタルアルバムを読み取り・適切に解釈する。
ｃ）再生コンポーネントあるいはプリント・コンポーネント（少なくともこれらコンポーネントのうちの一つがレシービング・システムに含まれていなければならない）
３）再生コンポーネント
レシービング・システム内の再生コンポーネントは以下の機能を持つ。
ａ）ＰＡＳＳデジタルアルバムを、アルバム・マニフェスト・ファイル及びアセット・リスト・マニフェスト・ファイルに従い表示する。
ｂ）ＰＡＳＳディスク上の多数のＰＡＳＳデジタルアルバム・マニフェスト・ファイルから特定のアルバムを選択する。
ｃ）オプションとして、日付及び／又はキーワードからＰＡＳＳアセットファイルを読み取り、その後そのアセットを表示する。
４）プリント・コンポーネント注文のための画像選択
このコンポーネントは以下の機能を有す。
ａ）プリント注文のために静止ＰＡＳＳアセットファイルを選択する。
以下に列挙するｆｉｇｕｒｅｓがこれらコンポーネントおよびそれらの相互関係を図示する。
【表２】
2008530630.tif 000004
【表３】
2008530630.tif 000005
【表４】
2008530630.tif 000006
【表５】
2008530630.tif 000007
【表６】
2008530630.tif 000008
１．３ＰＡＳＳディスクの論理的な仕様の概略
ディスクの論理的な仕様（ＬＤＳ）は、ファイル構造をサポートする任意の取り外し可能な媒体であることのできる、ＰＡＳＳデジタルアルバムディスクに記録されている論理データ構造を記述する。ＬＤＳは、ＰＡＳＳデジタルアルバムが利用するディレクトリ（コンテナ）を記述する。さらには、デジタルアルバムに記録することができ、ＰＡＳＳオリジネイティングあるいはレシービング・システムにより適切に理解されるファイルの種類を記述している。ユーザが提供するファイルはＰＡＳＳアセットファイルと称される。ＰＡＳＳは、Ｏｐｔｉｃａｌ  Ｓｔｏｒａｇｅ  Ｔｅｃｈｎｏｌｏｇｙ  Ａｓｓｏｃｉａｔｉｏｎ（ＯＳＴＡ）のＭｕｓｉｃＰｈｏｔｏＶｉｄｅｏ仕様（ＭＰＶ）が定義する特有な記述子ファイル（マニフェスト（ｍａｎｉｆｅｓｔｓ））を利用する。これらマニフェスト・ファイルはＸＭＬによりエンコードされている。各アセットファイルに関連付けられた特有のメタデータがマニフェスト内にエンコードされる。
ＬＤＳは特に以下を記述する
ａ）ＰＡＳＳマニフェスト・ファイル（インデックス、プレイリスト、およびアセットリスト）及び関連メタデータ
ｂ）ＰＡＳＳアセットファイルフォーマット
ｃ）ディレクトリ種別及びディレクトリ構造
２．用語定義
アルバム
顧客のアセット集合のこと。
アルバムディレクトリ
プレイリスト・マニフェスト（ｐｌａｙｌｉｓｔ  ｍａｎｉｆｅｓｔｓ）として知られている再生用のマニフェストを含むルートディレクトリの子のディレクトリのこと。
アセットディレクトリ
アセットロールディレクトリ及び共有アセットディレクトリを含むルートディレクトリの子であるディレクトリとして典型的に形成される種類のコンテナのこと。名前は任意である。
アセットＩＤ
ＰＡＳＳアセットファイルの識別子である。典型的に注文をプリントするのに利用される。アセットＩＤは、それを含むアセット・リスト・マニフェスト内の各アセットファイルのタグ＜ｐａｓｓ：ａｓｓｅｔＩＤ＞により与えられる要素の下位４文字で定義される。アセットリストＩＤと共にアセットＩＤが画像ＩＤを構築するために利用される。
アセットリストＩＤ
アセットリストのアセットの識別子であり、典型的にプリント注文の画像を識別する。アセットリストＩＤは、対応するアセット・リスト・マニフェスト内のタグ＜ｐａｓｓ：ａｓｓｅｔｌｉｓｔＩＤ＞により与えられる要素の下位３文字として定義される。アセットＩＤと共にアセットリストＩＤが個々の画像ＩＤを構築するために利用される。
アセット・リスト・マニフェスト・ファイル
含まれているアセットファイルと関連付けられた位置情報及びメタデータを含む特定のＭＰＶマニフェストである。アセット・リスト・マニフェストは、アセットロールディレクトリおよび共有アセットディレクトリ内に配置される。
アセットロールディレクトリ（ＡＲディレクトリ）
ＰＡＳＳアセットファイル（デジタル的に取得されても、フィルムからスキャンされてもよい）を含むディレクトリとして形成されるコンテナの種類である。ＡＲディレクトリのコンテンツは、通常の写真においてはフィルム１巻分の写真に相当する。ＡＲディレクトリはデジタルスチルカメラで媒体の一回の挿入・取り外しの間に取られた写真に対応していてもよい。これはしばしば、「デジタルロール」あるいはＤＣＦディレクトリと称される。
ＢＧＭ
スライドショー提示をするのに利用されるバックグラウンドミュージックのこと。アルバムプレイリストで定義される。
合成（Ｃｏｍｐｏｓｉｔｅ）媒体アセット
これは、一以上の個々のアセットを含む、特殊な種類のアセットのことである。各個々のアセットは、単一のアセット・マニフェスト・ファイルにより参照される。合成媒体アセットはさらに複合（Ｃｏｍｐｏｕｎｄ）媒体アセットと称されねばならない。
表示ディレクトリ
画像表示に適切なように修正された写真画像を含むディレクトリとして典型的に形成されたコンテナの種類である。典型的に各アセットロールディレクトリ内に配置される。
表示用画像ファイル
画像をＣＥ機器に表示する目的でオリジナル静止画像アセットファイルから変換された低解像度の画像ファイルである。表示用画像ファイルは表示ディレクトリ内に配置される。
画像ＩＤ
視聴あるいはプリント目的でユーザに画像選択を可能ならしめるレシービング・システムで構築される識別子のことである。画像ＩＤはアセットリストＩＤ及びアセットＩＤを連結することで生成される。
インデックス・マニフェスト・ファイル
ルートディレクトリ内の特定のＭＰＶマニフェストであり、ＰＡＳＳデジタルアルバム上のＰＡＳＳマニフェスト・ファイルを識別する。名称は「ＰＡＳＳＩＤＸ．ＰＶＭ」である。
マニフェストリンクス（ＭａｎｉｆｅｓｔＬｉｎｋｓ）
ＭａｎｉｆｅｓｔＬｉｎｋｓは、ＰＡＳＳデジタルアルバム内のアルバム・マニフェスト・ファイル及びアセット・リスト・マニフェスト・ファイルを定義するのに利用される。＜ｍｐｖ：ＭａｎｉｆｅｓｔＬｉｎｋ＞は＜ｍｐｖ：ＡｓｓｅｔＬｉｓｔ＞に含まれる。
媒体ＩＤ
ＰＡＳＳデジタルアルバム媒体の識別子であり、ＰＡＳＳインデックス・マニフェスト・ファイルに記述される。
媒体タイトル
ＰＡＳＳＩＤＸ．ＰＶＭファイル内に記述されるユーザフレンドリーな媒体名である。
移行
ＰＡＳＳ媒体一式から新たなＰＡＳＳ媒体に継承のためにアセットファイル全て及び関連メタデータ情報をコピーするプロセスである。生じる媒体は、ＰＡＳＳ仕様の同じあるいはより新しいバージョンで記載される。
オリジナルアセットファイル
ユーザがオリジナルとして作成するアセットファイルである。表示用画像ファイルはこのアセットから得られる。オリジナルアセットファイルは典型的に最も大きなファイルであり、ＣＥ機器上の再生利用には向かない。
オリジネイティング・システム
オリジネイティング・システムは、ＰＡＳＳデジタルアルバムを作成するのに利用される。これは典型的に写真処理ラボあるいはキオスクである。
ＰＡＳＳアセットファイル
コンシューマー提供ファイルである。認識されているアセットの種類は、静止写真、音声付静止写真、パノラマ画像、マルチショット連続画像、音声、及び映画クリップである。
ＰＡＳＳデジタルアルバム
規格に記載されるデータ構造を含むある種の取り外し可能な格納媒体の一般名である。
ＰＡＳＳディスク
ＰＡＳＳデジタルアルバムが記録される物理的媒体である。目下の技術を利用すると、ＰＡＳＳディスクはＣＤあるいはＤＶＤなどの光ディスクの可能性が高い。ＰＡＳＳディスクあるいはＰＡＳＳデジタルアルバムはこの規格に準拠することが保証されている。ＰＡＳＳ媒体も参照のこと。
ＰＡＳＳ媒体
ＰＡＳＳデジタルアルバムが記録されている物理的媒体である。ＰＡＳＳ媒体あるいはＰＡＳＳデジタルアルバムはこの規格に準拠することが保証されている。ＰＡＳＳディスクを参照。
再生コンポーネント
再生コンポーネントはレシービング・システムの一部である。再生コンポーネントはキオスク、ＰＣ、ＤＶＤプレーヤおよびその他のＣＥ機器にＰＡＳＳデジタルアルバムを再生させる。
アルバム・マニフェスト・ファイル
アルバム情報、アセット情報、及び提示情報を含むマニフェスト・ファイル。
プレイリスト（Ｐｌａｙｌｉｓｔ）
ＰＡＳＳデジタルアルバムの特定の再生を記述する命令一式である。このプレイリストはデジタルアルバムで利用される個々のアセットと共に、音楽及びビデオのタイミングを含むことができる。
レシービング・システム
レシービング・システムはＰＡＳＳデジタルアルバムを読むよう設計されたものである。これはキオスク、ＰＣ、ＤＶＤプレーヤ、及びその他のＣＥ機器であってよい。
推奨ディレクトリ構造（ＲＤＳ）
推奨ディレクトリ構造は、この仕様で文書化されている命名取り決めを含む。この推奨に従うことで、コピーおよび移行処理中の抵触が減らされる。
共有ディレクトリ
共有アセットディレクトリを参照。
共有ファイル
音楽あるいは画像などの、一以上のＰＡＳＳデジタルアルバム間で共有されるアセットのことである。共有ファイルは、特定のＰＡＳＳデジタルアルバムディスク上の共通ディレクトリ内に存在する。
共通アセットディレクトリ
ＰＡＳＳ共有ファイルを含むディレクトリとして形成されるコンテナの種類である。アセットディレクトリの配下に位置し、「ＳＨＡＲＥＤ」という名前でなくてはならない。
３．論理ディスクコンポーネント
このセクションでは、ＰＡＳＳディスクを構成する論理コンポーネントの説明をする。
３．１ファイル
３．１．１ＰＡＳＳアセットファイルフォーマット
このセクションでは、ＰＡＳＳディスクの論理的な仕様に対して互換性を持つＰＡＳＳアセットファイルフォーマットを定義する。
この文書内で定義されているＰＡＳＳアセットファイルフォーマット仕様の最も関連するバージョンが、全ての他のＰＡＳＳ仕様でも参照される（ＰＡＳＳオリジネイティング・記録及びＰＡＳＳレシービング・再生仕様参照のこと）。
ＰＡＳＳアセットファイルの例は、
・静止画像ファイル、動画像ファイル、ＤＳＣ、デジタルビデオカメラ・レコーダおよび音声レコーダでキャプチャされる音声ファイル。
・フィルムおよびプリントからスキャンあるいはデジタル化された静止画像ファイル
３．１．１．１静止画像ＰＡＳＳアセットファイル用ファイルフォーマット
静止画像ＰＡＳＳアセットファイルに必須のファイルフォーマットは：
・ＪＰＥＧ圧縮をともなうＥｘｉｆ・ＤＣＦ（Ｅｘｉｆ・ＪＰＥＧ）
３．１．１．２ビデオＰＡＳＳアセットファイル用ファイルフォーマット
ビデオＰＡＳＳアセットファイルに必須のファイルフォーマットは：
・ＡＶＩ
・ＭＯＶ
・ＭＰＥＧ
ビデオＰＡＳＳアセットファイルに利用できるエンコーディングは：
・Ｍｏｔｉｏｎ―ＪＰＥＧ
・ＭＰＥＧ１
・ＭＰＥＧ２
・ＭＰＥＧ４
３．１．１．３音声ＰＡＳＳアセットファイル用ファイルフォーマット
音声ＰＡＳＳアセットファイルに必須のファイルフォーマットは：
・ＭＰ３
・ＷＡＶ
３．１．２システム生成ファイル
ＰＡＳＳデジタルアルバムは幾らかのＭＰＶマニフェストを持つ。これらマニフェストは記述するディレクトリ（コンテナ）に応じて、様々な機能を持つ。
・ＰＡＳＳはＭＰＶ提示プロフィールおよびＭＰＶ基礎プロフィールのサブセットを必須として利用する。
・ＰＡＳＳは追加的な必須の制限を定義する。
・ＰＡＳＳは新たな必須のおよびオプションの要素を定義する。
３．１．２．１概略
ＸＭＬ文書の三つのカテゴリがＰＡＳＳで利用される。これら文書は、ＭＰＶ仕様に準拠しており、「マニフェスト」と呼ばれる。ＰＡＳＳが利用するＭＰＶマニフェストは以下の通りでる：
・インデックス・マニフェスト・ファイル
・アルバム・マニフェスト・ファイル
・アセット・リスト・マニフェスト・ファイル
【表７】
2008530630.tif 000009
３．１．２．２ＰＡＳＳ特有ＸＭＬ要素
ＰＡＳＳは、ＰＡＳＳシステムに固有の特有のＸＭＬ要素を定義する。これらＸＭＬ要素はＰＡＳＳデジタルアルバム（媒体）全体、ＰＡＳＳ媒体内の静止画像及びその他のＰＡＳＳアセット、及びＰＡＳＳデジタルアルバム上に記述されるアルバムに対して適用されるメタデータを記述する。ＰＡＳＳは、一般メタデータ用にＤｕｂｌｉｎ  Ｃｏｒｅ  Ｅｌｅｍｅｎｔ  Ｍｅｔａｄａｔａ  Ｓｅｔ（ＤＣＥＳ）を採用し、静止画像メタデータ用にＤＩＧ３５（あるいはＪＰＥＧ２０００パート２）を採用する。ＤＣＥＳあるいはＤＩＧ３５で定義されない追加的なメタデータはいずれも、ＰＡＳＳ仕様で定義される。このＰＡＳＳ仕様で説明されるのは以下の種類のメタデータである。
・ＰＡＳＳインデックス・マニフェスト・ファイルに記述される、ＰＡＳＳ媒体全体用メタデータ
・ＰＡＳＳアルバム・マニフェストに記述される、ＰＡＳＳデジタルアルバム用メタデータ
・ＰＡＳＳアセット・リスト・マニフェスト・ファイルに記述される、各ＰＡＳＳアセット用メタデータ
３．１．２．３ＰＡＳＳ  ＸＭＬネームスペース
ＰＡＳＳ特有ＸＭＬ要素は、「http://ns.pass-spec.org/PASS/1.0/」として指定される固有のＸＭＬネームスペースを持つ。ＰＡＳＳ特有ＸＭＬ要素に関連するＸＭＬスキーマが存在する。
以下のｔａｂｌｅがＰＡＳＳに関するＸＭｌネームスペース及び接頭辞を定義する。
【表８】
2008530630.tif 000010
３．１．２．４インデックス・マニフェスト・ファイル
３．１．２．４．１概略
ＰＡＳＳインデックス・マニフェスト・ファイルは、ＰＡＳＳシステムのエントリポイントである。ＰＡＳＳデジタルアルバムに関連する各ファイルへのパス情報を含む。ファイルはＰＡＳＳアセット・リスト・マニフェスト・ファイル及びアルバム・マニフェスト・ファイルを含む。インデックス・マニフェストは、ＰＡＳＳデジタルアルバム上の全ての他のＭＰＶマニフェストへの直接参照リンクを含む。
ＰＡＳＳインデックス・マニフェストはさらに、ＰＡＳＳ媒体ＩＤとＰＡＳＳ媒体に関する全てのほかのメタデータを含む。
ＰＡＳＳデジタルアルバム上にはＰＡＳＳインデックス・マニフェスト・ファイルが一つだけなくてはならず、それはＰＡＳＳＩＤＸ．ＰＶＭという固定ファイル名のルートディレクトリ内に配置されねばならない。ＰＡＳＳ媒体のルートディレクトリ中には追加的なファイル及び構造があってもよい。インデックス・マニフェスト・ファイルはＭＰＶマニフェスト・ファイルでなければならない。インデックス・マニフェスト・ファイルのトップの要素は＜ｆｉｌｅ：Ｍａｎｉｆｅｓｔ＞である。
３．１．２．４．２マニフェスト・ファイル命名制限
全てのＰＡＳＳデジタルアルバム中のＰＡＳＳインデックス・マニフェスト・ファイルの名称はＰＡＳＳＩＤＸ．ＰＶＭとして定義される。
３．１．２．４．３ファイルのＸＭＬ要素組成
以下に説明するように、ＰＡＳＳインデックス・マニフェスト・ファイルには三つのコンポーネントがある。
・ＰＡＳＳデジタルアルバム全体用の一般情報メタデータ
・マニフェストへの参照
・アルバム・マニフェスト・ファイル及びアセット・リスト・マニフェスト・ファイルへのＭａｎｉｆｅｓｔＬｉｎｋｓ
【表９】
2008530630.tif 000011
３．１．２．４．３．１ＰＡＳＳデジタルアルバム一般情報メタデータ
このセクションでは、ＰＡＳＳデジタルアルバム用のメタデータについて説明する。ＰＡＳＳデジタルアルバムは一般情報メタデータコンポーネントを一つだけ持たねばならない。
【表１０ａ】
2008530630.tif 000012
【表１０ｂ】
2008530630.tif 000013
３．１．２．４．３．２マニフェストへの参照
このコンポーネントは、ＰＡＳＳデジタルアルバムの各マニフェストへの参照（直接ポインタ）を提供する。
この部分は＜ｍｐｖｐ：Ａｌｂｕｍ＞として表される。インデックス・マニフェストは、一つの＜ｍｐｖｐ：Ｆｏｒｅｇｒｏｕｎｄ＞を持つ＜ｍｐｖｐ：Ａｌｂｕｍ＞を一つだけ含まねばならない。
＜ｍｐｖｐ：Ｆｏｒｅｇｒｏｕｎｄ＞は一以上の＜ｍｐｖｐ：ＡｌｂｕｍＲｅｆ＞および一以上の＜ｍｐｖ：ＭａｎｉｆｅｓｔＬｉｎｋＲｅｆ＞を持たねばならない。
ＰＡＳＳ  ＬＤＳでは、＜ｍｐｖｐ：ＡｌｂｕｍＲｅｆ＞がアルバム・マニフェストへの参照として利用され、＜ｍｐｖ：ＭａｎｉｆｅｓｔＬｉｎｋＲｅｆ＞はアセット・リスト・マニフェストへの参照として利用される。これら参照はさらに、同じインデックス・マニフェスト・ファイルに記述される＜ｍｐｖ：ＭａｎｉｆｅｓｔＬｉｎｋ＞を間接的に参照する。
更に、全てのこれら参照がＰＡＳＳデジタルアルバム内のアセット・リスト・マニフェスト及びアルバム・マニフェストを参照するとしてもよい。
＜ｍｐｖｐ：ＡｌｂｕｍＲｅｆ＞及び＜ｍｐｖ：ＭａｎｉｆｅｓｔＬｉｎｋＲｅｆ＞のみがマニフェストへのＰＡＳＳ参照に定義される。
３．１．２．４．３．３アルバム・マニフェスト及びアセット・リスト・マニフェスト・ファイルへのマニフェストリンク
このコンポーネントは、全てのＰＡＳＳデジタルアルバム・マニフェスト・ファイル及び全てのアセット・リスト・マニフェスト・ファイルのリンクを定義する。
ＰＡＳＳデジタルアルバム内のアルバム・マニフェスト・ファイル及びアセット・リスト・マニフェスト・ファイルは、＜ｍｐｖ：ＭａｎｉｆｅｓｔＬｉｎｋ＞で定義され、これは＜ｍｐｖ：ＡｓｓｅｔＬｉｓｔ＞に含まれる。これらはさらに＜ｍｐｖ：ＭａｎｉｆｅｓｔＬｉｎｋ＞に定義されており、これはマニフェスト・ファイルのパスを持つ。
＜ｍｐｖ：ＭａｎｉｆｅｓｔＬｉｎｋ＞のみがこのコンポーネントで定義される。
３．１．２．５アルバム・マニフェスト・ファイル
３．１．２．５．１概略
アルバム・マニフェスト・ファイルは、ＰＡＳＳデジタルアルバムに対応するアセット参照の集合体を記述する。さらに、アルバム・マニフェスト・ファイルは、ＭＰＶ提示プロフィールのＸＭＬ要素によりＰＡＳＳデジタルアルバムのための提示プログラムを記述している。ＰＡＳＳデジタルアルバムは一以上のアルバム・マニフェスト・ファイルを持つことができる。
３．１．２．５．２デフォルト・アルバム・マニフェスト及びカスタム・アルバム・マニフェスト
アルバム・マニフェストには二種類ある。
３．１．２．５．２．１デフォルト・アルバム・マニフェスト
各ＰＡＳＳアセットロールディレクトリは、一般的な意味においては、ＰＡＳＳアセットファイルを含む任意のディレクトリのことであるが、アルバムディレクトリ内で対応するデフォルト・アルバム・マニフェスト・ファイルをもつ。
３．１．２．５．２．２カスタム・アルバム・マニフェスト
カスタム・アルバム・マニフェストは、ＰＡＳＳアセットをＰＡＳＳデジタルアルバム内にある任意のアセット・リスト・マニフェスト・ファイルから自由に集めることで、作成することができる。
３．１．２．５．３アルバム・マニフェスト・ファイル命名制限
各アセットロールディレクトリに対して生成されるデフォルト・アルバム・マニフェスト・ファイルは、対応するアセットロールディレクトリの名称に等しい、文字列「ＰＬ」が接頭辞として付いたファイル名を持つ。この取り決めは、ＰＡＳＳデジタルアルバム全般において追従される。レガシーシステムが作成するＣＤを元とするＰＡＳＳデジタアルバムはこの取り決めに追従しない（付録Ｃ参照のこと）。
カスタム・アルバム・マニフェスト・ファイルは任意の名称を持つことができる。しかし、名称は、英数字及びアンダーバー文字しか含められない。ファイル名拡張子「．ＰＶＭ」を含めなければならない。
３．１．２．５．４アルバム・マニフェスト・ファイルのＸＭＬ要素組成
アルバム・マニフェスト・ファイルは最小限＜ｄｃ．ｔｉｔｌｅ＞及び＜ｄｃ．ｄａｔｅ＞要素を含む。ＰＡＳＳデジタルアルバムのスライドショー提示についての情報（例えば遷移あるいは期間）は、ＭＰＶ提示プロフィールに記述される情報と同一である。
アルバム・マニフェスト・ファイルは以下の二つのコンポーネントから成る。
・アルバム一般メタデータ
・提示情報
・アルバムに含まれるアセット・リスト・マニフェスト（一又は複数）へのＭａｎｉｆｅｓｔＬｉｎｋｓ
【表１１】
2008530630.tif 000014
３．１．２．５．４．１アルバム
このコンポーネントは、アセットの参照の集合体及び静止・ビデオ・及び音声（ＢＧＭとして）の再生プログラムを記述する。
＜ｍｐｖｐ：Ａｌｂｕｍ＞要素が、ＰＡＳＳデジタルアルバムを記述するのに利用される。このコンポーネント内には、Ｆｏｒｅｇｒｏｕｎｄ及びＢａｃｋｇｒｏｕｎｄ識別子がある。可視的なアセットの参照は、＜ｍｐｖｐ：Ｆｏｒｅｇｒｏｕｎｄ＞に記述される。
再生順序は、このコンポーネント内の記述のアセット順序と同じである。
アルバム・マニフェスト・ファイルの＜ｍｐｖｐ：Ｆｏｒｅｇｒｏｕｎｄ＞及び＜ｍｐｖｐ：Ｂａｃｋｇｒｏｕｎｄ＞で記述されうるアセット参照が以下のｔａｂｌｅに示される。アルバム・マニフェスト・ファイル内には＜ｍｐｖｐ：Ａｌｂｕｍ＞は一つあるべきである。
【表１２】
2008530630.tif 000015
３．１．２．５．４．２アルバム一般メタデータ
この部分は、ＰＡＳＳデジタルアルバムの一般情報のメタデータを記述する。
【表１３ａ】
2008530630.tif 000016
【表１３ｂ】
2008530630.tif 000017
３．１．２．５．４．３提示のための情報
ＰＡＳＳデジタルアルバムの提示は、＜ｍｐｖｐＣｔｒｌ：ＣｏｎｔｒｏｌＰｒｏｐｅｒｔｉｅｓ＞及び＜ｍｐｖｐＴｒａｎｓ：ＴｒａｎｓｉｔｉｏｎＦｉｌｔｅｒ＞を利用して定義することができる。ＭＰＶ提示プロフィール仕様を参照のこと。
３．１．２．５．４．４アセット・リスト・マニフェストへのＭａｎｉｆｅｓｔＬｉｎｋｓ
これは、アセット・リスト・マニフェスト・ファイルを定義する部分である。アセット・リスト・マニフェスト・ファイルは＜ｍｐｖ：ＭａｎｉｆｅｓｔＬｉｎｋ＞として定義され、これは＜ｍｐｖ：ＡｓｓｅｔＬｉｓｔ＞内に含まれる。＜ｍｐｖ：ＭａｎｉｆｅｓｔＬｉｎｋ＞はアセット・リスト・マニフェスト・ファイルのパスを持つ。
一以上のアセット・リスト・マニフェスト・ファイルがＰＡＳＳデジタルアルバムのために定義されてよい。この部分では、＜ｍｐｖ：ＭａｎｉｆｅｓｔＬｉｎｋ＞のみが定義される。
３．１．２．６ＰＡＳＳアセット・リスト・マニフェスト・ファイル
３．１．２．６．１概略
ＰＡＳＳアセット・リスト・マニフェスト・ファイルはアセットロールディレクトリ内にある。一以上のアセットロールディレクトリがＰＡＳＳデジタルアルバム上にあってよい。各アセットロールディレクトリがたった一つのアセット・リスト・マニフェスト・ファイルを持つ。
このマニフェスト・ファイル（アセットリスト）は、ＰＡＳＳ媒体内の全てのＰＡＳＳアセットファイルへのポインタの集合体であり、アセットコンテンツ及び位置を示すメタデータ情報を含む。つまり、アセット・リスト・マニフェストはデータベース内のアセット表として機能する。全てのＰＡＳＳアセット・リスト・マニフェスト・ファイルはＰＡＳＳインデックス・マニフェスト・ファイルからトレースされねばならない。ＰＡＳＳアセット・リスト・マニフェスト・ファイルの表記は、ＭＰＶ１．０１仕様を追従する。ＭＰＶ仕様ではマニフェスト・ファイルに一つだけアセットリストがあることが許される。アセットリストは以下を示すメタデータを持たねばならない。
【表１４ａ】
2008530630.tif 000018
【表１４ｂ】
2008530630.tif 000019
ＰＡＳＳアセット・リスト・マニフェスト・ファイルは、アセットロールディレクトリ配下に各ＰＡＳＳアセットファイルのメタデータを含む。これは、ユーザ入力メタデータ及びＥＸＩＦタグからの既存のメタデータなどを含むことができる。
３．１．２．６．２ＰＡＳＳアセット種類、単純及び複合
単純アセットは単一のアセットからなる（例えば、コンシューマー画像のＥＸＩＦアセットあるいはコンシューマー音声アセットのＷＡＶファイル）。
しかし、コンシューマー・アセットが最初にキャプチャされるときには、キャプチャ機器は一つのキャプチャ・イベントに関わる二つの異なるファイルを作成することがある。この例としては、画像および音声ファイル両方の同時作成が挙げられる。これらファイルは関連ファイル名を持つ共通のディレクトリ内に配置される。ＰＡＳＳシステムは、メタデータ内に記述される特別なアセット（この例では静止および音声）を作成することで、これらファイルの関連を保持する。このような関連はＰＡＳＳ環境においては合成媒体アセットと呼ばれる。
３．１．２．６．２．１単純媒体アセット
アセットは、ＰＡＳＳアセット・リスト・マニフェスト・ファイル内で特定されるアセットが単一のアセットファイルを参照しているとき、単純媒体アセットである。
ＰＡＳＳにおいては、＜ｍｐｖ：Ｓｔｉｌｌ＞＜ｍｐｖ：Ｖｉｄｅｏ＞及び＜ｍｐｖ：Ａｕｄｉｏ＞が単純媒体アセットとして許可されている。これらアセット種類についての詳細はＭＰＶ規格を参照のこと。
【表１５ａ】
2008530630.tif 000020
【表１５ｂ】
2008530630.tif 000021
３．１．２．６．２．２合成（Ｃｏｍｐｏｓｉｔｅ）媒体アセット
合成媒体アセットはＰＡＳＳアセット・リスト・マニフェスト・ファイルにおいて、二以上のファイルを参照することで特定できる。
ＰＡＳＳにおいては、＜ｍｐｖ：ＳｔｉｌｌＷｉｔｈＡｕｄｉｏ＞＜ｍｐｖ：ＳｔｉｌｌＭｕｌｔｉｓｈｏｔＳｅｑｕｅｎｃｅ＞及び＜ｍｐｖ：ＳｔｉｌｌＰａｎｏｒａｍａＳｅｑｕｅｎｃｅ＞が複合（ｃｏｍｐｏｕｎｄ）アセットとして許可されている。これらアセットの詳細についてはＭＰＶ規格を参照のこと。
合成媒体アセットが存在するとき、合成媒体アセット全体に関するメタデータは、合成媒体アセットを識別するＭＰＶ要素にすぐ続くように現れねばならない。
【表１６ａ】
2008530630.tif 000022
【表１６ｂ】
2008530630.tif 000023
３．１．２．６．３アセットのレンディション
アセットのレンディションは、画像ファイル表示に利用されるアセットの派生物である。ＭＰＶ仕様は、一つのアセットの様々な表現が、別のアセット（＜ｍｐｖ：Ｒｅｎｄｉｔｉｏｎ＞で表される「レンディション」と呼ばれる）を利用することで実現できると仮定している。詳細についてはＭＰＶ仕様を参照のこと。ＰＡＳＳはレンディションを、「マスタレンディション」及び「サブレン  ディション」の二種類に分類している。マスタレンディションは、通例オリジナルアセットファイルである。＜ｍｐｖ：Ｓｔｉｌｌ＞の場合、マスタレンディションはデジタルスチルカメラ（ＤＳＣ）が撮像する画像ファイルである。
サブレンディションはマスタレンディションの代替表現であるファイルである。例えば、サブレンディション・ファイルは、マスタレンディション・ファイルから、画面上の表示のために画像の解像度を減らすことで、作ることができる。このような画面レンディションは、通例ＤＳＣが撮像する画像からの低解像度の出力機器を仮定する。
ＰＡＳＳ実装のためには、画面レンディションは定義され利用が推奨される。画面レンディション画像は、アセットロールディレクトリの表示ディレクトリをポピュレートするのに利用される。更なる表示ディスプレイ及び表示用画像ファイル情報については５．２．４を参照のこと。
ＰＡＳＳデジタルアルバムは＜ｍｐｖ：Ｓｔｉｌｌ＞＜ｍｐｖ：ＳｔｉｌｌＷｉｔｈＡｕｄｉｏ＞＜ＳｔｉｌｌＭｕｌｔｉｓｈｏｔＳｅｑｕｅｎｃｅ＞及び＜ｍｐｖ：ＳｔｉｌｌＰａｎｏｒａｍａＳｅｑｕｅｎｃｅ＞が定義するレンディションを持つことができる。ＰＡＳＳに定義されるレンディションは、＜ｍｐｖ：ＳｔｉｌｌＲｅｆ＞によってのみ参照されねばならない。「画面」レンディション種類のみがＰＡＳＳで許可される。
値がゼロでない場合、一つのメタデータ、オリエンテーションがレンディションと関連付けられることが必要となる（３．５．４．１参照）。
【表１７ａ】
2008530630.tif 000024
【表１７ｂ】
2008530630.tif 000025
３．１．２．６．４画像ＩＤ
画像ＩＤはＰＡＳＳ専用として利用されるアセット識別子である。これは、単一のＰＡＳＳデジタルアルバム内の特定のアセットを区別するのに利用される固有ＩＤであり、各アセットについて＜ｐａｓｓ：ａｓｓｅｔｌｉｓｔＩＤ＞＜ｐａｓｓ：ａｓｓｅｔＩＤ＞の属性値から成り、ハイフンでつながれる。アセット・リスト・マニフェストは、以下の規則により動的に生成されて再生コンポーネントに固有画像ＩＤの正確な再生を行わせるので、画像ＩＤを直接リストしない。
１）単一のＰＡＳＳデジタルアルバムに格納されるアセット・リスト・マニフェストの＜ｐａｓｓ：ａｓｓｅｔｌｉｓｔＩＤ＞の下位三桁は、ＰＡＳＳデジタルアルバムでは固有文字列を持つべきである。
２）単一のアセット・リスト・マニフェストに格納されるサブレンディション画像を除く各ＰＡＳＳアセット内の＜ｐａｓｓ：ａｓｓｅｔＩＤ＞の下位四桁は、アセット・リスト・マニフェスト内に固有の文字列を持つべきである。
ＰＡＳＳは、単純媒体アセット及び合成媒体アセット両方に識別子が割り当てられることを要求する。合成媒体アセットの場合、関連アセットのセット全体は、意味のある識別を持たねばならない。合成媒体アセットの一部である単純媒体アセットもまた、固有の識別を持たねばならない。
【表１８】
2008530630.tif 000026
３．１．２．６．５マニフェスト・ファイル命名制限
アセット・リスト・マニフェスト・ファイルの名称は、「．ＰＶＭ」という拡張子を持たねばならない。ＰＡＳＳアセット・リスト・マニフェスト・ファイルは、アセット・リスト・マニフェスト・ファイルがＳＨＡＲＥＤディレクトリ内にある場合以外は、対応するアセットロールディレクトリの名称と同一のファイル名を持たねばならない。この制限はレガシー及び目下の実装両方に適用される。
３．１．２．６．６ファイルのＸＭＬ要素複合
アセット・リスト・マニフェスト・ファイルは一つのコンポーネントからなる。それがアセットリストである。アセットリストは一以上のアセットへのポインタを含む。メタデータはアセット・リスト・マニフェスト・ファイルへ格納、及びそこからアクセスできる。
【表１９】
2008530630.tif 000027
３．１．２．６．６．１アセットリスト内の共通アセット・メタデータ
アセットリストは＜ｍｐｖ：ＡｓｓｅｔＬｉｓｔ＞で表される。アセットリストは多くのアセットへの参照を含むことができる。
しばしば、アセットリスト内のアセットは共通のメタデータ一式を持つ。例えば、カラースペースは、アセットリスト内で共通であってよい。その場合、そのようなメタデータを各アセットで記述するのは冗長である。アセット・リスト・マニフェストは、アセットリストで識別される各アセットに適用されるデフォルトメタデータを含むことができる。
・デフォルトメタデータは、＜ｍｐｖ：ａｓｓｅｔＬｉｓｔ＞に続くよう直接配置できる。
・そのようなメタデータは、アセットリスト内の合成媒体アセットを含む、各アセットに適用されるよう、解釈される。
・ＤＩＧ３５メタデータはアセットリスト内の静止画像アセットに適用される。
・Ｄｕｂｌｉｎ  Ｃｏｒｅメタデータはアセットリスト内の任意のアセットに適用される。
・アセットが、デフォルトと抵触する定義されたメタデータを持つ場合、アセット（ローカル）メタデータがデフォルト値に優先する。
【表２０ａ】
2008530630.tif 000028
【表２０ｂ】
2008530630.tif 000029
３．１．２．６．６．２アセット
様々な種類のアセットが存在する。定義はＭＰＶ仕様に提供される。アセットは単純媒体アセットと合成媒体アセットとに分類分けできる。単純媒体アセット及び合成媒体アセットの説明については３．１．２．８．２を参照されたい。＜ｍｐｖ：ＡｓｓｅｔＬｉｓｔ＞で記述されるアセットは以下のｔａｂｌｅに定義されている。追加的なアセット種類はＰＡＳＳデジタルアルバムでは正しくサポートされない場合がある。
【表２１】
2008530630.tif 000030
３．１．２．６．６．３アセット・メタデータ
以下のメタデータが各アセットに配置される。
【表２２ａ】
2008530630.tif 000031
【表２２ｂ】
2008530630.tif 000032
複合アセットが存在する場合、複合アセット全体に関連するメタデータは該複合アセットを識別するＭＰＶ要素にすぐ続くよう現れる。以下のｔａｂｌｅのメタデータは、静止画像の場合、各アセットに割り当てられる。ＥＸＩＦタグ内に含まれるメタデータは、ＤＩＧ３５マッピング定義（ＤＩＧ３５仕様付録ＶＩ）により静止画像メタデータにマッピングされてもよい。
【表２３ａ】
2008530630.tif 000033
【表２３ｂ】
2008530630.tif 000034
【表２３ｃ】
2008530630.tif 000035
【表２３ｄ】
2008530630.tif 000036
３．２コンテナ種類
一般的にコンテナは、ファイルシステム内のディレクトリに対応するファイル集合体を保持する。ＰＡＳＳディスクの論理的な仕様に準拠するディスクにおいては、コンテナは以下に記載するものと類似した種類のファイルを保持する。幾らかのコンテナはさらに、類似する種類のほかのコンテナを含むこともある。
３．２．１アセットディレクトリ
アセットディレクトリはルートディレクトリの子であり、ＰＡＳＳデジタルアルバムで固有でなければならない。これは、他のコンテナのみを含むか、あるいは同時にアセットロールディレクトリであってよい。このディレクトリが持つことのできる名称例としては、ＡＳＳＥＴＳ，ＤＣＩＭ，ＰＩＣＴＵＲＥＳが挙げられる。
３．２．１．１制限
このディレクトリはアセットロールディレクトリであること、あるいは複数のアセットロールディレクトリを含むことのいずれかが許されており、両方は許されない。
３．２．２アセットロールディレクトリ
アセットロールディレクトリはアセットロールディレクトリの子あるいはそれ自身であり、通例、主には単一巻の写真フィルムをスキャンすることでオリジネイトされるＰＡＳＳアセットファイルを含む。あるいは、このディレクトリは、主にはデジタルキャプチャ機器（ＤＣＤ）からオリジネイトされるＰＡＳＳアセットファイルを含んでもよい。この場合、各アセットロールディレクトリは特定のキャプチャ・セッション、キャプチャ機器の電源投入列、あるいはキャプチャ機器メモリカード取り外し・挿入列に対応している。
このディレクトリは、オリジネイティング・システムのプロフィールに応じて異なる名称をもつことができる。このディレクトリが持つことのできる名称例は、００１ＡＢＣＤＥ、ＡＲ２００４０９２５＿ＡＢＣＤＥＦＧＨ、あるいはＰＩＣＴＵＲＥＳなどである。
３．２．２．１制限
アセットロールディレクトリは、アセットを特定のアセットロールディレクトリに記述するたった一つのアセット・リスト・マニフェスト・ファイルをその内部に持つ。各アセットについてのアセット・リスト・マニフェスト・ファイルは、レンディションディレクトリ内（例えば、ＤＩＳＰＬＡＹディレクトリ）に含まれうる該アセットの派生ファイルを配置する一以上の要素を持つことができる。
３．２．３アルバムディレクトリ
アルバムディレクトリは、アルバムを記述するアルバム・マニフェスト・ファイルを含む、ルートディレクトリの固有の子である。このディレクトリが持つことのできる名称例は、ＡＬＢＵＭＳである。
３．２．３．１制限
アルバムディレクトリは、アルバムを構築するのに利用される一以上のアセット集合体を記述する一以上のプレイリスト・マニフェスト・ファイルを持つことができる。アルバムは、典型的にスライドショーである、関連する提示を持つことができる。
アルバムディレクトリはプレイリスト・マニフェスト・ファイルのみを持たねばならず、このディレクトリにコンシューマー・アセットが含まれるべきではない。
３．２．４表示ディレクトリ
表示ディレクトリは、ＰＡＳＳ再生コンポーネント上の画面表示用に静止画像アセットから得られたファイルを保持するオプションのコンテナである。この趣旨は、静止アセットファイル表示するために再生あるいは表示機器が必要とする処理を最小限にすることである。
３．２．４．１  制限
１）表示ディレクトリの位置
一つの表示ディレクトリは典型的に各アセットロールディレクトリの配下に位置する。表示ディレクトリの名称例は、「Ｄｉｓｐｌａｙ」である（以下のＦｉｇ．１２参照）。
２）表示用画像ファイルのファイルフォーマット
表示用画像ファイルのファイルフォーマットはＪＰＥＧあるいはＥｘｉｆ／ＪＰＥＧである。
３）表示用画像ファイルのカラースペース
表示用画像ファイルのカラースペースはｓＲＧＢである。
４）表示用画像ファイルの解像度
表示用画像ファイルの解像度は、６４０ｘ４８０ピクセル（ＶＧＡ）から１９２０ｘ１０８０ピクセル（ＨＤＴＶ１０８０）であるべきである。
５）表示用画像ファイルの回転情報
オリエンテーションがゼロでない値を持つ場合、アセット・リスト・マニフェスト・ファイルは各表示用画像について回転情報を含む。
【表２４】
2008530630.tif 000037
【表２５ａ】
2008530630.tif 000038
【表２５ｂ】
2008530630.tif 000039
３．２．５共有アセットディレクトリ
このディレクトリ（ＳＨＡＲＥＤ）は、ＡＳＳＥＴＳディレクトリの子である。普通、これは、一以上のアルバムに共通な非ユーザ作成アセットを含む。例えば、スライドショー中にバックグラウンド音楽として利用されるＷＡＶアセットであってよい。他の例としては、スライドショー中に写真フレームとして作用するテンプレート画像ファイルなどが含まれる。このディレクトリの名称例は「ＳＨＡＲＥＤ」を持っていてよい。
３．２．５．１制限
ＳＨＡＲＥＤディレクトリは、自身が含む全ての共有アセットファイルを記述するアセット・リスト・マニフェスト・ファイルを持たねばならない。
４．ディレクトリ及びファイル構造
４．１全体構造
ＰＡＳＳデジタルアルバムは、アセット配置、メタデータのキャプチャ、及びアルバム記述のためにＭＰＶマニフェストを利用する。ＰＡＳＳインデックス・マニフェストはＰＡＳＳデジタルアルバムのルートディレクトリ内に、ＰＡＳＳ媒体上のほかのマニフェスト・ファイルへのエントリポイントとして存在せねばならない。このインデックス・マニフェスト・ファイルはファイルシステムを通じて配置される。
任意のマニフェスト・ファイルがインデックス・マニフェスト・ファイルからトレースできる。全てのＰＡＳＳレシービング・システムは、ルートディレクトリ内のインデックス・マニフェスト・ファイルを参照することで、ＰＡＳＳデジタルアルバム内の全てのマニフェストへアクセスすることができる。同様に、ＰＡＳＳレシービング・システムはマニフェストが記述するコンテンツにアクセスできる。
さらに、ＰＡＳＳインデックス・マニフェスト・ファイルを除いて、媒体上のどの場所にマニフェスト・ファイル及びそれらが記述するコンテンツを配置するかについての必須の制限はない。しかし、この文書（ＰＡＳＳディスクの論理的な仕様）では、この仕様が記述する三つのＰＡＳＳマニフェスト種類が、ＰＡＳＳデジタルアルバムを利用する特定のアプリケーション中にどのように配置されるかを定義する幾らかのプロフィールを説明する。特定のＰＡＳＳオリジネイティング・システムがＰＡＳＳデジタルアルバム上のディレクトリ構造にある制限を持つ可能性はある。その結果、ＰＡＳＳデジタルアルバムの特定の実施形態があり、それらが付録Ｂ―Ｅで簡単に説明されている。
４．２ファイルシステム
ＰＡＳＳ準拠ＤＶＤアプリケーションはＵＤＦファイルシステムを利用する。ＣＤはＩＳＯ  ９６６０ファイルシステムを必要とする。
通例、ファイルシステムは媒体種類により制限を受ける。多くの場合、システム間の互換性を増す目的から任意の媒体上に重複するファイルシステムを持つことが可能である。
これは将来の家庭用電化製品（ＣＥ）に高い互換性を維持する目的から利用が見込まれる。しかし、目下の他のファイルシステム（ＩＳＯ９６６０、Ｊｕｌｉｅｔ、ＨＦＳなど）もまた特定の媒体種類が要求すればサポートが可能である。
４．３推奨ディレクトリ構造の命名取り決め
ＭＰＶマニフェストの利用により、ＰＡＳＳデジタルアルバムは多数のディレクトリ構造を持つことが許される。しかしこの仕様では、将来のＰＡＳＳアプリケーションについて推奨されるディレクトリ構造及び命名教程を記載する「推奨プロフィール」を定義する。
ＰＡＳＳ取り決めは、推奨ディレクトリ構造内のＡＳＣＩＩ及び大文字に命名を制限する。
４．３．１例示推奨ディレクトリ構造
ＰＡＳＳ仕様では、以下の図に図示するように推奨ディレクトリ構造を定義する。
【表２６】
2008530630.tif 000040
４．３．２推奨ディレクトリ構造の命名取り決め
推奨ディレクトリ構造は自身のコンポーネンツに対して幾らかの命名取り決めを持つ。
４．３．２．１ＰＡＳＳインデックス・マニフェスト・ファイル
インデックス・マニフェスト・ファイルの名称は、前に説明したようにＰＡＳＳＩＤＸ．ＰＶＭである。
４．３．２．２アセットディレクトリ
ＰＡＳＳデジタルアルバムが推奨ディレクトリ構造を利用する際、このディレクトリはＡＳＳＥＴＳという固定名を持つとする。
４．３．２．３生成ＩＤ（ＴＵＩＤ）
以下に説明するようにＰＡＳＳデジタルアルバムアセットの命名取り決めでは、Ｔｒｕｎｃａｔｅｄ  Ｕｎｉｖｅｒｓａｌ  Ｉｄｅｎｔｉｆｉｅｒ  ｃｏｍｐｏｎｅｎｔ（ＴＵＩＤ）が八文字ＧＵＩＤとして「０―９」及び「Ａ―Ｚ」を利用して生成される。ＴＵＩＤ生成の推奨アルゴリズムに関しては付録Ａを参照のこと。
４．３．２．４生成日付情報
ＰＡＳＳデジタルアルバムアセットの命名取り決めでは、以下に説明するように、日付は以下のように識別される：
ＹＹＹＹは「０―９」の文字を利用する「年」にあたり、
ＭＭが「月」を表す数であり、「０―９」の文字を利用しており、
ＤＤが日付を表す数であり、「０―９」の文字を利用する。
命名取り決めでは、日付の次には常に「＿」が続く。
４．３．２．５アセットロールディレクトリ
推奨ディレクトリ構造を利用する際には、アセットロールディレクトリは固定文字「ＡＲ」で始まり、ＹＹＹＹＭＭＤＤ＿ＸＸＸＸＸＸＸＸがそれに続く名称を持つとする（４．８．２．３及び４．８．２．４参照）。
日付コンポーネント、ＹＹＹＹＭＭＤＤ、は、アセットロールディレクトリの全てのアセットのうち最新の（最も新しい）ものに対応すべきである。アセットロールディレクトリが空の場合（これは稀である）、日付コンポーネントはアセットロールディレクトリの作成日に対応すべきである。ディレクトリ作成時にはＴＵＩＤを生成すべきである。
アセットロールディレクトリ作成時当初に、同じ日付コンポーネントを持つアセットロールディレクトリが存在する場合、同じ日付を持つアセットロールディレクトリ中で最も大きなＴＵＩＤ値（基（ｒａｄｉｘ）３６で）にインクリメントすることで新たなＴＵＩＤを生成すべきである。アセットロールディレクトリが移行されるとき、多数移行のせいで、二以上のアセットロールディレクトリが同じ日付コンポーネント及びＴＵＩＤを持つ可能性がある。この場合は、衝突がなくまるまで古いＴＵＩＤを一つずつ増やして、新たな固有ＴＵＩＤを利用すべきである。
４．３．２．６ＰＡＳＳアセットファイル
推奨ディレクトリ構造を利用する際には、アセットロールディレクトリ内のＰＡＳＳアセットファイルは固定文字「ＯＲ」で始まり、ＹＹＹＹＭＭＤＤ＿ＸＸＸＸＸＸＸＸがそれに続く名称を持つとする（４．８．２．３及び４．８．２．４参照）。
日付コンポーネント、ＹＹＹＭＭＤＤ、は、ＥＸＩＦタグから抽出された日付に対応すべきであり、もしファイルフォーマットがタグを含まない場合には、ファイル作成日を利用すべきである。
ＴＵＩＤはオリジネイティング・システムがファイル作成時点に生成すべきである。
同じ日付コンポーネントを持つＰＡＳＳアセットファイル（「ＯＲ」接頭辞）が存在する場合、同じ日付を持つＰＡＳＳアセットファイル中で最も大きなＴＵＩＤにインクリメントすることで新たなＴＵＩＤを生成すべきである。ＰＡＳＳアセットファイルがコピーされるとき、二以上のＰＡＳＳアセットファイルが同じ日付コンポーネント及びＴＵＩＤを持つ可能性がある。この場合は、衝突がなくまるまで古いＴＵＩＤを一つずつ増やして、新たな固有ＴＵＩＤを利用すべきである。
４．３．２．７アセットロールディレクトリのアセット・リスト・マニフェスト
推奨ディレクトリ構造を利用する際、アセット・リスト・マニフェスト・ファイルは文字「ＡＳ」で始まり、アセットロールディレクトリと同じ日付コンポーネント及びＴＵＩＤを持つ名称を持つとする。
４．３．２．８アルバムディレクトリ
推奨ディレクトリ構造では、このディレクトリはＡＬＢＵＭＳという唯一許可された名称を持つ。
４．３．２．９デフォルト・アルバム・マニフェスト・ファイル
推奨ディレクトリ構造では、各アセットロールディレクトリについて生成されるデフォルト・プレイリスト・マニフェスト・ファイルは文字「ＰＬ」で始まり、残りの文字がデフォルト・アルバム・マニフェストに対応するアセットロールディレクトリの名称に等しいファイル名を持つとする。
４．３．２．１０カスタム・アルバム・マニフェスト・ファイル
推奨ディレクトリ構造では、生成されるカスタム・プレイリスト・マニフェスト・ファイルは文字「ＰＬ」で始まり、残りの文字が、カスタム・アルバム・マニフェスト・ファイルの作成日に対応する、日付コンポーネントＹＹＹＹＭＭＤＤを持つファイル名を持つとする。日付コンポーネントの後には、文字「＿」と、その後にＴＵＩＤが続く。追加的なオプションの文字がＴＵＩＤの後に続いてもよい（４．８．２．３及び４．８．２．４参照）。
ＴＵＩＤはオリジネイティング・システムがファイル作成時に生成すべきである。同じ日付コンポーネントを持つ別のカスタム・プレイリスト・マニフェスト・ファイルがある場合、同じ日付を持つカスタム・アルバム・マニフェスト・ファイル中で最も大きなＴＵＩＤにインクリメントすることで新たなＴＵＩＤを生成すべきである。
移行するとき、多数移行のせいで、二以上のＰＡＳＳアセットファイルが同じ日付コンポーネント及びＴＵＩＤを持つ可能性がある。この場合は、衝突がなくまるまで古いＴＵＩＤを一つずつ増やして、新たな固有ＴＵＩＤを利用すべきである。
４．３．２．１１共有アセットディレクトリ
ＰＡＳＳ推奨ディレクトリ構造では、このディレクトリはＳＨＡＲＥＤという唯一許可された名称を持つとする。
４．３．２．１２共有アセットファイル
ＰＡＳＳ推奨ディレクトリ構造を利用する際、ＳＨＡＲＥＤディレクトリ内のアセットファイルはこのパターンを追従するファイル名を持つ：
ＳＨＹＹＹＹＭＭＤＤ＿ＸＸＸＸＸＸＸＸ．ＺＺＺ
全てのファイルは固定文字「ＳＨ」で始まり、ＹＹＹＭＭＤＤ＿ＸＸＸＸＸＸＸＸがそれに続く（４．８．２．３及び４．８．２．４参照）。
「ＺＺＺ」はファイルのフォーマットに依存する。
日付コンポーネントＹＹＹＹＭＭＤＤは、ＥＸＩＦタグから抽出された日付に対応すべきであり、もしファイルフォーマットがタグを含まない場合には、ファイル作成日を利用すべきである。ＴＵＩＤはオリジネイティング・システムがファイル作成時点に生成すべきである。同じ日付コンポーネントを持つＰＡＳＳ共有アセットファイル（「ＳＨ」接頭辞）が存在する場合、同じ日付を持つＰＡＳＳ共有アセットファイル中で最も大きなＴＵＩＤにインクリメントすることで新たなＴＵＩＤを生成すべきである。ＳＨＡＲＥＤディレクトリが移行されるとき、多数移行のせいで、二以上のＰＡＳＳ共有アセットファイルが同じ日付コンポーネント及びＴＵＩＤを持つ可能性がある。この場合は、衝突がなくまるまで古いＴＵＩＤを一つずつ増やした後、それを利用すべきである。
４．３．２．１３共有アセット・リスト・マニフェスト
ＰＡＳＳ推奨ディレクトリ構造を利用する際、ＰＡＳＳ共有アセット・リスト・マニフェスト・ファイルは「ＳＨＡＲＥＤ．ＰＶＭ」となる。
４．３．２．１４表示ディレクトリ
推奨ディレクトリ構造では、このディレクトリはＤＩＳＰＬＡＹという唯一許可された名称を持つ。
４．３．２．１５表示用画像ファイル
推奨ディレクトリ構造を利用する際、表示用画像ファイルは文字「ＴＴ」で始まり、対応するオリジナルアセットファイルと同じ日付コンポーネント及びＴＵＩＤを持つ名称を持つ。
４．３．３ディレクトリ構造例
ディレクトリ構造は必要なＭＰＶマニフェスト・ファイルを含む。
４．３．３．１インデックス・マニフェスト・ファイル
【表２７ａ】
2008530630.tif 000041
【表２７ｂ】
2008530630.tif 000042
４．３．３．２アルバム・マニフェスト・ファイル
以下のアルバム・マニフェスト・ファイル例は、静止、ビデオ、及びＳｔｉｌｌＭｕｌｔｉｓｈｏｔＳｅｑｕｅｎｃｅアセットを持つ。さらに、ｍｐｖ：ｆｏｒｅｇｒｏｕｎｄを、ＭＰＶ再生制御メタデータを利用してスライドショー全体に効果が及ぶように設定する。
【表２８ａ】
2008530630.tif 000043
【表２８ｂ】
2008530630.tif 000044
【表２８ｃ】
2008530630.tif 000045
４．３．３．３アセット・リスト・マニフェスト・ファイル
以下の例は、「画面」というレンディションを持つ静止アセットを持つアセット・リスト・マニフェスト・ファイルを示す。アセット・レンディションはこの例では何らメタデータを持たない。この例はさらに、ＳｔｉｌｌＭｕｌｔｉｓｈｏｔＳｅｑｕｅｎｃｅという合成媒体アセットを持つ。
【表２９ａ】
2008530630.tif 000046
【表２９ｂ】
2008530630.tif 000047
【表２９ｃ】
2008530630.tif 000048
【表２９ｄ】
2008530630.tif 000049
【表２９ｅ】
2008530630.tif 000050
４．３．３．４共有アセット・リスト・マニフェスト
共有アセット・リスト・マニフェスト・ファイルの以下の例は、音声アセットを一つ含む。共有ディレクトリ・アセットリストのフォーマットはアセット・リスト・マニフェストと同じである。
【表３０ａ】
2008530630.tif 000051
【表３０ｂ】
2008530630.tif 000052
５．移行
このセクションでは、ＰＡＳＳ準拠システムの移行特徴を説明する。ＰＡＳＳシステムは一以上のＰＡＳＳデジタルアルバム全体の単一の新たなＰＡＳＳデジタルアルバムへの移行を許可する。これはお互い別個なＰＡＳＳデジタルアルバムの一つのＰＡＳＳデジタルアルバムへの効果的な融合である。ＰＡＳＳバージョン１．０システムにおいては、新たなＰＡＳＳデジタルアルバムは各移行に記録される。ＰＡＳＳバージョン１．０システムは既存のＰＡＳＳデジタルアルバムへの情報の付加を許さない。
ＰＡＳＳデジタルアルバム間で異なるディレクトリ構造を持たせることができる。Ｋｏｄａｋ  Ｐｉｃｔｕｒｅ  ＣＤ、ＦＵＪＩＣＯＬＯＲ  ＣＤ、Ｋｏｎｉｃａ  Ｍｉｎｏｌｔａ  Ｈｏｔ  ＡｌｂｕｍがこのようなＰＡＳＳデジタルアルバムの例である。
もしも取り外し可能な格納媒体がこの仕様に記述するように適切に構築されたマニフェストを持てば、準拠ＰＡＳＳデジタルアルバムとして利用できる。ＰＡＳＳ準拠システムが移行を実行する際には、システムは、この仕様で記述する推奨ディレクトリ構造を持つＰＡＳＳデジタルアルバムを作成可能でなければならない。この仕様は送信先媒体が推奨ディレクトリ構造に従っていない場合のコンテンツ移行法については説明していない。
この仕様で記述されるフォーマットを持つアセットファイルのみが移行される。あるＰＡＳＳデジタルアルバムがこの仕様で記述しているもの以外のフォーマットのアセットファイルを持つ場合、そのようなアセットファイルは移行されない場合がある。
ＰＡＳＳデジタルアルバム全体が移行される場合、全てのアルバム・マニフェスト・ファイルが新たなＰＡＳＳデジタルアルバムへ移行される。
５．１移行管理
移行については、送信元ディスクから送信先ディスクへ、四種類のオブジェクト（アセットロールディレクトリ、アルバム・マニフェスト・ファイル、インデックス・マニフェスト・ファイル、及び共有アセットファイル）が移動を考慮される。以下の手順が各オブジェクトに対して典型的である。
１．アセットロールディレクトリのコピー
ａ．送信元のコンテンツをもつ各アセットロールディレクトリを送信先のアセットディレクトリへコピーする。
ｂ．同じ名称を持つアセットが既にディレクトリ内に存在する場合、指定命名取り決めに従って名称を付け替える。
ｃ．送信元ディスクがレガシー製品であり送信先ディスクが推奨ディレクトリ構造を利用している場合、ディレクトリ及びファイル名を必要に応じて修正し、アセット・リスト・マニフェスト・ファイルを更新する。
ｄ．ａｓｓｅｔｌｉｓｔＩＤの下位３文字は送信先ディスク内で固有でなければならない。さもなくば、それらはそのように整えられる。
ｅ．（オプション）送信先で表示用画像ファイルを再度生成する、あるいはもし存在すれば送信元からコピーしてもよい。もし表示用画像ファイルが送信元に存在しない場合には、送信先で生成されねばならない。いずれの場合においても、アセット・マニフェスト・ファイルはチェックして必要に応じて更新せねばならない。
２．共有アセットファイルのコピー
ａ．送信元の全ての共有アセットファイルを送信先のアセットディレクトリへコピーする。
ｂ．同じ名称を持つアセットが既にディレクトリ内に存在する場合、指定命名取り決めにしたがって名称を付け替える。
ｃ．送信元ディスクがレガシー製品であり送信先ディスクが推奨ディレクトリ構造を利用している場合、ファイル名を修正しインデックス・マニフェスト・ファイルを更新する。
ｄ．共有アセット・マニフェスト・ファイルを更新する。
３．アルバム・マニフェスト・ファイルのコピー
ａ．送信元のアルバム・マニフェスト・ファイルを送信先のアルバムディレクトリにコピーする。
ｂ．同じ名称を持つアセットが既にディレクトリ内に存在する場合、指定命名取り決めにしたがって名称を付け替える。
ｃ．送信元ディスクがレガシー製品であり送信先ディスクが推奨ディレクトリ構造を利用している場合、ファイル名を必要に応じて修正しインデックス・マニフェスト・ファイルを更新する。
４．インデックス・マニフェスト・ファイルの更新
ａ．送信元のインデックス・マニフェスト・ファイルを送信先のインデックス・マニフェスト・ファイルへコピーおよび融合する。
ｂ．送信先のインデックス・マニフェスト・ファイルを更新する。
ｃ．送信先にインデックス・マニフェスト・ファイルがない場合、送信元ファイルをコピーして更新する。
６．媒体種類特有制限
リライタブルな媒体はＰＡＳＳデジタルアルバムのマルチインスタンスでサポートされない。オーサリング工程においては、ＰＡＳＳデジタルアルバムへの部分的変更は許可されてはならない。例えば、利用媒体がリライタブルでなくてはならなくても（ＣＤ―ＲＷ、ＤＶＤ―ＲＡＭなど）、ＰＡＳＳデジタルアルバムは完全にコピーされて、新たに消去されたリライタブルな媒体に書き込まれねばならない。
付録Ａ―短縮普遍識別子（ｔｒｕｎｃａｔｅｄ  ｕｎｉｖｅｒｓａｌ  ｉｄｅｎｔｉｆｉｅｒ）生成のための推奨アルゴリズム（参考情報）
推奨ディレクトリ構造において、ＴＵＩＤは以下のように生成されるべきである。
ステップ１：時間情報をオーサリング・システムから取得して、定義するように該時間情報をＨＨ：ＭＭ：ＳＳ．ＣＣで表す：
ＨＨ：時間（ｈｏｕｒ）（０―２３）
ＭＭ：分（０―５９）
ＳＳ：秒（０―５９）
ＣＣ：副秒（ｓｕｂ―ｓｅｃｏｎｄ）（０―９９）
ステップ２：時間コードを以下のように算出する：
Ｔ＝（（ＣＣ＊６０＋ＳＳ）＊６０＋ＭＭ）＊２４＋ＨＨ
ステップ３：ＭＡＣアドレス（あるいは任意の固有コード）から３バイトを取得する
Ｍ：０−（２５６６―１）［２５６］：［２５６］：［２５６］：［２５６］：［２５６］：［２５６］（Ｂ１―Ｂ６）
３番目、５番目、及び６番目のバイトを抽出して、以下のように組み合わせる：
Ｍ＝Ｂ３＊２５６＊２５６＋Ｂ５＊２５６＋Ｂ６
注１：固有コードの別の例には、「機器の製造番号」がある。
注２：Ｂ１−Ｂ３：製造者コード、Ｂ４−Ｂ６：機械コード
ステップ４：固有番号を取得する。
Ｎ＿ＴＵＩＤ＝ｍｏｄ（（Ｔ＋Ｍ＊Ｍｍａｘ），ＴＵＩＤｍａｘ）
ここで、Ｍｍａｘ＝２５６3、ＴＵＩＤｍａｘ＝３６８
ステップ５：ＡＳＣＩＩ文字へ変換する（０―９、Ａ―Ｚ）
（１）基（ｒａｄｉｘ）３６に基づく数字へ変換する。Ｄｉは以下のように算出できる：
Ｄｉ＝ｍｏｄ（ｉｎｔ（Ｎ＿ＴＵＩＤ／３６ｉ），３６）
ここで、Ｄｉ：基（ｒａｄｉｘ）３６でｉ番目の桁数（０−７．ここでＬＳＢ＝０）
（２）以下のｔａｂｌｅを利用してＤｉをＡＳＣＩＩに変換する：
【表３１】
2008530630.tif 000053
付録Ｂ―レガシーディレクトリとファイル構造の相互参照（参考情報）
【表３２】
2008530630.tif 000054
付録Ｃ―Ｋｏｄａｋ  ＰｉｃｔｕｒｅＣＤディレクトリおよびファイル構造（参考情報）
【表３３】
2008530630.tif 000055
付録Ｄ：ＤＣＦおよびＦｕｊｉｆｉｌｍ  Ｆｕｊｉｃｏｌｏｒ  ＣＤディレクトリおよびファイル構造（参考情報）
【表３４】
2008530630.tif 000056
【表３５】
2008530630.tif 000057
付録Ｅ：Ｋｏｎｉｃａ  Ｍｉｎｏｌｔａ  Ｈｏｔ  Ａｌｂｕｍディレクトリおよびファイル構造（参考情報）
可搬式格納プロフィールは、方式およびグローバル固有ＩＤ命名取り決めを持つファイルシステム構造を特定する。ルートディレクトリはＡＳＳＥＴＳ及びＡＬＢＵＭＳディレクトリから成るのが必須である。アセットディレクトリは任意の数のアセットロールディレクトリから成り、アルバムディレクトリは任意の数のアルバム・マニフェスト・ファイルから成る。
【表３６】
2008530630.tif 000058
付録Ｆ：参考文献
以下に二種類の参考文献をリストする。特定の文書（独立した文書あるいはシリーズ内の一文書）は「Ｆｉｘｅｄ」と記載されている。そのシリーズ内の文書のバージョン全てが有益そうなシリーズについては「Ｓｅｒｉｅｓ」と記載されている。以下のリストは、文書あるいはシリーズの、この出版物公開時における最新のバージョンである。
AVI, Microsoft AVI for Windows format is described at:
http://whidbey.msdn.microsoft.com/library/default.asp?url=/library/en-us/directx9_c/directx/htm/avirifffilereference.asp
An unofficial but very detailed description of AVI and CODECs can be found at:
http://www.jmcgowan.com/avi.html
Canon Inc, Eastman Kodak Company, Fuji Photo Film Co., Ltd., Matsushita Electric Industrial Co., Ltd., "DPOF (Digital Print Order Format) Specification Version 1.1", (2000) [Fixed]
Cube Microsystems, "JPEG File Interchange Format, Version 1.02"; (1992) [Fixed].
International Imaging Industry Association, "DIG35 Specification - Metadata for Digital Images, Version 1.1", (2001) [Fixed]
ISO 15836: 2003, Information and documentation - The Dublin Core metadata element set [Fixed]
ISO/IEC 9660:1988, "Information processing - Volume and file structure of CD-ROM for Information Interchange" [Series]
ISO/IEC 11172-2:1993 [MPEG-1] Information technology -- Coding of moving pictures and associated audio for digital storage media at up to about 1,5 Mbit/s -- Part 2: Video " [Series]
ISO/IEC 11172-3:1993 [MPEG-1] "Information technology -- Coding of moving pictures and associated audio for digital storage media at up to about 1,5 Mbit/s -- Part 3: Audio" [Series] 
ISO/IEC 13818-2:2000 [MPEG-2] " Information technology -- Generic coding of moving pictures and associated audio information: Video" [Series]
ISO/IEC 14496-2: 2004 " Information technology -- Coding of audio-visual objects -- Part 2: Visual " [Series]
Japan Electronics and Information Technology Industries Association CP-3461, "Design rule for Camera File System DCF, Version 2.0" (2003) [Series]
Japan Electronics and Information Technology Industries Association JEITA CP-3451, "Exchangeable image file format for digital still cameras: Exif Version 2.2", (2002) [Series]
Japan Electronics and Information Technology Industries Association JEITA CP-3451-1, "Exchangeable image file format for digital still cameras: Exif Version 2.21 (Amendment Ver2.2)", (2003) [Series]
MPEG, Motion Picture Experts Group or ISO/IEC JTC1/SC29 WG11.  See references above. Additional useful links for information on the MPEG specification series can be found at:
http://en.wikipedia.org/wiki/MPEG
MOV, Apple Computer QuickTime movie format described at:
http://developer.apple.com/documentation/QuickTime/FileFormatSpecification-date.html
Optical Storage Technical Association, "MPV Dublin Core-Normalized Metadata Format Profile Specification rev. 1.01" (2003). [Fixed]
Optical Storage Technical Association, "MPV XML Manifest Specification rev. 1.01", (2003). [Fixed]
Optical Storage Technical Association, "MPV Basic Profile Specification rev. 1.01" (2002) [Fixed]
Optical Storage Technical Association, "MPV Core Specification rev. 1.01"; (2003) [Fixed]
Optical Storage Technical Association, "MPV Presentation Profile Specification rev. 1.01"; (2002) [Fixed]
Optical Storage Technical Association, "MPV Normalized Metadata Format Specification rev. 1.01"; (2002) [Fixed]
Optical Storage Technical Association, "Universal Disk Format Specification rev. 2.50"; (2003) [Series]
WAV, Microsoft Waveform Audio File Format for Windows has a good description at this unofficial web site:
http://ccrma.stanford.edu/CCRMA/Courses/422/projects/WaveFormat/
WAV has several other reference documents and sites that may be useful:
"Waveform Audio File Format, Multimedia Programming Interface and Data Specification v1.0", Issued by IBM & Microsoft, 1991.
ftp://ftp.cwi.nl/pub/audio/RIFF-format,
http://keck.ucsf.edu/~jwright/RIFF-format.html,
http://www.seanet.com/HTML/Users/matts/riffmci/riffmci.html
【０１０５】
ピクチャー・アーカイブ・アンド・シェアリング・スタンダード
共同イニシアチブ
富士写真フィルム株式会社、コニカミノルタフォトイメージング株式会社、イーストマンコダック社
バージョン１．００                                                            
オリジネイティング／オーサリング・システムの必要仕様
２００５年３月１７日
（C）２００５年、富士写真フイルム株式会社、コニカミノルタフォトイメージング株式会社、イーストマンコダック社、著作権所有
目次
１  概要・・・・・・・・・・・・・・・・・・・・・・・・・・・・・・・・・・１
１．１  趣旨・・・・・・・・・・・・・・・・・・・・・・・・・・・・・・・１
１．２  対象・・・・・・・・・・・・・・・・・・・・・・・・・・・・・・・１
１．３  用語辞書・・・・・・・・・・・・・・・・・・・・・・・・・・・・・２
１．４  参考文献・・・・・・・・・・・・・・・・・・・・・・・・・・・・・２
２  システム概要・・・・・・・・・・・・・・・・・・・・・・・・・・・・・・２
２．１  システム概要・・・・・・・・・・・・・・・・・・・・・・・・・・・３
３  ＰＡＳＳオリジネイティング／オーサリング・システム概要・・・・・・・・・７
４  Ｏ／Ａシステムへの入力・・・・・・・・・・・・・・・・・・・・・・・・・８
４．１  アセットデータ入力のインターフェース・・・・・・・・・・・・・・・８
４．１．２  入力媒体・装置・・・・・・・・・・・・・・・・・・・・・・・８
４．２  ＰＡＳＳデータのフォーマット・・・・・・・・・・・・・・・・・・・８
４．２．１  静止画・・・・・・・・・・・・・・・・・・・・・・・・・・・８
４．２．２  ムービー・・・・・・・・・・・・・・・・・・・・・・・・・・９
４．２．３  音声・・・・・・・・・・・・・・・・・・・・・・・・・・・・９
４．２．４  その他のアセットファイル・・・・・・・・・・・・・・・・・・９
４．３  複合媒体アセット（ｃｏｍｐｏｓｉｔｅ  ｍｅｄｉａ  ａｓｓｅｔｓ）の作成・編集・・・・・・・・・・・・・・・・・・・・・・・・・・・・・・・・・・９
４．３．１  音声付き静止画・・・・・・・・・・・・・・・・・・・・・・１０
４．３．２  静止画連続撮影シーケンス・・・・・・・・・・・・・・・・・１０
４．３．３  静止画パノラマシーケンス・・・・・・・・・・・・・・・・・１０
５  媒体全体及び各アセットのメタデータ入力・・・・・・・・・・・・・・・・１０
５．１  ストレージ媒体のメタデータ・・・・・・・・・・・・・・・・・・・１０
５．２  各アセットのメタデータ・・・・・・・・・・・・・・・・・・・・１１
５．２．１  静止画アセットのメタデータ・・・・・・・・・・・・・・・・１１
５．２．１．１  Ｅｘｉｆタグからのメタデータ・・・・・・・・・・・・１１
５．２．１．２  非Ｅｘｉｆタグのメタデータ・・・・・・・・・・・・・１３
５．２．２  ビデオと音声のメタデータ・・・・・・・・・・・・・・・・・１５
５．２．３  複合媒体アセットのメタデータ・・・・・・・・・・・・・・・１５
６  データ格納構造・・・・・・・・・・・・・・・・・・・・・・・・・・・・１６
７  アセットリストを作成・編集する・・・・・・・・・・・・・・・・・・・・１７
７．１  アセットリストを定義する・・・・・・・・・・・・・・・・・・・・・１７
７．２  アセットリスト及びアセットメタデータの編集・・・・・・・・・・・１７
７．３  アセットリストマニフェストファイルの作成・・・・・・・・・・・・１７
８  表示用画像・・・・・・・・・・・・・・・・・・・・・・・・・・・・・・１７
９  アルバムを作成・編集する・・・・・・・・・・・・・・・・・・・・・・・１８
９．１  デフォルト及びカスタムアルバム・・・・・・・・・・・・・・・・・１８
９．２  アセットデータを選択する・・・・・・・・・・・・・・・・・・・・１８
９．３  アルバムのメタデータ・・・・・・・・・・・・・・・・・・・・・・１８
９．４  バックグラウンドミュージック・・・・・・・・・・・・・・・・・・１９
９．５  トランジション及びデュレーション・・・・・・・・・・・・・・・・１９
９．６  アルバムマニフェストファイルの作成・・・・・・・・・・・・・・・１９
１０  インデックスマニフェストファイルの作成・・・・・・・・・・・・・・・１９
１１  ビデオアルバム（ＤＶＤビデオ又はビデオＣＤ）・・・・・・・・・・・・１９
１２  マイグレーション・・・・・・・・・・・・・・・・・・・・・・・・・・２０
１３  媒体への書き込み・・・・・・・・・・・・・・・・・・・・・・・・・・２０
Ｆｉｇｕｒｅｓ
Ｆｉｇｕｒｅ１．ＰＡＳＳの特徴・・・・・・・・・・・・・・・・・・・・・・・３
Ｆｉｇｕｒｅ２．ディスクの論理的な仕様の構造・・・・・・・・・・・・・・・・５
Ｆｉｇｕｒｅ３．ＰＡＳＳデジタルアルバムオリジネイティング・システム（キオスク、ミニラボ）・・・・・・・・・・・・・・・・・・・・・・・・・・・・・・・・・５
Ｆｉｇｕｒｅ４．ＰＡＳＳデジタルアルバムレシービング・システム種類１（ＤＶＤプレイヤー）・・・・・・・・・・・・・・・・・・・・・・・・・・・・・・・・・６
Ｆｉｇｕｒｅ５．ＰＡＳＳデジタルアルバムレシービング・システム種類２（プリントキオスク、ミニラボ）・・・・・・・・・・・・・・・・・・・・・・・・・・・・６
Ｆｉｇｕｒｅ６．ＰＡＳＳデジタルアルバムレシービング・システム種類３（ＰＣアプリケーション）・・・・・・・・・・・・・・・・・・・・・・・・・・・・・・・６１  概要
ピクチャー・アーカイブ・アンド・シェアリング・スタンダード（Ｐｉｃｕｔｒｅ  Ａｒｃｈｉｖｅ  ａｎｄ  Ｓｈａｒｉｎｇ  Ｓｔａｎｄａｒｄ）（ＰＡＳＳ）は、以前には容易には又は信頼性を保証できる程度には確立できなかった方法にて、家庭においてデジタル画像を簡単に保存、印刷、再生、及び共有することを可能とするデジタルイメージング産業におけるイニシアチブである。
進歩する技術は、デジタルコンテンツが多くの形態―静止画、ビデオ、音声又は音楽、及びグラフィックス―にて存在することを示す。また、技術によりこれら多様なデジタルフォーマットを編集、複製、合成することが可能となった。また、デジタルスチールカメラ、ＤＶＤプレイヤー、デジタルビデオカメラ、携帯電話等の、異なるデジタルフォーマットを用いる異なる装置が存在する。しかし、ＰＣとは異なり、多くのフォーマットを扱い、再生することに関して、これらの装置は技術的にゆっくりと進歩してはいるが、可能とはなっていない。
ＰＡＳＳの仕様群は、物理媒体上でどのように情報を符号化すれば、あらゆる開発業者からの製品が当該媒体上の情報を解釈することができるかを定義する。ＰＡＳＳにおいてはこれを、アセットの符号化・復号化プロセスを定義し、ＰＡＳＳシステム用の共通ユーザインターフェースの必要仕様を記述することにより達成する。ＰＡＳＳの基本設計概念は、言語やプラットフォームに依存しないオープンなシステム規格に基づいており、異種システム間でも機能できる。
ＰＡＳＳは、ロゴ、商標、及びライセンシングプログラムを有しており、メンバー企業が共通規格を提供し利用できることを保証している。このプログラムにより、メンバー企業は、自らのビジネス上のニーズに対応し、かつ機能性を保証した仕様に準拠した、ＰＡＳＳロゴの存在により消費者に認識される製品を製造することができる。
ＰＡＳＳの仕様を、従来の家庭用写真撮影産業を可能とした、プロセスＣ−４１、標準映写スライド及びカートリッジ構成、ペーパーフォーマット等の規格に喩えることができる。これらの規格がなければ、写真撮影は愛好家のみに限られていたであろう。これらの規格とともに、写真撮影は大成功を収めた、大きな主流の家庭用産業へと成長した。ＰＡＳＳの仕様は、デジタル写真撮影において同等のことを達成することを約束する。
ＰＡＳＳイニシアチブは、家庭用画像・コンテンツを扱い管理するあらゆる企業の参加を引き付け、消費者が今また将来にわたって自らのコンテンツを簡易に楽しむことができるようにするとの約束を履行する。
１  趣旨
本文書においては、ピクチャー・アーカイブ・アンド・シェアリングシステムに適合しＰＡＳＳデジタルアルバム（Ｄｉｇｉｔａｌ  Ａｌｂｕｍ）を作成するＰＡＳＳオリジネイティング／オーサリング・システム（Ｏｒｉｇｉｎａｔｉｎｇ／Ａｕｔｈｏｒｉｎｇ  Ｓｙｓｔｅｍ）（「ＰＡＳＳ  Ｏ／Ｒ」と呼称する）の必要仕様を詳細に記載する。
１．２  対象
本文書は、ＰＡＳＳデジタルアルバムサービス提供者や、キオスク（Ｋｉｏｓｋ）、ミニラボ（ｍｉｎｉ‐Ｌａｂ）、ＰＣアプリケーション等のＰＡＳＳデジタルアルバム作成システムの開発者を読者として想定している。
１．３  用語辞書
用語及び頭字語は、ＰＡＳＳディスクの論理的な仕様（Ｌｏｇｉｃａｌ  Ｄｉｓｃ  Ｓｐｅｃｉｆｉｃａｔｉｏｎ）（ＬＤＳ）の第２項において定義されている。
１．４  参考文献
・ＰＡＳＳディスクの論理的な仕様（ＬＤＳ）
・ＰＡＳＳレシービング／再生システムの必要仕様（Ｒｅｃｅｉｖｉｎｇ／Ｐｌａｙｂａｃｋ  Ｓｙｓｔｅｍ  Ｒｅｑｕｉｒｅｍｅｎｔｓ）
・ＰＡＳＳオーサリング・システムソフトウェア開発キット開発者マニュアル（Ａｕｔｈｏｒｉｎｇ  Ｓｙｓｔｅｍ  Ｓｏｆｔｗａｒｅ  Ｄｅｖｅｌｏｐｍｅｎｔ  Ｋｉｔ  ｄｅｖｅｌｏｐｅｒ'ｓ  ｍａｎｕａｌ）
・ＰＡＳＳホワイト・ペーパー（Ｗｈｉｔｅ  Ｐａｐｅｒ）（２００５年３月）
２  システム概要
ＰＡＳＳはいくつもの特徴を定義する。下表は、ＰＡＳＳシステムの主な特徴を定義している。
簡単に家庭用電化製品（ＣＥ）を用いてスライドショーを見る
今日のＤＶＤプレイヤー、ＰＡＳＳ支援ＤＶＤプレイヤーを簡単に用いて、テレビ、パーソナルコンピュータやその他ＣＥ装置にてスライドショーを再生する。
ＣＥ装置にてプレビューしたプリントを簡単に注文
スライドショーを見ている間に注文したいスライドの番号を確認して下さい。それを注文書に書き加え、近くの写真屋へ処理すべきＰＡＳＳデジタルアルバムとともに注文書を持って行ってください。
プリントキオスクを使って簡単に
ＰＡＳＳ支援プリントキオスクにてＰＡＳＳ印刷注文デジタルアルバムを使って印刷を注文して下さい。
簡単に写真を読み出し
ＰＡＳＳデジタルアルバムにより、加えた日付やキーワードによって画像をすばやく便利に読み出せる。
安全に写真をマイグレーション
多様な媒体フォーマット（たとえば、ＣＤのフォーマット、メモリカード）を、ＤＶＤ等のより大容量のストレージ装置へと統合する。１つのＰＡＳＳデジタルアルバムを、写真の履歴を消さずに（メタデータを維持して）多くのその他のアルバムを組み合わせることにより作成する。
簡単に写真を共有
各写真ごとに加えた日付、場所、イベント、人物名等の情報を消すことなく、ＰＡＳＳデジタルアルバムを他の人々と共有する。
【表３７】
2008530630.tif 000059
２．１  システム概要
ＰＡＳＳシステムは、以下の主要なシステム及びコンポーネントから構成される。
１）オリジネイティング・システム
ＰＡＳＳディスク上にＰＡＳＳデジタルアルバムを作成するために使用されるオリジネイティング・システムは、典型的には以下の機能を備える。
ａ）多様な媒体における消費者のデータを集め、ＰＡＳＳデジタルアルバム内でＰＡＳＳフォーマットに変換する。
ｂ）ＰＡＳＳディスク上にて消費者の画像のメタデータ（日付、キーワード、等）を収集または生成する。
ｃ）ＣＥ装置にて再生可能なスライドショーとして、デジタルアルバムをＰＡＳＳディスク上にて作成する。
ｄ）何世代にも渡る作成作業を通じて消費者データを失うことなく、多くのＰＡＳＳディスクから新しいディスクを作成する。
ｅ）オプションとして、既存のＤＶＤプレイヤーで再生可能な短いビデオセグメントを作成する。
２）レシービング・システム
ＰＡＳＳレシービング・システムは、最小限に以下の機能を実行する。
ａ）ＰＡＳＳアセットファイルのフォーマットの確認。
ｂ）ＰＡＳＳデジタルアルバムを読み、正確に解釈する。
ｃ）再生コンポーネント又は印刷コンポーネント（少なくともこれらコンポーネントの１つがレシービング・システムに含まれていなければならない）。
３）再生コンポーネント
レシービング・システムの再生コンポーネントは、以下の機能を備える。
ａ）アルバムマニフェストファイルやアセットリストマニフェストファイルに従ってＰＡＳＳデジタルアルバムを表示する。
ｂ）ＰＡＳＳディスク上の多数のＰＡＳＳデジタルアルバムマニフェストファイルから特定のアルバムを選択する。
ｃ）オプションとして、日付及び／又はキーワードによりＰＡＳＳアセットファイルを読み出し、アセットを表示する。
４）印刷コンポーネントに注文する画像を選択する
このコンポーネントは、以下の機能を備える。
ａ）静止画ＰＡＳＳアセットを選択して印刷を注文する。
以下の図はこれらのコンポーネント及びそれらの間の相互作用を示す。
【表３８】
2008530630.tif 000060
【表３９】
2008530630.tif 000061
【表４０】
2008530630.tif 000062
【表４１】
2008530630.tif 000063
【表４２】
2008530630.tif 000064
３  ＰＡＳＳオリジネイティング／オーサリング・システム概要
ＰＡＳＳオリジネイティング／オーサリング（Ｏ／Ａ）・システムは、ＰＡＳＳデジアルバムを作成するアプリケーション・システムである。これらは、ミニラボシステム、キオスク、ＰＣアプリケーション等の様々な形態を取ることができる。各Ｏ／Ａシステムにおいては、画像データを読み出す読み出しハードウェア及びＰＡＳＳディスクの論理的な仕様（ＬＤＳ）において定義される通りにＰＡＳＳデジアルバムを書くことのできる書き込みハードウェアが必要である。
・Ｏ／Ａシステムの役割は、以下の機能の管理である。
・アセットの収集、読み出し、一時保存を行う。アセットは、多様なフォーマットの画像ファイル、ムービーファイル、または音楽ファイルである。また、デジタルスチールカメラ（ＤＳＣ）のフラッシュメモリ（ＦｌａｓｈＭｅｍｏｒｙ）カード、従来のフィルムやプリントのスキャナによる入力、光ディスク等、多種の入力媒体がある。
・アセットをＰＡＳＳ準拠フォーマット（たとえば、Ｅｘｉｆ２．２、ＭＰ３）へと符号化または符号変換する。
・メタデータ（日付、タイトル等）を収集又は生成する。必須ではないが、Ｏ／Ａシステムが、ある場面における、誰が、何を、いつ、及びどこで等のメタデータを生成する機能を備えていることが望ましい。この情報は、ダウンストリームでのコンテンツ編成を支援するために使用可能であり、顧客の体験の補強となる。ＤＳＣによる静止画等、いくつかのメタデータ・ソースがある。直接的にＥｘｉｆタグから特定のメタデータ（日付等）を自動的に抽出することができる。その他の、たとえば、アセットやアルバムのタイトル等の場合においては、手入力することが必要な場合もある。本書において、プロセスを効率化し、手入力を減らすための代替的な方法を定義する。
・媒体に置くべきアセットを選択し、それらの位置を決定する。これにより、Ｏ／Ａシステムは、媒体のディレクトリ及びファイル構造や、制御ファイル（アセットファイル位置を含むアセットリストマニフェストファイルを含む）の構造や記述、各アセットのメタデータ等を決定することができる。
・再生する体験を作成する。Ｏ／Ａシステムは、ＣＥ装置又はＰＣにて再生可能なスライドショーを「デジタルアルバム」として作成する。これらのアルバムは、アルバムマニフェストファイルとして実現され、各ファイルには、画像間のトランジション、各画像のデュレーション、バックグラウンドミュージック等の効果を含めることができる。
・マイグレーション活動を支援する。マイグレーションにより、以前のバージョンのＰＡＳＳディスクの論理的な仕様を用いてオーサリングされたＰＡＳＳデジタルアルバムを、新しいバージョンへとマイグレーションすることができる。マイグレーションにより、多数のＰＡＳＳデジタルアルバムを組み合わせて１つの新たなアルバムへとすることもできる。
・スクリーンサイズの画像（レンディション）を作成し、再生のレスポンスを速める（オプション）。
・ＰＡＳＳデジタルアルバムに必要な制御ファイルを生成する。これは、アセットリストマニフェスト、アルバムマニフェスト、及びインデックスマニフェストファイルを含む。媒体のルートディレクトリ内に位置するインデックスマニフェストファイル（ＰＡＳＳＩＤＸ．ＰＶＭ）は、媒体上のＰＡＳＳコンテンツ全体への開始点である。
・ＤＶＤビデオ（ＤＶＤ  Ｖｉｄｅｏ）又はビデオＣＤ（Ｖｉｄｅｏ  ＣＤ）に準拠し、かつ既存のＤＶＤプレイヤーにて再生可能なビデオセグメントを作成する（オプション）。
・ＰＡＳＳコンテンツ画像をＰＡＳＳデジタルアルバムとして、ＣＤ又はＤＶＤ媒体へと書き込む。なお、ＰＡＳＳバージョン１．０においては、既存のＰＡＳＳデジタルアルバムへの部分的変更をサポートしていない。たとえば、ＤＶＤ−ＲＡＭは書き換え可能ではあるが、ＰＡＳＳが既にディスクに書き込まれている場合のマルチセッション書き込みは禁じられている。ＤＶＤ−ＲＡＭを消去して、新たなＰＡＳＳデジタルアルバムによって書き換えることは許可されている。
Ｏ／Ａシステムは実際には２つの別個機能を含む。オリジネイティングアプリケーションと、オーサリングコンポーネントである。オーサリングコンポーネントは、システムの下層の実行を受け持つ。本文書においては、これら２つのコンポーネントを別個に記載せず、両システムを共に、単にオリジネイティング・システム又はＯ／Ａシステムと呼称する。ＰＡＳＳにてサポートしているオーサリングコンポーネントの説明については、「ＰＡＳＳオーサリング・システムソフトウェア開発キット開発者マニュアル」を参照。
４  Ｏ／Ａシステムへの入力
４．１  アセットデータ入力のインターフェース
４．１．２  入力媒体・装置
ＰＡＳＳオリジネイティング・システムは、一般的にユーザが提示するであろう媒体の中の画像ファイルを読み出すための入力装置を備えることが可能でなければならない。ＤＳＣメモリカードが最も一般的な媒体であると想定される。ＤＳＣ用のメモリカードは多種あり、スマートメディア（ＳｍａｒｔＭｅｄｉａ）、コンパクトフラッシュ（ＣｏｍｐａｃｔＦｌａｓｈ）、ＳＤメモリカード、及びメモリスティック（ＭｅｍｏｒｙＳｔｉｃｋ）がある。ミニＳＤ（ｍｉｎｉＳＤ）及びメモリスティックデュオ（ＭｅｍｏｒｙＳｔｉｃｋ  Ｄｕｏ）はカメラ付き携帯電話にて使用される。ＰＡＳＳオリジネイティング・システムは、多様な種類のカードリーダやアダプタを用いて、可能な限り多く種類のストレージ媒体をサポートするべきである。多くの場合、入力媒体として光ディスクも使用される。光ディスクは、レガシー小売サービス業者や、ＰＣを所持するユーザにより書き込まれる。ＣＤ−Ｒ、ＤＶＤ−Ｒ／ＲＷ、ＤＶＤ＋Ｒ／ＲＷ、ＤＶＤ−ＲＡＭ等、多様な光ディスクのフォーマットが存在する。Ｏ／Ａシステムは、可能限り多くのフォーマットをサポートするべきである。写真のネガやプリントを持ち込むユーザ向けには、スキャナが必要である。スキャンによるＰＡＳＳデジタルアルバムの作成はオプションである。ＰＡＳＳ仕様においては写真品質のプリントが要求されており、それゆえこの点はスキャンの画像品質として考慮すべきである。
４．２  ＰＡＳＳデータのフォーマット
４．２．１  静止画
Ｏ／Ａシステムへの入力媒体としての静止画には、必須のフォーマットはない。しかし、マスターレンディション画像及び同一画像のスクリーンレンディションを作成するためには、ＰＡＳＳデジタルアルバム向けの静止画ファイルは、ＪＰＥＧ圧縮されたＥｘｉｆ／ＤＣＳ（Ｅｘｉｆ／ＪＰＥＧ）でなければならない。それゆえ、Ｏ／Ａシステムは、入力された静止画ファイルのフォーマットを確認し、Ｅｘｉｆ／ＪＰＥＧ以外のフォーマットであればこのフォーマットへと変換することが可能でなければならない。
様々なＤＳＣメーカーがＤＳＣのＲＡＷ画像データ用の独自フォーマットを有している。これらのＲＡＷデジタル画像をＥｘｉｆ／ＪＰＥＧへと変換することが可能又は実際的でない場合もある。このような例外的ケースにおいては、ＲＡＷ画像をＰＡＳＳデジタルアルバムに書き込んでもよい。しかし、これによりデジタルアルバムの質が影響されることもあるので、ユーザにはこの変更を告知しなければならい。ＰＡＳＳデジタルアルバムにおいて、Ｅｘｉｆ／ＪＰＥＧファイルの拡張子は「．ｊｐｇ」又は「．ＪＰＧ」である。
４．２．２  ムービー
Ｏ／Ａシステムへの入力媒体としてのムービーのフォーマットは指定されていない。しかし、ＰＡＳＳデジタルアルバム向けのムービーファイルは、Ｍｏｔｉｏｎ  ＪＰＥＧ、ＭＰＥＧ１、ＭＰＥＧ２、又はＭＰＥＧ４でなければならない。Ｏ／Ａシステムはこれらのフォーマットに限定されない。その他のフォーマットが用いられる場合、Ｏ／Ａシステムは、入力をこれらのフォーマットのいずれかに変換しなければならない。これらのフォーマットでのムービーファイルのみがアセットリストマニフェストにて許可される。ＰＡＳＳデジタルアルバムにおいて、ムービーファイルの拡張子は、Ｍｏｔｉｏｎ  ＪＰＥＧについては「．ｍｏｖ」（又は「．ＭＯＶ」）、又は「．ａｖｉ」（又は「．ＡＶＩ」）であり、ＭＰＥＧ１／２／４については「．ｍｐｇ」（又は「．ＭＰＧ」）である。
４．２．３  音声
Ｏ／Ａシステムへの入力媒体としての音声のフォーマットは指定されていないが、ＰＡＳＳデジタルアルバム向けの音声ファイルはＭＰ３又はＷＡＶフォーマットでなければならない。Ｏ／Ａシステムはこれらのフォーマットに限定されない。その他のフォーマットが用いられる場合、Ｏ／Ａシステムは入力をこれらのサポートされたフォーマットのいずれかに変換しなければならない。これらのフォーマットでの音声ファイルのみがアセットリストマニフェストにおいて許可される。ＰＡＳＳデジタルアルバムにおいて、音声ファイルの拡張子は、ＭＰ３については「．ｍｐ３」（又は「．ＭＰ３」）であり、ＷＡＶについては「．ｗａｖ」（又は「．ＷＡＶ」）である。
４．２．４  その他のアセットファイル
Ｏ／Ａシステムは上述の入力フォーマットに限定されない。しかし、これらのフォーマットは、ＰＡＳＳデジタルアルバムのアセットリストマニフェストが含んでよい唯一のアセットファイルである。それゆえ、サポートされていないアセットファイルの種類が用いられる場合には、将来においてＰＡＳＳデジタルアルバムをマイグレーションする際に正確に移動される保証はない。
４．３  複合媒体アセット（ｃｏｍｐｏｓｉｔｅ  ｍｅｄｉａ  ａｓｓｅｔｓ）の作成・編集
オリジネイティング・システムは、音声メモやバーストショット画像（Ｂｕｒｓｔ  Ｓｈｏｔ  Ｉｍａｇｅ）付きの静止画のような、多数のファイルから構成される複合媒体アセットを作成することが可能であるべきである。ＰＡＳＳ仕様は、ＯＳＴＡ  ＭＰＶにて定義される以下の３種の画像データを複合媒体アセットとして含んでいる。
（１）音声付き静止画
静止画ファイル１つと、１（又はそれより多い）の音声ファイル。
（２）静止画連続撮影シーケンス（Ｓｔｉｌｌ  Ｍｕｌｔｉｓｈｏｔ  Ｓｅｑｕｅｎｃｅ）
たとえば、一瞬のような短時間に連続的に撮影された複数（２又はそれより多い）の静止画
（３）静止画パノラマシーケンス（Ｓｔｉｌｌ  Ｐａｎｏｒａｍａ  Ｓｅｑｕｅｎｃｅ）
パノラマを作成する意図にて撮影された複数（２又はそれより多い）の静止画
４．３．１  音声付き静止画
静止画がＤＣＦフォーマットにて入力されれば、オリジネイティング・システムはＤＣＦファイル名に従って自動的に静止画ファイルに関連する音声ファイルの存在を認識してもよい。詳細についてはＤＣＦ仕様を参照。また、Ｅｘｉｆフォーマットの静止画に関して、Ｅｘｉｆの関連音声ファイルタグ（ＲｅｌａｔｅｄＳｏｕｎｄＦｉｌｅ  Ｔａｇ）（４０９６４）にて記述されている音声ファイルであれば、その存在を自動的に認識してよい。これらの入力は、Ｏ／Ａが音声付き静止画アセットを作成するのに十分なデータとなる。ユーザの要望にて音声付き静止画を作成できるように、又は自動プロセス後に音声付き静止画を認証又は修正できるように、オリジネイティング・システムは操作者による手動編集機能を備えるべきである。
４．３．２  静止画連続撮影シーケンス
静止画連続撮影シーケンスは、一般的に、何枚かの静止画をある時間間隔内で連続撮影したことを自動認識するために用いられる情報である。Ｏ／Ａシステムは、各静止画ファイル間の時間間隔に基づいて静止画連続撮影シーケンスアセットを作成することが可能であるべきである。Ｏ／Ａは、その他の方法にて静止画連続撮影シーケンスを作成してもよい。ユーザの要望にて静止画連続撮影シーケンスを作成できるように、自動プロセス後に連続撮影シーケンスを認証又は修正できるように、又は画像コンテンツを目視しつつ静止画連続撮影シーケンスを作成できるように、オリジネイティング・システムは操作者による手動編集機能を備えるべきである。
４．３．３  静止画パノラマシーケンス
パノラマモードにて撮影された何枚かの静止画を自動認識するための業界標準の情報はない。それゆえ、Ｏ／Ａシステムは、操作者による画像コンテンツの判断やユーザの要望に基づいて静止画パノラマシーケンスアセットを作成することが可能であるべきである。Ｏ／Ａは、その他の方法を用いて静止画パノラマシーケンスアセットを作成してもよい。
５  媒体全体及び各アセットのメタデータ入力
５．１  ストレージ媒体のメタデータ
ＰＡＳＳ仕様においては、ＰＡＳＳデジタルアルバムに用いられるストレージ媒体全体のメタデータとして、媒体ＩＤ、作成者（ｏｒｉｇｉｎａｔｏｒ）に関する情報、タイトル、日付、説明がある。媒体メタデータの定義についてはＰＡＳＳディスクの論理的な仕様を参照。
オリジネイティング・システムは、以下の方法（自動又は手動）にて、各メタデータ要素の内容を生成することが可能でなければならない。
これらのメタデータ要素は、ＰＡＳＳディスクの論理的な仕様での定義に従って、ＰＡＳＳインデックスマニフェストファイル（ＰＡＳＳＩＤＸ．ＰＶＭ）内の＜ｍｐｖ：Ｍｅｔａｄａｔａ  ｔａｇ＞（ＰＡＳＳについて）に、又は＜ｎｍｆ：Ｍｅｔａｄａｔａ  ｔａｇ＞（ダブリン・コア（Ｄｕｂｌｉｎ  Ｃｏｒｅ）について）に格納される。
１）媒体ＩＤ（ｐａｓｓ：ｍｅｄｉｕｍＩＤ）。オリジネイティング・システムは、ＰＡＳＳディスクの論理的な仕様に定義するフォーマットに基づいて自動的に媒体ＩＤを生成する。
２）オリジネイティング・システムについての情報（ｐａｓｓ：ｏｒｉｇｉｎａｔｏｒ）。オリジネイティング・システムはその名称、製造者、及びバージョンを記載した文字列を生成する。これらは、一オリジネイティング・システムに固定的な値である。
３）ＰＡＳＳ仕様のバージョン（ｐａｓｓ：ｓｐｅｃｉｆｉｃａｔｉｏｎＶｅｒｓｉｏｎ）。オリジネイティング・システムはＰＡＳＳディスクの論理的な仕様に定義するフォーマットに従って、現在のＰＡＳＳ仕様のバージョンの情報を書き込む。
４）ＰＡＳＳデジタルアルバムのタイトル（ｄｃ：ｔｉｔｌｅ）。これは、オプションでのＰＡＳＳデジタルアルバムのラベルであり、ストレージ媒体そのものの名称等を含む。典型的にはユーザがこのメタデータの文字列を選択する。Ｏ／Ａシステムは、操作者がタイトルを入力することができるようにするべきである。情報が入力されなければ、媒体の作成日を代わりに使用できる。この場合、ＹＹ−ＭＭ−ＤＤフォーマットを使用する。
５）作成日（ｄｃ：ｄａｔｅ）。オリジネイティング・システムはＰＡＳＳデジタルアルバムの作成日を書き込む。＜ｄｃ：ｄａｔｅ＞の型はストリングであるが、＜ｘｓｄ：ｄａｔｅＴｉｍｅ＞の型に従った表記法によって書き込まれる。
６）説明（ｄｃ：ｄｅｓｃｒｉｐｔｉｏｎ）。これは、オプションでのＰＡＳＳデジタルアルバム全体の説明である。ユーザにより選択された文字列があれば、それを入力する。説明としての情報が入力されなければ省略される。
５．２  各アセットのメタデータ
この項においては、オリジネイティング・システムが作成した各アセットについて入力するメタデータについて述べる。これらのメタデータは、デジタルアルバムのアセットリストマニフェストファイルの要素である。それゆえ、オリジネイティング・システムの実施の際に、メタデータの入力・編集、及びアセットリストマニフェストの構成・編集は必ずしも異なるプロセスに分離されない。
５．２．１  静止画アセットのメタデータ
５．２．１．１  Ｅｘｉｆタグからのメタデータ
入力した静止画がＥｘｉｆファイルならば、オリジネイティング・システムがこれらファイルのいくつかのＥｘｉｆタグから内容を抽出してそれに従ってデータフォーマットを変換した後、ファイルはＰＡＳＳ静止画アセットのメタデータとなる。また、オリジネイティング・システムは、メタデータの内容を認証及び修正するために、又はユーザの要望によりメタデータを入力するために、操作者がメタデータを手入力及び編集できるようにするべきである。Ｏ／Ｒは、Ｅｘｉｆタグが欠如している場合に、何らかの方法にて入力すべき情報を自動的に生成する機能を備えてもよい。生成されたメタデータは、ＰＡＳＳディスクの論理的な仕様の定義に従って、ＰＡＳＳアセットリストマニフェストの各静止画アセットについて、ｍｐｖ：ＭＥＴＡＤＡＴＡタグ（ＤＩＧ３５について）又はｎｍｆ：ＭＥＴＡＤＡＴＡタグ（ダブリン・コアについて）に格納される。
１）タイトル（画像タイトル、ｄｃ：ｔｉｔｌｅ）
・Ｅｘｉｆ画像に関して、画像タイトルタグ（２７０）が欠如していなければ、Ｏ／Ａシステムはタグをアセットリストマニフェストにおける静止画アセットのｄｃ：ｔｉｔｌｅへとコピーする。
・Ｏ／Ａシステムは、アセット（アセットリストマニフェスト）のｄｃ：ｔｉｔｌｅを手入力・編集する方法を備えることが可能であるべきである。
・画像タイトルタグ（２７０）が欠如しており、また手入力されるアセットのタイトルが不明であるならば、日付（ＹＹＹＹ−ＭＭ−ＤＤ）または＜ｐａｓｓ：ａｓｓｅｔＩＤ＞の右側４文字で代替すべきである。オリジネイティング・システムは、サブレンディション以外の画像アセットについては、ｄｃ：ｔｉｔｌｅを記入しなければならない。
２）クリエーター（アーティスト、ｄｃ：ｃｒｅａｔｏｒ）
Ｅｘｉｆ画像に関して、アーティストタグ（３１５）が欠如していなければ、オリジネイティング・システムはタグを、アセットリストマニフェストにおける静止画アセットのｄｃ：ｃｒｅａｔｏｒへとコピーする。オリジネイティング・システムは、各静止画アセット（アセットリストマニフェスト）のｄｃ：ｃｒｅａｔｏｒを手入力・編集することが可能であるべきである。
クリエーター名が不明である場合には、オリジネイティング・システムは、この項目に関しては、メタデータを空欄にしてよい。
３）説明（ユーザコメント、ｄｃ：ｄｅｓｃｒｉｐｔｉｏｎ）
・Ｅｘｉｆ画像に関して、ユーザコメントタグ（３７５１０）が欠如していなければ、オリジネイティング・システムはタグを、アセットリストマニフェストにおける静止画アセットのｄｃ：ｄｅｓｃｒｉｐｔｉｏｎへとコピーする。
・Ｏ／Ａシステムは、アセット（アセットリストマニフェスト）のｄｃ：ｄｅｓｃｒｉｐｔｉｏｎを手入力・編集する方法を備えることが可能であるべきである。
内容が不明である場合は、オリジネイティング・システムはｄｃ：ｄｅｓｃｒｉｐｔｉｏｎを空欄にしてよい。
４）日付（原データの生成日時、ｄｃ：ｄａｔｅ）
・Ｅｘｉｆ画像に関して、オリジネイティング・システムはＥｘｉｆでの原データの作成日時（３６８６７）を変換し、アセットリストマニフェストにおける静止画アセットのｄｃ：ｄａｔｅへとコピーしなければならない。
・フィルムをスキャンした画像のように日付情報がない場合には、オリジネイティング・システムはファイル作成日又はスキャンした日付で代替してもよい。Ｏ／Ａシステムは、アセット（アセットリストマニフェスト）のｄｃ：ｄｅｓｃｒｉｐｔｉｏｎを手入力・編集する方法を備えることが可能であるべきである。
・オリジネイティング・システムは、画像アセットのｄｃ：ｄａｔｅを記入しなければならない。＜ｄｃ：ｄａｔｅ＞の型はストリングであるが、＜ｘｓｄ：ｄａｔｅＴｉｍｅ＞の型に従った表記法によって書き込まれる。
５）幅及び高さ（画素のＸ及びＹ寸法、ｄｉｇ３５：ＷＩＤＴＨ／ＨＥＩＧＨＴ）
・Ｅｘｉｆ画像に関して、オリジネイティング・システムは、画素Ｘ／Ｙ寸法タグ（４０９６２／４０９６３）を、アセットリストマニフェストにおける静止画アセットのｄｉｇ３５：ＷＩＤＴＨ及びｄｉｇ３５：ＨＥＩＧＨＴへと転写すべきである。
６）色空間（色空間、ｄｉｇ３５：ＰＲＯＦＩＬＥ＿ＮＡＭＥ）
・Ｅｘｉｆ画像に関して、オリジネイティング・システムは、Ｅｘｉｆの色空間タグ（４０９６１）を、アセットリストマニフェストにおける静止画アセットのｄｉｇ３５：ＰＲＯＦＩＬＥ＿ＮＡＭＥへと転写する。
７）被写体位置（被写体位置、ｄｉｇ３５：ＳＵＢＪＥＣＴ＿ＰＯＳＩＴＩＯＮ）
・Ｅｘｉｆ画像に関して、被写体位置タグ（４１４９２）が欠如していなければ、オリジネイティング・システムはタグを、アセットリストマニフェストにおける静止画アセットのｄｉｇ３５：ＳＵＢＪＥＣＴ＿ＰＯＳＩＴＩＯＮへと転写する。
８）静止画の位置（ＧＰＳ  Ｉｎｆｏ  ＩＦＤ、ｄｉｇ３５：ＣＡＭＥＲＡ＿ＬＯＣＡＴＩＯＮ）
・Ｅｘｉｆ画像に関して、ＧＰＳ  Ｉｎｆｏ  ＩＦＤが存在するならば、オリジネイティング・システムはそれを、アセットリストマニフェストにおける静止画アセットのｄｉｇ３５：ＣＡＭＥＲＡ＿ＬＯＣＡＴＩＯＮへと転写する。
９）方位（方位（Ｏｒｉｅｎｔａｔｉｏｎ）、ｄｉｇ３５：ＲＯＬＬ）
・Ｅｘｉｆ画像に関して、方位タグ（２７４）が欠如していなければ、オリジネイティング・システムはタグを、アセットリストマニフェストにおける静止画アセットのｄｉｇ３５：ＯＲＩＥＮＴＡＴＩＯＮのｄｉｇ３５：ＲＯＬＬへと転写する。
・方位は、画像を再生する際に重要な情報であり、それゆえもしＥｘｉｆタグがなく、又は入力画像がＥｘｉｆでなく、かつ、それが非ゼロ値である場合には、オリジネイティング・システムは情報を手入力しなければならない。オリジネイティング・システムは、方位として、０、９０、１８０、−９０、及び−１８０から値を選択してよい。
・また、オリジネイティング・システムは、アセットリストを生成し、アセットリスト内の画像のサムネイル図を表示することにより画像の方位を入力又は修正することが可能であるべきである。画像の方位を認識することは必ずしも可能ではないので、誤差がある程度は許容される。たとえば、曲芸飛行中の飛行機や眠っている赤ちゃんは、写真撮影者の意図に左右される。
５．２．１．２  非Ｅｘｉｆタグのメタデータ
オリジネイティング・システムは、上述のＥｘｉｆタグからのメタデータに加えて、以下のメタデータを入力・編集する方法を備えるべきである。これは、情報を自動生成する機能であってもよいし、手動のプロセスであってもよい。これらのメタデータは、ＰＡＳＳディスクの論理的な仕様における定義に従って、ＰＡＳＳアセットリストマニフェストの各静止画アセットの＜ｍｐｖ：Ｍｅｔａｄａｔａ  ｔａｇ＞（ＰＡＳＳ及びＤＩＧ３５について）、又は＜ｎｍｆ：Ｍｅｔａｄａｔａ  ｔａｇ＞（ダブリン・コアについて）に格納される。
１）アセットＩＤ（ｐａｓｓ：ａｓｓｅｔＩＤ）
・オリジネイティング・システムは、右側４文字のサブストリングが一アセットリスト内で一意である、８文字のストリングをアセットＩＤに設定しなければならない。
２）お気に入りアセット（ｐａｓｓ：ａｓｓｅｔＦａｖｏｒｉｔｅ）
・オリジネイティング・システムは、各アセットのお気に入り度（ユーザにより定義される）をａｓｓｅｔＦａｖｏｒｉｔｅに設定しなければならない。
３）フォーマット（ｄｃ：ｆｏｒｍａｔ）
・オリジネイティング・システムは、このダブリン・コアのメタデータにおけるファイルフォーマットをＭＩＭＥ型として記述してよい。通常、それは「ｉｍａｇｅ／ｊｐｅｇ」であるべきである。
４）ロケーション（ｄｉｇ３５：ＬＯＣＡＴＩＯＮ）
・これは、撮影場所における個々の被写体の位置に関する情報である。ＤＩＧ３５においては、ロケーションは、画像全体に加えて、人物とイベントの子タグとして埋め込むことができるが、ＰＡＳＳにおいては、画像全体についてのみ埋め込まれる。
・オリジネイティング・システムは、経度・緯度・高度、住所、コメントの３種の指定方法の全てをサポートするべきである。Ｅｘｉｆ  ＧＰＳ  ＩＦＤはカメラの位置情報であり、それゆえ厳密な意味での被写体の位置とはやや異なるが、しかし、Ｅｘｉｆタグに含まれているのであれば、使用することができる。また、オリジネイティング・システムは、ロケーションを自動的に判断するその他の方法を有していてよい。
５）人物説明（ｄｉｇ３５：ＰＥＲＳＯＮ）
これは、画像内の被写体に関する情報である。写真は、一般的に一人より多い被写体を含んでおり、それゆえオリジネイティング・システムは多数の人物の説明を許容すべきである。以下の３種のＤＩＧ３５における人物説明がＰＡＳＳ仕様において用いられる。
・人物名（ｄｉｇ３５：ＰＥＲＳＯＮ＿ＮＡＭＥ）
名であるか又は姓であるかの属性が付属した被写体の名前が含まれる。また、正確な被写体名が知れない場合は、オリジネイティング・システムは画像内の被写体に人物名の代わりに何らかの識別子を付してもよい。この場合、これは名として埋め込まれる。ＤＩＧ３５仕様を参照。
・ポジション（ｄｉｇ３５：ＰＯＳＩＴＩＯＮ）
画像内での被写体の位置である。ＤＩＧ３５に記載のいくつかの指定方法のうち、長方形領域を用いる方法のみがＰＡＳＳ仕様において使用される。オリジネイティング・システムが何らかの方法にて表示用画像上の長方形ポインターのある領域を特定できることが推奨される。Ｏ／Ａが使用してよい位置自動認識のその他の方法があってよい。
・コメント（ｄｉｇ３５：ＣＯＭＭＥＮＴ）
これは画像内の各人物についてのコメントを含んでいる。
６）物体説明（ｄｉｇ３５：ＴＨＩＮＧ）
これは、画像内の物体に関する情報である。物体とは、写真の中の自動車、木、山、その他の人物でない要素であってよい。一般的に、写真は一つより多い物体を含んでおり、それゆえオリジネイティング・システムは多くの物体の説明値を入力するべきである。以下の３種のＤＩＧ３５における説明がＰＡＳＳ仕様において使用される。
・物体名（ｄｉｇ３５：ＮＡＭＥ）
これは、画像内の物体の名前である。オリジネイティング・システムは識別子を物体名として、画像内の物体に付してもよい。
・ポジション（ｄｉｇ３５：ＰＯＳＩＴＩＯＮ）
これは、画像内の物体の位置である。ＤＩＧ３５に記載されたいくつかの指定方法のうち、長方形領域を用いる方法のみがＰＡＳＳ仕様において用いられる。オリジネイティング・システムはなんらかの方法にて表示用画像上の長方形ポインターのある領域を特定することが可能であるべきである。Ｏ／Ａシステムに用いられるその他の領域自動認識方法があってもよい。
・コメント（ｄｉｇ３５：ＣＯＭＭＥＮＴ）
これは、画像内の各物体についてのコメントである。
７）イベント説明（ｄｉｇ３５：ＥＶＥＮＴ）
これは、撮影された画像のイベントについての情報である。オリジネイティング・システムは、一画像について一イベント説明を入力することが可能であるべきである。以下の３種のＤＩＧ３５における説明がＰＡＳＳ仕様において用いられる。
・イベント種別（ｄｉｇ３５：ＥＶＥＮＴ＿ＴＹＰＥ）
これは、遠足、旅行、卒業式、結婚式等の、イベントの種類の情報である。オリジネイティング・システムは、イベント種別を手入力してもよいし、前もって定義されているイベントリストより選択してもよい。何らかの方法にてイベント種別を自動認識してもよい。
・説明（ｄｉｇ３５：ＤＥＳＣＲＩＰＴＩＯＮ）
これは、ユーザにより作成される、「私たちの２００５年春の箱根への遠足」、「２００６年秋、上海への旅行」等の、特定の名前である。
・コメント（ｄｉｇ３５：ＣＯＭＭＥＮＴ）
これは、イベントについてのコメントである。
５．２．２  ビデオと音声のメタデータ
オリジネイティング・システムは、静止画以外のアセットについて以下のメタデータを作成しなければならない。これらは、ＰＡＳＳディスクの論理的な仕様の定義に従って、ＰＡＳＳアセットリストマニフェストの各静止画アセットの、＜ｍｐｖ：Ｍｅｔａｄａｔａ  ｔａｇ＞（ＤＩＧ３５について）に、又は＜ｎｍｆ：Ｍｅｔａｄａｔａ  ｔａｇ＞（ダブリン・コアについて）に格納される。
１）アセットＩＤ（ｐａｓｓ：ａｓｓｅｔＩＤ）
・オリジネイティング・システムは、右側４文字のサブストリングが一アセットリスト内で一意である、８文字のストリングをアセットＩＤに設定しなければならない。
２）タイトル（ｄｃ：ｔｉｔｌｅ）
・オリジネイティング・システムは、サブレンディションの静止画以外のアセットについて、ｄｃ：ｔｉｔｌｅを記入する。
・オリジネイティング・システムは、アセット（アセットリストマニフェスト）のｄｃ：ｔｉｔｌｅを手入力・編集する方法を備えることが可能であるべきである。
・入力すべき情報が不明である場合、日付（ＹＹＹＹ−ＭＭ−ＤＤ）又は＜ｐａｓｓ：ａｓｓｅｔＩＤ＞の右側４文字で代替するべきである。
・オリジネイティング・システムは、アセットのｄｃ：ｄａｔｅを記入する。＜ｄｃ：ｄａｔｅ＞の型はストリングであるが、＜ｘｓｄ：ｄａｔｅＴｉｍｅ＞の型に従った表記法にて書き込まれる。
・日付情報がない場合は、オリジネイティング・システムは、ファイル作成日で代替することができる。
・また、オリジネイティング・システムは、手入力・編集方法を備えるべきである。
３）フォーマット（ｄｃ：ｆｏｒｍａｔ）
・オリジネイティング・システムは、このダブリン・コアのメタデータにおけるファイルフォーマットをＭＩＭＥ型として記述してもよい。
４）説明（ｄｃ：ｄｅｓｃｒｉｐｔｉｏｎ）
・オリジネイティング・システムは、各静止画アセット（アセットリストマニフェスト）のｄｃ：ｄｅｓｃｒｉｐｔｉｏｎを手入力・編集する方法を備えることが可能であるべきである。
５）クリエーター（ｄｃ：ｃｒｅａｔｏｒ）
・オリジネイティング・システムは、各アセットのクリエーター名を設定してよい。
６）アセットのお気に入り（ｐａｓｓ：ａｓｓｅｔＦａｖｏｒｉｔｅ）
・オリジネイティング・システムは、各アセットのお気に入り度をａｓｓｅｔＦａｖｏｒｉｔｅに設定してもよい。
５．２．３  複合媒体アセットのメタデータ
複合媒体アセットの記述は、＜ＳｔｉｌｌＷｉｔｈＡｕｄｉｏ（音声付き静止画）＞、＜ＳｔｉｌｌＭｕｌｔｉｓｈｏｔＳｅｑｕｅｎｃｅ（静止画連続撮影シーケンス）＞、及び＜ＳｔｉｌｌＰａｎｏｒａｍａＳｅｑｕｅｎｃｅ（静止画パノラマシーケンス）＞のような全体記述、及び＜Ｓｔｉｌｌ（静止画）＞や＜Ａｕｄｉｏ（音声）＞等の、全体記述が指し示す各アセットの記述から構成される。全体記述のメタデータは以下のものである。
１）アセットＩＤ（ｐａｓｓ：ａｓｓｅｔＩＤ）
・オリジネイティング・システムは、右側４文字のサブストリングが一アセットリスト内で一意である、８文字のストリングをアセットＩＤに設定しなければならない。
２）タイトル（ｄｃ：ｔｉｔｌｅ）。オリジネイティング・システムは、複合媒体アセットについて、ｄｃ：ｔｉｔｌｅを記入する。
・オリジネイティング・システムは、アセット（アセットリストマニフェスト）のｄｃ：ｔｉｔｌｅを手入力・編集する方法を備えることが可能であるべきである。
・入力すべき情報が不明である場合、日付（ＹＹＹＹ−ＭＭ−ＤＤ）又は＜ｐａｓｓ：ａｓｓｅｔＩＤ＞の右側４文字で代替するべきである。
３）日付（ｄｃ：ｄａｔｅ）
・オリジネイティング・システムは、複合媒体アセットについて、ｄｃ：ｄａｔｅを記入してもよい。＜ｄｃ：ｄａｔｅ＞の型はストリングであるが、＜ｘｓｄ：ｄａｔｅＴｉｍｅ＞の型に従った表記法にて書き込まれる。
・日付情報がない場合は、Ｏ／Ｒは、ファイル作成日で代替することができる。
・オリジネイティング・システムは、手入力・編集方法を備えることが可能であるべきである。
４）説明（ｄｃ：ｄｅｓｃｒｉｐｔｉｏｎ）
・オリジネイティング・システムは、各複合媒体アセットのｄｃ：ｄｅｓｃｒｉｐｔｉｏｎを手入力・編集する方法を備えることが可能であるべきである。
５）クリエーター（ｄｃ：ｃｒｅａｔｏｒ）
・オリジネイティング・システムは、各複合媒体アセットのクリエーター名をクリエーターに設定してもよい。
６）アセットのお気に入り（ｐａｓｓ：ａｓｓｅｔＦａｖｏｒｉｔｅ）
・オリジネイティング・システムは、各複合媒体アセットのお気に入り度をａｓｓｅｔＦａｖｏｒｉｔｅに設定してもよい。
・複合媒体アセットについて、各構成アセットのメタデータはアセットリストマニフェストにおけるそれぞれのアセットの記述へと入力される。
６  データ格納構造
オリジネイティング・システムは、ＰＡＳＳデジタルアルバムのディレクトリ構造として、以下のフォーマットのいずれでも選択することができる。ＣＤについては、コダックピクチャーＣＤフォーマット、ＤＣＦ／フジカラーＣＤフォーマット、又はコニカミノルタホットアルバムフォーマットであり、ＤＶＤについては、ＰＡＳＳ推奨のディレクトリ／ファイル構造である（ＰＡＳＳ論理ディスク構造を参照）。
ＤＶＤの場合、Ｏ／Ａシステムは、ＰＡＳＳ推奨のディレクトリ／ファイル構造をサポートするべきである。また、ＣＤの場合、オリジネイティング・システムは、上記の３種のフォーマットのうち１つ又はそれより多くをサポートするべきである。Ｏ／Ａシステムが多数のフォーマットをサポートする場合、システムは操作者がこれらから選択してＰＡＳＳデジタルアルバムを作成することができるようにすることが可能であるべきである。
オリジネイティング・システムは、新たなＰＡＳＳデジタルアルバムの作成又はマイグレーションを行う際の元媒体として、あらゆるＰＡＳＳ対応媒体を読むことが可能でなければならない。
７  アセットリストを作成・編集する
７．１  アセットリストを定義する
ＤＣＦフォーマットでの入力について、オリジネイティング・システムはファイル群を１つのアセットロールディレクトリ内の１つのＤＣＦフォルダーの中に格納し、入力したＤＣＦフォルダー内のファイル群から１つのアセットリストマニフェストを生成する。
別の場合において、Ｏ／Ａシステムは、ユーザの要望または操作者の判断により１つ、又はそれより多くのアセットロールディレクトリとアセットリストマニフェストを生成する。
アセットリストはアセットリストＩＤ（ｐａｓｓ：ａｓｓｅｔｌｉｓｔＩＤ）を含まなければならない。アセットリストＩＤは、右側３文字のサブストリングが一ＰＡＳＳデジタルアルバム内で一意である、８文字のストリングである。
７．２  アセットリスト及びアセットメタデータの編集
オリジネイティング・システムは、アセットリストマニフェスト及びアセットメタデータを編集することが可能であるべきである。
７．３  アセットリストマニフェストファイルの作成
オリジネイティング・システムは、本文書において概説したアセット及びアセットリスト情報に基づいてアセットロールディレクトリ内の各アセットリストについてアセットリストマニフェストファイルを作成することが可能でなければならない。
８  表示用画像
ＰＡＳＳデジタルアルバムの静止画アセットはＤＳＣや高解像度スキャナからの画像である。これらは通常、今日一般的に使用されているテレビやその他の家庭用装置に表示するには大きすぎる。ＰＡＳＳ仕様においては、原画像（マスターレンディション）に加えて、縮小した表示用画像（又はサブレンディション）を保存してもよい。オリジネイティング・システムは、オプションとしてこの表示用画像を作成し、ＰＡＳＳデジタルアルバム媒体に書き込むことが可能であるべきである。また、表示用画像は、これを表示する装置に従って、複数種の解像度を有してよい。表示用画像は、上述の要件以外に以下の要件を満たさねばならない。
・表示用画像のフォーマットはＥｘｉｆ／ＪＰＥＧ又はＪＦＩＦ／ＪＰＥＧでなければならない。
・表示用画像の色空間は、原画像の色空間に依らずｓＲＧＢである。
・表示用画像は可能な限り写真撮影者の意図に従って方位設定するべきである。
・回転画像についての種々の詳細（センタリングまたはセンタリングなし、調整方法、余白を白埋めする又は黒埋めする、等）は定義しない。
・表示用画像は全ての静止画（マスターレンディション）について作成され、原画像を含んでいるアセットロールディレクトリのサブディレクトリに置かれる。
・表示用画像情報は、親アセットロールディレクトリ内のアセットリストマニフェストの中の静止画アセットのサブレンディションとして書き込まれる。
・アセットリストマニフェスト内の表示用画像についての記述は、方位メタデータが非ゼロ値である場合、それを含む。
・アセットリストマニフェスト内の表示用画像についての記述は、アセットＩＤ、タイトル、日付、フォーマット、及び色空間等のメタデータを含む必要はない。
９  アルバムを作成・編集する
オリジネイティング・システムはＰＡＳＳデジタルアルバムを生成する。
９．１  デフォルト及びカスタムアルバム
オリジネイティング・システムはデフォルトアルバムを生成することが可能でなければならない。また、カスタムアルバムを生成することが可能であるべきである。デフォルトアルバムは各アセットリスト又は各アセットロールディレクトリに対応したアルバムである。オリジネイティング・システムはＰＡＳＳデジタルアルバムにおいてアセットリスト数と同数のデフォルトアルバムを生成する。カスタムアルバムは、ユーザの要望に基づいて生成され、通常各アセットリストからアセットを選択し、新たなデジタルアルバムとしてまとめることにより作成される。
９．２  アセットデータを選択する
オリジネイティング・システムは、ユーザの要望に基づき、各アセットリストからアセットを選択することによりデジタルアルバムを生成することが可能であるべきである。
アセットは、デジタルアルバム、静止画アセット、音声付き静止画アセット、静止画連続撮影シーケンス、静止画パノラマシーケンス、又はムービーアセットにより構成される。これらは全てアルバム再現可能アセットである。その他の、音楽単独のアセット等のアセットは、ＰＡＳＳ仕様においては再現可能であるとは特定されない。
Ｏ／Ａシステムは、各アセットリストについて、全ての用い得る再現可能アセットを用いてデフォルトアルバムを作成する。デフォルトアルバムから、写真をユーザの要望に基づいて削除したり、明らかに下手に撮影された写真を削除したりすることができる。
９．３  アルバムのメタデータ
ＰＡＳＳ仕様においては、デジタルアルバムについてタイトル及び日付のメタデータを生成することは必須である。オリジネイティング・システムは、各アルバムについてこれらを自動生成すること、又はデータを手入力することが可能でなければならない。ユーザにより情報が供給されない場合、Ｏ／Ａシステムは日付情報により新たなタイトルを生成するべきである。この場合、タイトルは
「ＹＹＹＹ．ＭＭ．ＤＤ−ＹＹＹＹ．ＭＭ．ＤＤ」
のようにフォーマットされる。第１の日付は、アルバムマニフェストに含まれるアセットのうち最も初期に、第２の日付は直近に撮影されたものの撮影日である。
更に、たとえばフィルムをスキャンした画像に起こるように、日付情報がない場合、オリジネイティング・システムは、アルバムタイトルとして、たとえば「Ａｌｂｕｍ００１」や「Ａｌｂｕｍ００２」のように、「Ａｌｂｕｍ」及びアルバムの媒体内での順序（「００１」、「００２」）を組み合わせたタイトルを作成してもよい。
その他のメタデータはオプションであるが、しかし、＜ｄｃ：ｄｅｓｃｒｉｐｔｉｏｎ＞によってアルバムに説明を付すことが推奨される。また、Ｏ／Ａシステムはアルバムの＜ｐａｓｓ：ＡｌｂｕｍＦａｖｏｒｉｔｅ＞を入力することが可能であるべきである。
９．４  バックグラウンドミュージック
ＰＡＳＳ仕様において、ＭＰ３又はＷＡＶフォーマットでの音声ファイルは、アルバムのバックグラウンドミュージックとして定義される。オリジネイティング・システムは、１つのアルバムについて１つの音声ファイルを選択し、それをアルバム用に定義することが最小限可能であるべきである。１つのアルバムにつき１つより多い音声ファイルを選択可能である場合、各音声ファイルとアルバム用の各再現可能アセットとの対応関係を定義することが可能であるべきである。
９．５  トランジション及びデュレーション
再生アセット間にトランジションフィルタを定義することができる。
オリジネイティング・システムは、アルバム全体の中の各アセットについてデフォルトのトランジションを定義することが可能であってよい。また、アルバム内での間隔を指定することによりトランジションを変化させることが可能であるべきである。
ＰＡＳＳにおいて使用するトランジションの推奨タイプは、ｂａｒＷｉｐｅ、ｉｒｉｓＷｉｐｅ、ｃｌｏｃｋＷｉｐｅ、及びｓｎａｋｅＷｉｐｅである。これらのトランジションはＭＰＶプレゼンテーションプロファイル仕様（ＭＰＶ  Ｐｒｅｓｅｎｔａｔｉｏｎ  Ｐｒｏｆｉｌｅ  Ｓｐｅｃｉｆｉｃａｔｉｏｎ）１．０１に定義されものと同じである。
ＰＡＳＳ仕様においては、再生時間のデュレーションを定義することができる。オリジネイティング・システムは、各アルバムについてデフォルトのデュレーションを定義することが可能であってもよい。また、アルバム内の各アセットのデュレーションを変える場合、それを個別に定義することが可能であるべきである。
９．６  アルバムマニフェストファイルの作成
オリジネイティング・システムは、本文書において定義したアルバム情報に基づいて、各アルバムについてアルバムマニフェストファイルを作成することが可能でなければならない。
１０  インデックスマニフェストファイルの作成
オリジネイティング・システムは、ストレージ媒体のルートディレクトリ内に置かれ、かつ、「ＰＡＳＳＩＤＸ．ＰＶＭ」と名付けられるべきインデックスマニフェストファイルを作成することが可能でなければならない。
１１  ビデオアルバム（ＤＶＤビデオ又はビデオＣＤ）
オプションとして、オリジネイティング・システムは、アルバムマニフェスト内に定義される各アルバムをムービーに変換して、媒体のビデオセグメント内にビデオＣＤ又はＤＶＤビデオデータとして書き込むことが可能であってよい。ビデオアルバムを作成するにあたっては、以下の条件が理解されなければならない。
・画像品質パラメータ、及びＤＶＤビデオ又はビデオＣＤのバージョンはＰＡＳＳ仕様においては定義されない。
・各アルバムマニフェストに対応するビデオムービーが存在すべきである。
・多数のビデオアルバムから選択するためのメニュー画面が必要である。
・画像ＩＤ（アセットリストＩＤの右側３文字及びアセットＩＤの右側４文字を連結することにより生成される）を画面に重畳してもよい。
・バックグラウンドミュージック、トランジション、及びデュレーション等のその他のエフェクトは定義されない。
１２  マイグレーション
オリジネイティング・システムは、１つ又はそれより多くのＰＡＳＳデジタルアルバムを新たなＰＡＳＳデジタルアルバムへとマイグレーションすることが可能でなければならない。
・マイグレーションの結果としての新たなＰＡＳＳデジタルアルバムは、最新のＰＡＳＳ仕様に準拠しているべきである。
・元の媒体上のアセット及びアルバムについての全てのメタデータを、メタデータ間で一貫性が保たれている限り、移動先のＰＡＳＳデジタルアルバムへとマイグレーションしてもよい。
・オリジネイティング・システムは、全てのアセットリストＩＤの右側３文字のサブストリングが、移動先のＰＡＳＳデジタルアルバム内で一意であるようにせねばならない。
・オリジネイティング・システムは、レガシーＰＡＳＳ  ＣＤ（たとえば、フジカラーＣＤ  ＰＡＳＳ、ピクチャーＣＤ  ＰＡＳＳ、又はホットアルバム）を、ＰＡＳＳ推奨のディレクトリ／ファイル構造のＤＶＤへとマイグレーションすることが可能でなければならない。
・アセットファイルの質はマイグレーション過程で維持されねばならない。将来のＰＡＳＳのバージョンにおいて新たなファイルフォーマットが定義された場合、オリジネイティング・システムは新たなＰＡＳＳのバージョンに基づきアセットファイルを新たなフォーマットへと変換するべきである。
・将来のＰＡＳＳのバージョンにおいて新たな機能が定義された場合、オリジネイティング・システムはそれらを、新たなＰＡＳＳのバージョンに基づき、マイグレーションされたＰＡＳＳデジタルアルバムへと適用してもよい。
・元媒体のＰＡＳＳにより生成されたビデオセグメントはマイグレーションする必要がない。オリジネイティング・システムは、移動先のＰＡＳＳデジタルアルバムにおいてビデオアルバムを新たなアルバムマニフェストから再現することが可能である。
１３  媒体への書き込み
・オリジネイティング・システムは、データを収集し、ディスク画像を作成し、それをＣＤ又はＤＶＤ媒体へと書き込むことが可能でなければならない。
・ＰＡＳＳ仕様バージョン１．０においては、既存のＰＡＳＳデジタルアルバムへの部分的変更は許可されていない。たとえば、ＤＶＤ−ＲＡＭは書き換え可能ではあるが、既存のＰＡＳＳデジタルアルバムを更新することはできない。消去してから書き換えなければならない。この制約によって、オリジネイティング・システムにおいては、媒体の種類がＣＤ−Ｒ、ＤＶＤ−Ｒ／ＲＷ、ＤＶＤ＋Ｒ／ＲＷ等に制限される。
・ＰＡＳＳ仕様バージョン１．０においては、ＰＡＳＳが既にディスクに書き込まれている場合のマルチセッション書き込みは禁じられている。
・オリジネイティング・システムは、書き込みの前に媒体を確認するべきである。
・オリジネイティング・システムは、最も信頼できる方法であると思われる書き込み技術を採用するべきである。
・オリジネイティング・システムは、書き込み後に媒体を認証するべきである。
【０１０６】
ピクチャ・アーカイブ・アンド・シェアリング・スタンダード
（Ｐｉｃｔｕｒｅ  Ａｒｃｈｉｖｅ  ａｎｄ  Ｓｈａｒｉｎｇ  Ｓｔａｎｄａｒｄ）
共同イニシアチブ
富士写真フイルム株式会社、コニカミノルタフォトイメージング株式会社、イーストマン・コダック・カンパニー
バージョン１．０
レシービング／再生システムの必要仕様
２００５年３月１７日
（C）２００５年、富士写真フイルム株式会社、コニカミノルタフォトイメージング株式会社、イーストマンコダック社、著作権所有
目次
１．  概要・・・・・・・・・・・・・・・・・・・・・・・・・・・・・・・・・１
１．１．  目的・・・・・・・・・・・・・・・・・・・・・・・・・・・・・・１
１．２．  対象読者・・・・・・・・・・・・・・・・・・・・・・・・・・・・１
１．３．  用語の定義・・・・・・・・・・・・・・・・・・・・・・・・・・・１
１．４．  参照文献・・・・・・・・・・・・・・・・・・・・・・・・・・・・２
２．  システムの概要・・・・・・・・・・・・・・・・・・・・・・・・・・・・２
２．１．  ＰＡＳＳの主な特徴・・・・・・・・・・・・・・・・・・・・・・・２
２．２．  システムの概要・・・・・・・・・・・・・・・・・・・・・・・・・３
３．  ＰＡＳＳレシービング／再生／プリント選択システムの概要・・・・・・・・７
３．１．  レシービングシステム・・・・・・・・・・・・・・・・・・・・・・７
３．２．  再生コンポーネント・・・・・・・・・・・・・・・・・・・・・・・７
３．３．  画像を選択してプリントを注文するコンポーネント・・・・・・・・・７
４．  ＰＡＳＳレシービングシステムの機能に関する必要仕様・・・・・・・・・・８
４．１．  受け入れ可能なＰＡＳＳデジタルアルバム（Ｄｉｇｉｔａｌ  Ａｌｂｕｍ）かどうか確認・・・・・・・・・・・・・・・・・・・・・・・・・・・・・・・・８
４．１．１．  メディアの種別を認識・・・・・・・・・・・・・・・・・・・８
４．１．２．  ビデオセグメントが存在するかどうか確認（オプション）・・・８
４．１．３．  ＰＡＳＳマニフェスト（ＭＡＮＩＦＥＳＴ）ファイルを確認・・８
４．２．  ＰＡＳＳマニフェストファイルを読み込んで解釈・・・・・・・・・１０
５．  ＰＡＳＳ再生コンポーネントの機能に関する必要仕様・・・・・・・・・・１２
５．１．  ＰＡＳＳコンテンツかビデオセグメントを選択して表示・・・・・・１２
５．１．  ビデオセグメントを再生・・・・・・・・・・・・・・・・・・・・１３
５．２．  ＰＡＳＳアセット（ＡＳＳＥＴ）リストマニフェストファイルに従って、ロードするＰＡＳＳアセットファイルフォーマットを確認・・・・・・・・・・・１３
５．３．  ＰＡＳＳデジタルアルバム内のすべてのアルバム（Ａｌｂｕｍ）の画像を表示・・・・・・・・・・・・・・・・・・・・・・・・・・・・・・・・・・・１４
５．３．１．  アルバムリストを表示・・・・・・・・・・・・・・・・・・１４
５．３．２．  アルバムを選択・・・・・・・・・・・・・・・・・・・・・１５
５．３．３．  インデックス表示によって各アルバムのＰＡＳＳアセットファイルを表示・・・・・・・・・・・・・・・・・・・・・・・・・・・・・・・・・・１５
５．３．４．  スライドショーによって各アルバムのＰＡＳＳアセットファイルを表示・・・・・・・・・・・・・・・・・・・・・・・・・・・・・・・・・・・１８
５．３．５．  アルバムから選択されたＰＡＳＳアセットファイルを１枚ずつ表示・・・・・・・・・・・・・・・・・・・・・・・・・・・・・・・・・・・・２１
５．３．６．  各アセットのメタデータを表示・・・・・・・・・・・・・・２６
５．４．  画像を検索して表示（オプション機能）・・・・・・・・・・・・・２６
５．４．１．  日付に基づいてＰＡＳＳアセットファイルを検索してインデックス表示画面に表示・・・・・・・・・・・・・・・・・・・・・・・・・・・・・・２６
５．４．２．  キーワードに基づいてＰＡＳＳアセットファイルを検索して表示（オプション）・・・・・・・・・・・・・・・・・・・・・・・・・・・・・・・・３０
５．４．３．  所望のレベルに応じてＰＡＳＳアセットファイルを表示（オプション）・・・・・・・・・・・・・・・・・・・・・・・・・・・・・・・・・・・３５
６．  画像を選択してプリントを注文するコンポーネントの機能に関する必要仕様
・・・・・・・・・・・・・・・・・・・・・・・・・・・・・・・・・・・・・３６
６．１．  ＰＡＳＳデジタルアルバムのアルバムのＰＡＳＳアセットファイルを表示・・・・・・・・・・・・・・・・・・・・・・・・・・・・・・・・・・・・３６
６．２．  ＰＡＳＳアセットファイルを検索して表示（オプション機能）・・・３６
６．３．  プリントするＰＡＳＳアセットファイルを選択してプリント枚数を入力・・・・・・・・・・・・・・・・・・・・・・・・・・・・・・・・・・・・３６
６．４．  高解像度アセットと選択方法を対応付ける・・・・・・・・・・・・３８
Ｆｉｇｕｒｅｓ
Ｆｉｇｕｒｅ１  ＰＡＳＳの特徴・・・・・・・・・・・・・・・・・・・・・・・３
Ｆｉｇｕｒｅ２  ディスクの論理的な仕様（ＬＤＳ）の構成・・・・・・・・・・・５
Ｆｉｇｕｒｅ３  ＰＡＳＳデジタルアルバムオリジネイティング（Ｄｉｇｉｔａｌ  Ａｌｂｕｍ  Ｏｒｉｇｉｎａｔｉｎｇ）システム（ショップ、写真現像店）・・・・・５
Ｆｉｇｕｒｅ４  ＰＡＳＳデジタルアルバムレシービングシステム  タイプ１  （ＤＶＤプレーヤー）・・・・・・・・・・・・・・・・・・・・・・・・・・・・・・・６
Ｆｉｇｕｒｅ５  ＰＡＳＳデジタルアルバムレシービングシステム  タイプ２  （プリントショップ、写真現像店）・・・・・・・・・・・・・・・・・・・・・・・・・６
Ｆｉｇｕｒｅ６  ＰＡＳＳデジタルアルバムレシービングシステム  タイプ３  （ＰＣアプリケーション）・・・・・・・・・・・・・・・・・・・・・・・・・・・・・６
Ｆｉｇｕｒｅ７  ＰＡＳＳデジタルアルバムが再生コンポーネントを有するＰＡＳＳレシービングシステムに挿入された場合の処理フローの一例・・・・・・・・・・・・９
Ｆｉｇｕｒｅ８  ＰＡＳＳデジタルアルバムがプリントコンポーネントを有するＰＡＳＳレシービングシステムに挿入された場合の処理フローの一例・・・・・・・・・１０
Ｆｉｇｕｒｅ９  ＰＡＳＳマニフェストファイル間の順序および関係・・・・・・１１
Ｆｉｇｕｒｅ１０  メニュー画面の一例・・・・・・・・・・・・・・・・・・・１３
Ｆｉｇｕｒｅ１１  アルバムボタンの表示の一例・・・・・・・・・・・・・・・１５
Ｆｉｇｕｒｅ１２  インデックス表示画面の一例・・・・・・・・・・・・・・・１８
Ｆｉｇｕｒｅ１３  スライドショー再生画面の一例・・・・・・・・・・・・・・２１
Ｆｉｇｕｒｅ１４  静止画用の個別アセット画面の表示例・・・・・・・・・・・２４
Ｆｉｇｕｒｅ１５  動画／ビデオ画面を有する静止画用の個別アセット画面の表示例・・・・・・・・・・・・・・・・・・・・・・・・・・・・・・・・・・・・２５
Ｆｉｇｕｒｅ１６  マルチショット用の個別のアセット画面の表示例・・・・・・２６
Ｆｉｇｕｒｅ１７  月毎にアセットを検索した場合のインデックス画面の一例・・２９
Ｆｉｇｕｒｅ１８  日付毎にアセットを検索した場合のインデックス画面の一例・３０
Ｆｉｇｕｒｅ１９  キーワードに基づいて検索した場合の表示画面の一例・・・・３５
Ｆｉｇｕｒｅ２０  所望のレベルを選択する場合の画面表示例・・・・・・・・・３６
Ｆｉｇｕｒｅ２１  プリントすべきアセットファイルを選択する場合の画面の一例
・・・・・・・・・・・・・・・・・・・・・・・・・・・・・・・・・・・・・３７
Ｆｉｇｕｒｅ２２  日付毎に検索されたアセットからプリントすべきものを選択する一例・・・・・・・・・・・・・・・・・・・・・・・・・・・・・・・・・・・・３８
Ｆｉｇｕｒｅ２３  高解像度アセットファイルの位置を示すＰＡＳＳ推奨ファイル構造・・・・・・・・・・・・・・・・・・・・・・・・・・・・・・・・・・・・３９
Ｔａｂｌｅｓ
Ｔａｂｌｅ  １  メニュー画面上の機能・・・・・・・・・・・・・・・・・・・１２
Ｔａｂｌｅ  ２  ＰＡＳＳ推奨アセットタイプ・・・・・・・・・・・・・・・・１３
Ｔａｂｌｅ  ３  アルバムボタン上に表示される項目・・・・・・・・・・・・・１４
Ｔａｂｌｅ  ４  インデックス表示画面に表示される項目・・・・・・・・・・・１６
Ｔａｂｌｅ  ５  インデックス表示画面上の機能・・・・・・・・・・・・・・・１６
Ｔａｂｌｅ  ６  スライドショー再生画面上に表示される項目・・・・・・・・・１９
Ｔａｂｌｅ  ７  スライドショー再生画面上の機能・・・・・・・・・・・・・・１９
Ｔａｂｌｅ  ８  アセット個別表示画面上に表示される項目・・・・・・・・・・２２
Ｔａｂｌｅ  ９  個別にアセットを表示する場合の機能・・・・・・・・・・・・２３
Ｔａｂｌｅ  １０  インデックスリスト表示・・・・・・・・・・・・・・・・・２７
Ｔａｂｌｅ  １１  日付毎に検索する場合に表示される項目・・・・・・・・・・２７
Ｔａｂｌｅ  １２  インデックス表示画面上の機能・・・・・・・・・・・・・・２８
Ｔａｂｌｅ  １３  検索機能用に定義されたキーワード用メタデータ・・・・・・３０
Ｔａｂｌｅ  １４  キーワード検索用のアセットのファイル位置・・・・・・・・３２
Ｔａｂｌｅ  １５  キーワードに基づいて検索する場合インデックス画面上に表示される項目・・・・・・・・・・・・・・・・・・・・・・・・・・・・・・・・・・３２
Ｔａｂｌｅ  １６  キーワードに基づいて検索する場合のインデックス表示画面上の機能・・・・・・・・・・・・・・・・・・・・・・・・・・・・・・・・・・・・３４
Ｔａｂｌｅ  １７  選択画面上でプリント注文を入力するための機能・・・・・・３７
１．  概要
ピクチャ・アーカイブ・アンド・シェアリング・スタンダード（ＰＡＳＳ）は、デジタルイメージング産業が率いるイニシアチブで、以前は容易または確実に実施できなかった方法で、消費者がデジタル画像を簡単に保存、プリント、再生および共有できるようにするための規格である。
技術の進歩に従い、デジタルコンテンツの形態が、静止画像、動画、音声または音楽、およびグラフィック等多様化している。また技術革新により、こういった多様なフォーマットのデジタルデータの編集、複製および統合が可能となっている。また、デジタル静止画撮像カメラ、ＤＶＤプレーヤー、デジタルビデオカメラ、および携帯電話などデバイス毎に利用するデジタルフォーマットが異なる。しかし、パソコンとは違って、こういったデバイスは複数の異なるフォーマットに対する対応／再生ができない。そのような技術の発展はゆっくりとしか進んでいない。
ＰＡＳＳ仕様書では、物理メディア上で情報をエンコードする方法を定義し、すべての参加企業の製品を、当該メディア上の情報を理解できるように構成する。具体的にＰＡＳＳでは、アセットのエンコード処理およびデコード処理を定義し、ＰＡＳＳシステムに共通したユーザインタフェースの必要仕様を記述している。ＰＡＳＳアーキテクチャは、言語やプラットフォームでは限定されないオープンシステム規格に基づいて構成され、異種システムでも機能することができる。
ＰＡＳＳに関しては、参加企業による共通規格の売却や利用を可能とするべく、ロゴ、商標およびライセンスプログラムを設ける。このようなプログラムに基づき、参加企業はそれぞれの事業に関連する需要に応じ、機能性が保証された仕様に従った、ＰＡＳＳのロゴがあることによって消費者がそれと認識できる製品を生産できるようになる。
ＰＡＳＳの仕様を、従来の家庭用写真産業を支えてきた規格（プロセスＣ−４１（ＰｒｏｃｅｓｓＣ−４１）、フィルムストリップおよびカートリッジから成る標準的な構造、紙のフォーマット等）と比較することもできる。こういった規格が生まれなければ、写真は愛好家のものだけにとどまっていたであろう。これらの規格があってこそ、写真産業は大きな市場を持つ非常に成功した主要な消費者産業へと成長してきたのである。ＰＡＳＳの仕様は、デジタル写真産業に対して上記の規格と同様の効果を持つものである。
ＰＡＳＳイニシアチブでは、現在そして将来にわたって消費者が簡単にコンテンツを楽しむことができるように、一般向け画像／コンテンツを扱ったり管理している企業すべてからの参加を歓迎する。
１．１  目的
この文献では、ピクチャ・アーカイブ・アンド・シェアリング・システム（Ｐｉｃｔｕｒｅ  Ａｒｃｈｉｖｅ  ＆  Ｓｈａｒｉｎｇ  Ｓｙｓｔｅｍ）に対応しておりＰＡＳＳデジタルアルバム（Ｄｉｇｉｔａｌ  Ａｌｂｕｍ）を受信および再生する、ＰＡＳＳレシービング／再生システムの必要仕様を詳細に説明する。
１．２  対象読者
以下の分野で開発に従事しているソフトウェア開発者を対象としている：
ＰＡＳＳデジタルアルバムを受信および再生する、ＤＶＤプレーヤー等の家庭用電化製品（ＣＥ）デバイス
ＰＡＳＳデジタルアルバムを受信することができて、プリントする画像をその中から選択できる写真現像店やショップ等の写真産業用のアプリケーションソフトウェア
家庭用アプリケーションソフトウェア、例えばビューワアプリケーション
１．３  用語の定義
ＰＡＳＳの完全な用語集については、ＰＡＳＳディスクの論理的な仕様（Ｌｏｇｉｃａｌ  Ｄｉｓｃ  Ｓｐｅｃｉｆｉｃａｔｉｏｎ：ＬＤＳ）のセクション２を参照されたい。
１．４  参照文献
ＰＡＳＳディスクの論理的な仕様（ＬＤＳ）
ＰＡＳＳオリジネイティング／オーサリングシステムの必要仕様
ＰＡＳＳオーサリングシステムソフトウェア開発キット開発者用マニュアル
ＰＡＳＳホワイトペーパー（２００５年３月）
参照文献を網羅したリストに関しては、ＰＡＳＳディスクの論理的な仕様（ＬＤＳ）の添付書類Ｆを参照されたい。
２．  システムの概要
２．１  ＰＡＳＳの主な特徴
ＰＡＳＳでは数多くの特徴が定義されている。ＰＡＳＳシステムの主な特徴を以下に示す。
簡単に家庭用電化製品（ＣＥ）デバイスを利用してスライドショーを見る
簡単に現在のＤＶＤプレーヤーやＰＡＳＳ対応のＤＶＤプレーヤーを用いて、テレビ、パソコン等のＣＥデバイスで写真のスライドショーを再生
ＣＥデバイスでプレビューしてプリントを簡単に注文
スライドショーを見ている間に注文したいスライド番号をチェック。そのスライド番号を写真注文シートに追加する。
対象のＰＡＳＳデジタルアルバムと一緒に、プリント注文を近くの写真ショップに持っていく。
どのプリントショップでも簡単にプリントを注文
ＰＡＳＳデジタルアルバムを利用して、ＰＡＳＳ対応のプリントショップであればどこでもプリントを注文できる。
簡単に写真を検索
ＰＡＳＳデジタルアルバムを利用することによって、日付や自分で選んだキーワードに基づいて画像を短時間で簡単に検索できる。
写真を安全に移行
様々なメディアのフォーマット（例えば、ＣＤ、メモリカード等）を、新型で容量のより大きいストレージデバイス（例えばＤＶＤ）にまとめる。
写真の履歴を失うことなく（メタデータを維持しつつ）多くの別のメディアをまとめて１つのＰＡＳＳデジタルアルバムを作成する。
写真を容易に共有
それぞれの写真に書き加えた日付や場所、イベント、人物の名前等の情報を失うことなく、ＰＡＳＳデジタルアルバムを他者と共有する。
【表４３】
2008530630.tif 000065
２．２  システムの概要
ＰＡＳＳシステムは主に、以下に挙げるシステムおよびコンポーネントから構成されている。
（１）オリジネイティングシステム
ＰＡＳＳデジタルアルバムをＰＡＳＳディスクに作成するオリジネイティングシステムは通常以下の機能を有する：
（ａ）  様々なメディアから消費者のデータを取得して、ＰＡＳＳデジタルアルバムでＰＡＳＳフォーマットに変換する。
（ｂ）  ＰＡＳＳディスク上の消費者の画像についてメタデータ（日付、キーワード等）を取得／生成する。
（ｃ）  ＰＡＳＳディスクに、ＣＥデバイスで再生可能なスライドショーとして、デジタルアルバムを作成する。
（ｄ）  複数のＰＡＳＳディスクから新たな１枚のＰＡＳＳディスクを作成する。これを消費者のデータを失うことなく何世代にもわたって繰り返す。
（ｅ）  オプションで、既存のＤＶＤプレーヤーで再生可能な短いビデオセグメントを作成する。
（２）  レシービングシステム
ＰＡＳＳレシービングシステムは少なくとも以下の機能を実現する：
（ａ）  ＰＡＳＳアセットファイルフォーマットを確認する。
（ｂ）  ＰＡＳＳデジタルアルバムを読み込んで正しく解釈する。
（ｃ）  再生コンポーネントまたはプリントコンポーネント（レシービングシステムは、この２つのコンポーネントのうち少なくとも片方を備えている必要がある）。
（３）  再生コンポーネント
レシービングシステムに含まれる再生コンポーネントは、以下の機能を有する。
（ａ）  アルバムマニフェストファイルおよびアセットリストマニフェストファイルに従ってＰＡＳＳデジタルアルバムを表示する。
（ｂ）  ＰＡＳＳディスクの複数のＰＡＳＳデジタルアルバムマニフェストファイルからあるアルバムを選択する。
（ｃ）  オプションで、日付および／またはキーワードで検索したＰＡＳＳアセットファイルを表示する。
（４）  画像を選択してプリントを注文するコンポーネント
このコンポーネントは以下の機能を有する。
（ａ）  プリントを注文するべく静止ＰＡＳＳアセットファイルを選択する。
【表４４】
2008530630.tif 000066
【表４５】
2008530630.tif 000067
【表４６】
2008530630.tif 000068
【表４７】
2008530630.tif 000069
【表４８】
2008530630.tif 000070
３．  ＰＡＳＳレシービング／再生／プリント選択システムの概要
ＰＡＳＳレシービング／再生／プリント選択システム（レシービングシステムまたはＲ／Ｐシステムと呼ぶ）は、ＰＡＳＳデジタルアルバムを読み込む家庭用デバイスを意味する。Ｒ／Ｐシステムは様々な形態で実現することができる。例えば、ショップ、パソコン、ＤＶＤプレーヤー等が挙げられる。
３．１  レシービングシステム
レシービングシステムはＰＡＳＳデジタルアルバムを読み込む。レシービングシステムの主要な役割は、メディアの書き込みがどのように行われたのか判断するべくＰＡＳＳインデックスマニフェストファイルを読み込むことである。Ｒ／Ｐは、当該メディア上のアセットおよび表示に関する情報が保存されたＰＡＳＳアルバムマニフェストファイルおよびＰＡＳＳアセットリストマニフェストファイルへのアクセスを有する。この情報は、再生コンポーネント、プリントコンポーネントによって利用されるか、またはコンテンツ・ストレージシステムとインターフェースするために利用される。レシービングシステムは以下の機能を担当する：
（ａ）  メディア上のＰＡＳＳアセットファイルを確認
（ｂ）  ＰＡＳＳインデックスマニフェストファイルの位置を特定して解釈
（ｃ）  ＰＡＳＳアルバムマニフェストファイルの位置を特定して解釈
（ｄ）  ＰＡＳＳアセットリストマニフェストファイルの位置を特定して解釈
３．２  再生コンポーネント
Ｒ／Ｐシステムの再生コンポーネントは、ＰＡＳＳデジタルアルバム表示を行うように設定されたシステムの必要仕様に対応する。ＤＶＤプレーヤーまたはＰＣ上のソフトウェアＤＶＤプレーヤーが含まれる。再生コンポーネントは以下の機能を担当する：
（ａ）  ＰＡＳＳデジタルアルバムの表示層を読み込んで再生（例えば、ＤＶＤ−ビデオ、ビデオ−ＣＤ等）
（ｂ）ＰＡＳＳデジタルアルバムマニフェストとビデオセグメントの再生順序を決定するべく優先順位を確認（オプション）
（ｃ）  ＰＡＳＳデジタルアルバムを選択して表示
（ｄ）  インデックスによって各アルバムのＰＡＳＳアセットファイルを表示
（ｅ）  スライドショーによって各アルバムのＰＡＳＳアセットファイルを表示
（ｆ）  ＰＡＳＳアセットファイルを個別に表示
（ｇ）  各ＰＡＳＳアセットファイルのメタデータを表示
（ｈ）  スライドショーを再生している間ＢＧＭを再生（オプション）
（ｉ）  オプション機能として、日付に基づいてＰＡＳＳアセットファイルを検索して表示
（ｊ）  オプション機能として、キーワードに基づいてＰＡＳＳアセットファイルを検索して表示
３．３  画像を選択してプリントを注文するコンポーネント
このコンポーネントの機能によりユーザは、静止ＰＡＳＳアセットファイルを選択してプリントの注文を出すことができる。
４．  ＰＡＳＳレシービングシステムの機能に関する必要仕様
４．１  受け入れ可能なＰＡＳＳデジタルアルバムかどうか確認
４．１．１．  メディアの種別を認識
ＰＡＳＳレシービングシステムは、挿入されたディスクのメディアタイプを認識し、挿入されたディスクを読み込むことができなければならない。受け入れ可能なメディアのタイプはＣＤ−ＲとＤＶＤ−Ｒである。
４．１．２．  ビデオセグメントが存在するかどうか確認（オプション）
再生コンポーネントを有するＰＡＳＳレシービングシステムは、ＰＡＳＳデジタルアルバムのＰＡＳＳマニフェストファイルを確認する前に、挿入されたＰＡＳＳデジタルアルバムにＤＶＤ−ビデオまたはビデオ−ＣＤといったビデオセグメントがあるかどうか確認することができるとしてもよい。この処理フローの一例をＦｉｇｕｒｅ７に示す。
４．１．３  ＰＡＳＳマニフェストファイルを確認
ＰＡＳＳレシービングシステムは、ＰＡＳＳデジタルアルバムのルート位置にある「ＰＡＳＳＩＤＸ．ＰＶＭ」であるＰＡＳＳインデックスマニフェストファイルを読み込んで解釈する必要がある。インデックスマニフェストファイルを見つけると、Ｒ／Ｐシステムはオリジネータ情報（＜ｐａｓｓ：ｏｒｉｇｉｎａｔｏｒ＞）および／またはＰＡＳＳバージョン情報（＜ｐａｓｓ：ｓｐｅｃｉｆｉｃａｔｉｏｎＶｅｒｓｉｏｎ＞）を確認する。
この情報に基づきＰＡＳＳレシービングシステムは、挿入されたＰＡＳＳデジタルアルバムがメディアで利用可能かどうか認定する。Ｒ／ＰシステムがＰＡＳＳデジタルアルバムが存在すると認識する場合、レシービングシステムは別の２種類のＰＡＳＳマニフェストファイルの解釈を試みる。その２種類のファイルとは、アルバムマニフェストファイルおよびアセットリストマニフェストファイルである。
この処理フローを以下のＦｉｇｕｒｅ７およびＦｉｇｕｒｅ８に例示する：
【表４９】
2008530630.tif 000071
【表５０】
2008530630.tif 000072
４．２  ＰＡＳＳマニフェストファイルを読み込んで解釈
ＰＡＳＳインデックスマニフェストファイル（１）「ＰＡＳＳＩＤＸ．ＰＶＭ」を見つけて特定すると、レシービングシステムは、ＰＡＳＳアルバムマニフェストファイル（２）への参照を有するＰＡＳＳＩＤＸ．ＰＶＭの処理を開始する。各ＰＡＳＳアルバムマニフェストファイルは、アセットロール（ＡＳＳＥＴ  ＲＯＬＬ）ディレクトリ（３Ａ）もしくは共有（ＳＨＡＲＥＤ）ディレクトリ（３Ｂ）のＰＡＳＳアセットリストマニフェストファイルへの参照を有する。ＰＡＳＳアセットリストマニフェストファイルは、オリジナルＰＡＳＳアセットファイル（４Ａ）またはその特定のアセットロールディレクトリの表示ディレクトリ（４Ｂ）からレンディションファイルを表示するために必要な情報を有する。
ＰＡＳＳマニフェストファイル間の処理順序および関係を以下のＦｉｇｕｒｅ９に示す。
【表５１】
2008530630.tif 000073
ＰＡＳＳレシービングシステムは、ＰＡＳＳディスクの論理的な仕様（ＬＤＳ）で定義された３種類のＰＡＳＳマニフェストファイル、つまりＰＡＳＳインデックスマニフェストファイル、ＰＡＳＳアルバムマニフェストファイルおよびＰＡＳＳアセットリストマニフェストファイルに記述されたメタデータを全て読み込んで解釈する。
ＰＡＳＳデジタルアルバムが有するＰＡＳＳインデックスマニフェストファイルはただ１つでなければならない。
これら３種類のマニフェストファイルの詳細に関しては、ＰＡＳＳディスクの論理的な仕様（ＬＤＳ）のセクション３．４．２を参照されたい。
５．  ＰＡＳＳ再生コンポーネントの機能に関する必要仕様
５．１  ＰＡＳＳコンテンツかビデオセグメントを選択して表示
ＰＡＳＳコンテンツ（ＰＡＳＳアセットファイルおよびＰＡＳＳマニフェストファイル）とＤＶＤ−ビデオやビデオ−ＣＤのようなビデオセグメントが共に存在する場合、ＰＡＳＳ再生コンポーネントは以下のいずれかを選択する。
（ａ）ＰＡＳＳコンテンツのみを表示する
（ｂ）ＰＡＳＳコンテンツをデフォルトで表示し、オプションでＰＡＳＳコンテンツかビデオセグメントのいずれを表示するかを選択する。
（ｃ）デフォルト設定なしで、ＰＡＳＳコンテンツまたはビデオセグメントのいずれを表示するか選択する機能を有する。
上述したように、ＰＡＳＳ再生コンポーネントは、オプション機能としてメニュー画面を提示することによって、メディアのＰＡＳＳコンテンツかビデオセグメントのうちどちらを表示するかを選択することができるとしてもよい。
【表５２】
2008530630.tif 000074
【表５３】
2008530630.tif 000075
５．１  ビデオセグメントを再生
再生コンポーネントは、挿入されたメディアにビデオコンテンツも存在するとＰＡＳＳレシービングシステムが認識した場合に、ＤＶＤ−ビデオやビデオ−ＣＤ等のビデオセグメントを再生するという機能をオプションで有するとしてもよい。
５．２  ＰＡＳＳアセットリストマニフェストファイルに従って、ロードするＰＡＳＳアセットファイルフォーマットを確認
再生コンポーネントは、アセットリストマニフェストファイルに挙げられているＰＡＳＳアセットファイルフォーマットをそれぞれ確認する。
認識され得るＰＡＳＳデジタルアルバムメディアが挿入された場合にＲ／Ｐシステムがデコードおよび表示しなければならないＰＡＳＳアセットファイルのフォーマットを以下に示す：
【表５４ａ】
2008530630.tif 000076
【表５４ｂ】
2008530630.tif 000077
５．３  ＰＡＳＳデジタルアルバム内のすべてのアルバムの画像を表示
５．３．１  アルバムリストを表示
再生コンポーネントは、ＰＡＳＳアルバムマニフェストファイルを解釈して、アルバムリスト領域に各「アルバムボタン」を表示する。この際、以下に示す情報を表示する。
【表５５】
2008530630.tif 000078
【表５６】
2008530630.tif 000079
５．３．２  アルバムを選択
再生コンポーネントは、ＰＡＳＳデジタルアルバムに基づいて表示されたアルバムリストの中からアルバムを選択する機能を有していなければならない。
５．３．３  インデックス表示によって各アルバムのＰＡＳＳアセットファイルを表示
再生コンポーネントは、インデックス表示にて、ＰＡＳＳデジタルアルバムの各アルバムのすべてのＰＡＳＳアセットファイルを表示しなければならない。
５．３．３．１  インデックス表示画面上にＰＡＳＳアセットファイルを表示
再生コンポーネントは、ＰＡＳＳアセットリストマニフェストファイルを読み込み、各ＰＡＳＳアセットファイルへのパスを認識する。
レンディションファイル利用  ＰＡＳＳアセットが静止画、音声付静止画、もしくはマルチショット静止画の場合、表示ディレクトリにおける表示用画像ファイル（オリジナル静止ＰＡＳＳアセットファイルのレンディション）またはオリジナルＰＡＳＳアセットファイルのＥｘｉｆサムネイルを用いてインデックス表示を実現する。
オリジナルファイル利用  ＰＡＳＳアセットが動画の場合、アセットロールディレクトリにおけるオリジナル・モーション・ファイルを用いてインデックス表示を実現する。
アイコンまたは記号利用  ＰＡＳＳアセットが動画、音声付静止画もしくはマルチショット静止画の場合、正しいアセット種別を示す何らかの情報（例えばテキストでの注釈、記号もしくはアイコン）が利用できる（オプション）。
配向  再生コンポーネントは、オリジナル静止アセットの配向情報を解釈して、レンディションファイル、Ｅｘｉｆサムネイルまたはオリジナルアセットを必要に応じて正しく表示する。
ＰＡＳＳアセットリストマニフェストファイルにオリジナルＰＡＳＳアセットファイルに関する何らかのメタデータが記述されているが、オリジナルＰＡＳＳアセットファイルがアセットロールディレクトリに存在しない場合、再生コンポーネントは、紛失したアセットへの参照はインデックス表示に含まない。
【表５７】
2008530630.tif 000080
【表５８ａ】
2008530630.tif 000081
【表５８ｂ】
2008530630.tif 000082
【表５９】
2008530630.tif 000083
５．３．４  スライドショーによって各アルバムのＰＡＳＳアセットファイルを表示
再生コンポーネントは、選択されたアルバムについてスライドショーの再生を開始するための機能ボタンを提供する。
５．３．４．１  スライドショー再生画面でＰＡＳＳアセットファイルを表示
再生コンポーネントは、インデックス表示画面（上記の例を参照のこと）に「スライドショー再生」ボタンを提示するとしてもよい。
スライドショーに関して、表示するアルバムやアセットの順序および選択はＰＡＳＳアルバムマニフェストファイルに従う。
時間間隔  提示される中にマルチショット静止アセットが含まれている場合、各アセット間の時間間隔はＰＡＳＳアルバムマニフェストファイルで定義される。
配向  各アセットの情報はＰＡＳＳアセットリストマニフェストファイルに記されている。アセットは、オリジナル、レンディションもしくはサムネイルのいずれの場合でも、アセットリストマニフェストファイルで定義された配向に従って提示される。
オリジナルＰＡＳＳアセットファイルに関するメタデータがＰＡＳＳアセットリストマニフェストファイルに記述されているがアセットロールディレクトリにオリジナルＰＡＳＳアセットファイルがない場合、再生コンポーネントはスライドショーを表示する場合にそのアセットは表示しない。
【表６０】
2008530630.tif 000084
５．３．４．２  スライドショーの再生
再生コンポーネントは、選択されたアルバムのＰＡＳＳアルバムマニフェストファイルを解釈して、ＰＡＳＳアセットファイル表示順序の情報に従ってスライドショーを再生する。その情報には、各ＰＡＳＳアセットファイルの再生時間、移行エフェクトおよびＢＧＭなどが含まれる。これらの属性の定義については、ＭＰＶ仕様書を参照されたい。
【表６１】
2008530630.tif 000085
【表６２ａ】
2008530630.tif 000086
【表６２ｂ】
2008530630.tif 000087
【表６３】
2008530630.tif 000088
５．３．５  アルバムから選択されたＰＡＳＳアセットファイルを１枚ずつ表示
再生コンポーネントは、選択されたＰＡＳＳアセットファイルを１枚ずつ順番に表示する機能を有する。
５．３．５．１  個別にＰＡＳＳアセットファイルを表示
インデックス表示画面でＰＡＳＳアセットファイルを選択することによってユーザは、個別表示モードを開始することができる。
ＰＡＳＳアセットファイルが動画の場合、モーションファイルの代表画像を表示する。または、アイコンもしくはテキストで提示するとしてもよい。
再生コンポーネントは、所望の配向でオリジナル、レンディションもしくはサムネイルを表示するべく、ＰＡＳＳアセットリストマニフェストファイルに記述された配向情報を解釈する。
【表６４ａ】
2008530630.tif 000089
【表６４ｂ】
2008530630.tif 000090
【表６５ａ】
2008530630.tif 000091
【表６５ｂ】
2008530630.tif 000092
【表６６ａ】
2008530630.tif 000093
【表６６ｂ】
2008530630.tif 000094
【表６７】
2008530630.tif 000095
【表６８】
2008530630.tif 000096
【表６９】
2008530630.tif 000097
５．３．６  各アセットのメタデータを表示
再生コンポーネントは、インデックス表示画面、スライドショー画面（再生中もしくは停止中）、アセット個別表示画面等において、メタデータを表示するとしてもよい。表示されるメタデータは、ＰＡＳＳデジタルアルバムのＰＡＳＳアセットリストマニフェストファイルに記述されている。
５．４  画像を検索して表示（オプション機能）
再生コンポーネントは、各ＰＡＳＳアセットファイルの撮像された日付、キーワードもしくは所望のレベルに基づいて検索されたＰＡＳＳアセットファイルを表示するとしてもよい。アセットの検索においてこれらの検索キーを組み合わせて使用するとしてもよい。
５．４．１  日付に基づいてＰＡＳＳアセットファイルを検索してインデックス表示画面に表示
再生コンポーネントは、日付情報に基づいてＰＡＳＳアセットファイルを分類し、表示する機能を有するとしてもよい。
再生コンポーネントは、ＰＡＳＳアセットリストマニフェストファイルを読み込んで、各ＰＡＳＳアセットファイルの日付情報を認識する。
日付情報の取得は、Ｅｘｉｆのオリジナルデータ作成日時（３６８６７）、ＰＡＳＳデジタルアルバム作成中の直接入力、もしくは移行時にアセットと共に複製されることによって実現するとしてもよい。
オプショナル表示機能を以下に示す。
年
月
週（例えば、８月第４週）
日（例えば２００４／０８／２５）
再生コンポーネントは、各アセットを選択して表示できるよう、インデックス表示画面にリストアップされている各アセットへのファイルパスを知っている必要がある。
【表７０】
2008530630.tif 000098
再生コンポーネントは、オリジナル静止ＰＡＳＳアセットの配向情報を解釈して、当該アセット用の正しい配向で代表インデックス（サムネイル等）を表示する。
配向情報はＰＡＳＳアセットリストにある。
【表７１ａ】
2008530630.tif 000099
【表７１ｂ】
2008530630.tif 000100
【表７２】
2008530630.tif 000101
アルバムリスト領域の各日付ボタンを選択することによって、ＰＡＳＳアセットリストマニフェストファイル内の日付情報またはＥｘｉｆオリジナルデータ作成日時（３６８６７）に従って、ＰＡＳＳアセットファイルをすべて表示することができる。
【表７３】
2008530630.tif 000102
【表７４】
2008530630.tif 000103
５．４．２  キーワードに基づいてＰＡＳＳアセットファイルを検索して表示（オプション）
再生コンポーネントは、ＰＡＳＳアセットファイルを検索するためのキーワード用のメタデータを認識するとしてもよい。
５．４．２．１  キーワードに基づいてＰＡＳＳアセットファイルを検索
ＰＡＳＳアセットファイルを検索するためのキーワードとして利用することができるメタデータを以下に示す：
【表７５ａ】
2008530630.tif 000104
【表７５ｂ】
2008530630.tif 000105
再生コンポーネントは、上述したキーワードの一部を入力する機能、もしくはキーワード辞書から上述したキーワードの一部を選択する機能を有することができる。
再生コンポーネントは、キーワードとなるメタデータをＰＡＳＳアセットリストマニフェストファイルのメタデータと比較して、基準を満たすアセットを検索する。
【表７６】
2008530630.tif 000106
アセットの表示  ＰＡＳＳアセットファイルが動画、音声付静止画、もしくはマルチショット静止画の場合、再生コンポーネントは、アセット種別を示す注釈や記号のアイコンなど代替情報を表示するとしてもよい。
配向  再生コンポーネントは、オリジナル静止ＰＡＳＳアセットの配向情報を解釈して、当該アセット用の正しい配向で代表インデックス（サムネイル等）を表示する。配向情報はＰＡＳＳアセットリストにある。
【表７７ａ】
2008530630.tif 000107
【表７７ｂ】
2008530630.tif 000108
【表７７ｃ】
2008530630.tif 000109
【表７８ａ】
2008530630.tif 000110
【表７８ｂ】
2008530630.tif 000111
【表７９】
2008530630.tif 000112
５．４．３  所望のレベルに応じてＰＡＳＳアセットファイルを表示（オプション）
再生コンポーネントは、ＰＡＳＳアセットリストマニフェストファイルに記述された所望のレベルに従ってＰＡＳＳアセットファイルを表示するとしてもよい。
再生コンポーネントは、選択された所望のレベルのＰＡＳＳアセットファイルを選択して表示することができる。
所望のレベルは、「１」から「５」の数字で記述され、「５」が最優先順位を示す（最も所望されている）。
【表８０】
2008530630.tif 000113
６．  画像を選択してプリントを注文するコンポーネントの機能に関する必要仕様
６．１  ＰＡＳＳデジタルアルバムのアルバムのＰＡＳＳアセットファイルを表示
画像を選択してプリントを注文するコンポーネントは、「ＰＡＳＳ再生コンポーネントの機能に関する必要仕様のセクション５．４．３」で説明された表示機能と同一の表示機能を有していなければならない。このような機能を有することで、当該コンポーネントは、プリントするファイルを選択する目的で、インデックス表示としてＰＡＳＳデジタルアルバムの各アルバムからのＰＡＳＳアセットファイルを表示することができる。
画像を選択してプリントを注文するコンポーネントはまた、「５．４．５  選択されたＰＡＳＳアセットファイルを個別に表示する」で説明された機能を有していなければならない。
６．２  ＰＡＳＳアセットファイルを検索して表示（オプション機能）
画像を選択してプリントを注文するコンポーネントは、「５．５．１  日付に基づいてアセットファイルを検索して表示する」で説明された機能と同一の機能を有するとしてもよい。
キーワードに基づいてプリント用に検索および表示を行うことも可能である。この機能の実施に関してはセクション５．５．２を参照されたい。
６．３  プリントするＰＡＳＳアセットファイルを選択してプリント枚数を入力
画像を選択してプリントを注文するコンポーネントは、プリントするＰＡＳＳアセットファイルを選択して、選択された静止ＰＡＳＳアセットファイルについてプリント枚数を入力する機能を提供する。
【表８１】
2008530630.tif 000114
【表８２】
2008530630.tif 000115
【表８３】
2008530630.tif 000116
６．４  高解像度アセットと選択方法を対応付ける
プリントコンポーネントは、プリントするよう選択されたＰＡＳＳアセットに対してＰＡＳＳアセットリストマニフェストファイルの適切な高解像度ファイルを対応付ける必要がある。ＰＡＳＳデジタルアルバムのファイルの記憶位置を示すファイル構造を以下に示す。
【表８４】
2008530630.tif 000117
【図１】
2008530630.tif 000118
【図２】
2008530630.tif 000119
【図３】
2008530630.tif 000120
【図４】
2008530630.tif 000121
【図５】
2008530630.tif 000122
【図６】
2008530630.tif 000123
【図７】
2008530630.tif 000124
【図８】
2008530630.tif 000125
【図９】
2008530630.tif 000126
【手続補正書】
【提出日】平成19年11月8日(2007.11.8)
【手続補正１】
【補正対象書類名】特許請求の範囲
【補正対象項目名】全文
【補正方法】変更
【補正の内容】
【特許請求の範囲】
【請求項１】
一以上の入力媒体に記録された複数のデジタルアセットを、記録媒体に記録するデジタルアセット記録装置であって、
前記複数のデジタルアセットを格納するアセットロールディレクトリを、前記入力媒体のそれぞれに関連付けられたディレクトリを作成し、前記デジタルアセット記録装置毎に固有のコードより作成され、同一のディレクトリ名が生成されることのない、前記アセットロールディレクトリのディレクトリ名を決定するアセットロールディレクトリ作成部と、
前記複数のデジタルアセットのそれぞれへのパスを格納するアセットマニフェストファイルを生成するアセットマニフェスト生成部と、
前記複数のデジタルアセット、及び前記アセットマニフェストファイルを、前記アセットロールディレクトリに格納するべく、前記記録媒体に記録するアセット記録部と、
記録される前記アセットマニフェストファイルへのパスを格納するインデックスマニフェストファイルを生成するインデックス生成部と、
生成された前記インデックスマニフェストファイルを、前記記録媒体毎に異なることのない、予め定められたパスに記録するインデックス記録部と、
前記複数のデジタルアセットの解像度を下げることで複数の表示用画像を生成する表示用画像生成部と、
前記複数の表示用画像を格納する表示用画像ディレクトリを、前記アセットロールディレクトリの下位に作成する、表示用画像ディレクトリ作成部と、
前記複数の表示用画像を、前記表示用画像ディレクトリに格納するべく、前記記録媒体に記録する表示用画像記録部と
を備えるデジタルアセット記録装置。
【請求項２】
前記デジタルアセットを前記アセットロールディレクトリに記録する場合に、前記デジタルアセットのファイル名の先頭文字を固定文字にするとともに、前記デジタルアセット記録装置毎に固有のコードより作成され、同一のファイル名が生成されることのないファイル名を決定する請求項１に記載のデジタルアセット記録装置。
【請求項３】
前記アセットロールディレクトリ作成部は、更に、前記アセットロールディレクトリを生成する日時情報に基づいて、前記日時情報毎に異なる、前記アセットロールディレクトリのディレクトリ名を決定する請求項１に記載のデジタルアセット記録装置。
【請求項４】
前記アセットマニフェスト生成部は、記録される前記複数の表示用画像のそれぞれへのパスを格納する前記アセットマニフェストファイルを生成する請求項２に記載のデジタルアセット記録装置。
【請求項５】
前記表示用画像生成部は、前記複数の表示用画像のそれぞれについて、当該表示用画像を生成する場合に用いた前記デジタルアセットのファイル名を、逆変換可能な予め定められた規則で変換することにより、当該表示用画像のファイル名を生成する請求項３に記載のデジタルアセット記録装置。
【請求項６】
前記表示用画像生成部は、当該表示用画像を生成する場合に用いた前記デジタルアセットのファイル名の、先頭の予め定められた長さの文字列を、他の文字列に変更することにより、当該表示用画像のファイル名を生成する請求項５に記載のデジタルアセット記録装置。
【請求項７】
デジタルアセット記録装置を用いることにより、一以上の入力媒体に記録された複数のデジタルアセットを、記録媒体に記録する画像記録方法であって、
前記複数のデジタルアセットを格納するアセットロールディレクトリを、前記入力媒体のそれぞれに関連付けられたディレクトリを作成し、前記デジタルアセット記録装置毎に固有のコードより作成され、同一のディレクトリ名が生成されることのない、前記アセットロールディレクトリのディレクトリ名を決定するアセットロールディレクトリ作成段階と、
前記複数のデジタルアセットのそれぞれへのパスを格納するアセットマニフェストファイルを生成するアセットマニフェスト生成段階と、
前記複数のデジタルアセット、及び前記アセットマニフェストファイルを、前記アセットロールディレクトリに格納するべく、前記記録媒体に記録するアセット記録段階と、
記録される前記アセットマニフェストファイルへのパスを格納するインデックスマニフェストファイルを生成するインデックス生成段階と、
生成された前記インデックスマニフェストファイルを、前記記録媒体毎に異なることのない、予め定められたパスに記録するインデックス記録段階と、
前記複数のデジタルアセットの解像度を下げることで複数の表示用画像を生成する表示用画像生成段階と、
前記複数の表示用画像を格納する表示用画像ディレクトリを、前記アセットロールディレクトリの下位に作成する、表示用画像ディレクトリ作成段階と、
前記複数の表示用画像を、前記表示用画像ディレクトリに格納するべく、前記記録媒体に記録する表示用画像記録段階と
を備える画像記録方法。
【請求項８】
前記デジタルアセットを前記アセットロールディレクトリに記録する場合に、前記デジタルアセットのファイル名の先頭文字を固定文字にするとともに、前記デジタルアセット記録装置毎に固有のコードより作成され、同一のファイル名が生成されることのないファイル名を決定する請求項７に記載の画像記録方法。
【請求項９】
前記アセットロールディレクトリ作成段階は、更に、前記アセットロールディレクトリを生成する日時情報に基づいて、前記日時情報毎に異なる、前記アセットロールディレクトリのディレクトリ名を決定する請求項７に記載の画像記録方法。
【請求項１０】
前記アセットマニフェスト生成段階は、記録される前記複数の表示用画像のそれぞれへのパスを格納する前記アセットマニフェストファイルを生成する請求項９に記載の画像記録方法。
【請求項１１】
前記表示用画像生成段階は、前記複数の表示用画像のそれぞれについて、当該表示用画像を生成する場合に用いた前記デジタルアセットのファイル名を、逆変換可能な予め定められた規則で変換することにより、当該表示用画像のファイル名を生成する請求項１０に記載の画像記録方法。
【請求項１２】
前記表示用画像生成段階は、当該表示用画像を生成する場合に用いた前記デジタルアセットのファイル名の、先頭の予め定められた長さの文字列を、他の文字列に変更することにより、当該表示用画像のファイル名を生成する請求項１１に記載の画像記録方法。
【請求項１３】
撮像された複数のデジタルアセットが記録されている記録媒体であって、
前記複数のデジタルアセットと、
前記複数のデジタルアセットのそれぞれへのパスを格納しているアセットマニフェストファイルと、
前記記録媒体に前記複数のデジタルアセットを記録するデジタルアセット記録装置毎に固有のコードより作成され、同一のディレクトリ名が生成されることのないディレクトリ名を有し、前記複数のデジタルアセット及び前記アセットマニフェストファイルを格納しているアセットロールディレクトリと、
前記アセットマニフェストファイルへのパスを格納しているインデックスマニフェストファイルと、
前記複数のデジタルアセットの解像度を下げることで生成される複数の表示用画像と、
前記複数の表示用画像を前記アセットロールディレクトリの下位に格納する表示用画像ディレクトリと
を備え、
前記インデックスマニフェストファイルは、当該記録媒体毎に異なることのない、予め定められたパスに配置されており、
前記アセットロールディレクトリは、複数の当該記録媒体のそれぞれが備える前記アセットロールディレクトリのそれぞれを識別可能なディレクトリ名を有する記録媒体。
【請求項１４】
前記デジタルアセットのファイル名は、先頭文字が固定文字にされるとともに、前記デジタルアセット記録装置毎に固有のコードより作成され、同一のファイル名が生成されることのないファイル名である請求項１３に記載の記録媒体。
【請求項１５】
前記アセットロールディレクトリは、生成された日時情報に基づいて、前記日時情報毎に異なるディレクトリ名を有する請求項１３に記載の記録媒体。
【請求項１６】
前記アセットマニフェストファイルは、前記複数の表示用画像のそれぞれへのパスを格納する請求項１５に記載の記録媒体。
【請求項１７】
前記複数の表示用画像のそれぞれは、当該表示用画像を生成する場合に用いられた前記デジタルアセットのファイル名が、逆変換可能な予め定められた規則で変換されたファイル名を有する請求項１６に記載の記録媒体。
【請求項１８】
前記複数の表示用画像のそれぞれは、前記デジタルアセットのファイル名の、先頭の予め定められた数の文字列が、他の文字列に変更されたファイル名を有する請求項１７に記載の記録媒体。
【手続補正書】
【提出日】平成20年5月16日(2008.5.16)
【手続補正１】
【補正対象書類名】特許請求の範囲
【補正対象項目名】全文
【補正方法】変更
【補正の内容】
【特許請求の範囲】
【請求項１】
複数のデジタルアセットを記録媒体に記録するデジタルアセット記録装置であって、
前記複数のデジタルアセットを格納するアセットロールディレクトリを作成し、同一のディレクトリ名が生成されることのない前記アセットロールディレクトリのディレクトリ名を、前記デジタルアセット記録装置を識別可能な装置識別子に基づいて前記装置識別子毎に異なるように決定し、さらに前記アセットロールディレクトリを生成する日時に基づいて前記日時毎に異なるように決定するアセットロールディレクトリ作成部と、
前記複数のデジタルアセットのそれぞれへのパス、前記複数のデジタルアセットのそれぞれを識別する画像識別子、および前記複数のデジタルアセットのそれぞれに対応する複数の表示用画像のそれぞれへのパスを格納するアセットマニフェストファイルを生成するアセットマニフェスト生成部と、
前記複数のデジタルアセットおよび前記アセットマニフェストファイルを、前記アセットロールディレクトリに格納するべく、前記記録媒体に記録するアセット記録部と、
アルバムマニフェストファイルを格納するアルバムディレクトリを、前記アセットロールディレクトリの下位でない位置に作成するアルバムディレクトリ作成部と、
前記複数のデジタルアセットが表示される場合の表示順序、および前記表示順序に従って表示すべき前記デジタルアセットの前記画像識別子を格納する前記アルバムマニフェストファイルを生成するアルバムマニフェスト生成部と、
前記アルバムマニフェストファイルを、前記アルバムディレクトリ作成部によって作成された前記アルバムディレクトリに格納すべく、前記記録媒体に記録するアルバムマニフェスト記録部と、
前記アセット記録部によって前記記録媒体に記録される前記アセットマニフェストファイルへのパス、および前記アルバムマニフェスト記録部によって前記記録媒体に記録される前記アルバムマニフェストファイルへのパスを格納するインデックスマニフェストファイルを生成するインデックス生成部と、
前記インデックス生成部によって生成された前記インデックスマニフェストファイルを、前記記録媒体毎に異なることのない予め定められたパスに記録するインデックス記録部と、
前記複数のデジタルアセットの解像度を下げることで前記複数の表示用画像を生成する表示用画像生成部と、
前記表示用画像生成部によって生成された前記複数の表示用画像を格納する表示用画像ディレクトリを、前記アセットロールディレクトリの下位に作成する表示用画像ディレクトリ作成部と、
前記表示用画像生成部によって生成された前記複数の表示用画像を、前記表示用画像ディレクトリに格納するべく、前記記録媒体に記録する表示用画像記録部と
を備えるデジタルアセット記録装置。
【請求項２】
前記デジタルアセットを前記アセットロールディレクトリに記録する場合に、前記デジタルアセットのファイル名の先頭文字を固定文字にするとともに、前記デジタルアセット記録装置毎に固有のコードより作成され、同一のファイル名が生成されることのないファイル名を決定する請求項１に記載のデジタルアセット記録装置。
【請求項３】
前記表示用画像生成部は、前記表示用画像を生成する場合に用いた前記デジタルアセットのファイル名を、逆変換可能な予め定められた規則で変換することにより、当該表示用画像のファイル名を生成する請求項１または２に記載のデジタルアセット記録装置。
【請求項４】
前記表示用画像生成部は、前記表示用画像を生成する場合に用いた前記デジタルアセットのファイル名の、先頭の予め定められた長さの文字列を、他の文字列に変更することにより、当該表示用画像のファイル名を生成する請求項３に記載のデジタルアセット記録装置。
【請求項５】
デジタルアセット記録装置を用いることにより、複数のデジタルアセットを記録媒体に記録する画像記録方法であって、
前記複数のデジタルアセットを格納するアセットロールディレクトリを作成し、同一のディレクトリ名が生成されることのない前記アセットロールディレクトリのディレクトリ名を、前記デジタルアセット記録装置を識別可能な装置識別子に基づいて前記装置識別子毎に異なるように決定し、さらに前記アセットロールディレクトリを生成する日時に基づいて前記日時毎に異なるように決定するアセットロールディレクトリ作成段階と、
前記複数のデジタルアセットのそれぞれへのパス、前記複数のデジタルアセットのそれぞれを識別する画像識別子、および前記複数のデジタルアセットのそれぞれに対応する複数の表示用画像のそれぞれへのパスを格納するアセットマニフェストファイルを生成するアセットマニフェスト生成段階と、
前記複数のデジタルアセットおよび前記アセットマニフェストファイルを、前記アセットロールディレクトリに格納するべく、前記記録媒体に記録するアセット記録段階と、
アルバムマニフェストファイルを格納するアルバムディレクトリを、前記アセットロールディレクトリの下位でない位置に作成するアルバムディレクトリ作成段階と、
前記複数のデジタルアセットが表示される場合の表示順序、および前記表示順序に従って表示すべき前記デジタルアセットの前記画像識別子を格納する前記アルバムマニフェストファイルを生成するアルバムマニフェスト生成段階と、
前記アルバムマニフェストファイルを、前記アルバムディレクトリ作成段階において作成された前記アルバムディレクトリに格納すべく、前記記録媒体に記録するアルバムマニフェスト記録段階と、
前記アセット記録段階において前記記録媒体に記録される前記アセットマニフェストファイルへのパス、および前記アルバムマニフェスト記録段階において前記記録媒体に記録される前記アルバムマニフェストファイルへのパスを格納するインデックスマニフェストファイルを生成するインデックス生成段階と、
前記インデックス生成段階において生成された前記インデックスマニフェストファイルを、前記記録媒体毎に異なることのない予め定められたパスに記録するインデックス記録段階と、
前記複数のデジタルアセットの解像度を下げることで前記複数の表示用画像を生成する表示用画像生成段階と、
前記表示用画像生成段階において生成された前記複数の表示用画像を格納する表示用画像ディレクトリを、前記アセットロールディレクトリの下位に作成する表示用画像ディレクトリ作成段階と、
前記表示用画像生成段階において生成された前記複数の表示用画像を、前記表示用画像ディレクトリに格納するべく、前記記録媒体に記録する表示用画像記録段階と
を備える画像記録方法。
【請求項６】
前記デジタルアセットを前記アセットロールディレクトリに記録する場合に、前記デジタルアセットのファイル名の先頭文字を固定文字にするとともに、前記デジタルアセット記録装置毎に固有のコードより作成され、同一のファイル名が生成されることのないファイル名を決定する請求項５に記載の画像記録方法。
【請求項７】
前記表示用画像生成段階は、前記表示用画像を生成する場合に用いた前記デジタルアセットのファイル名を、逆変換可能な予め定められた規則で変換することにより、当該表示用画像のファイル名を生成する請求項５または６に記載の画像記録方法。
【請求項８】
前記表示用画像生成段階は、前記表示用画像を生成する場合に用いた前記デジタルアセットのファイル名の、先頭の予め定められた長さの文字列を、他の文字列に変更することにより、当該表示用画像のファイル名を生成する請求項７に記載の画像記録方法。
【請求項９】
複数のデジタルアセットが記録されている記録媒体であって、
前記複数のデジタルアセットと、
前記複数のデジタルアセットのそれぞれへのパス、前記複数のデジタルアセットのそれぞれを識別する画像識別子、および前記複数のデジタルアセットのそれぞれに対応する複数の表示用画像のそれぞれへのパスを格納しているアセットマニフェストファイルと、
前記記録媒体に前記複数のデジタルアセットを記録するデジタルアセット記録装置を識別可能な装置識別子に基づいて前記装置識別子毎に異なるように決定され、さらにアセットロールディレクトリを生成する日時に基づいて前記日時毎に異なるように決定され、同一のディレクトリ名が生成されることのないディレクトリ名を有し、前記複数のデジタルアセットおよび前記アセットマニフェストファイルを格納しているアセットロールディレクトリと、
前記複数のデジタルアセットが表示される場合の表示順序、および前記表示順序に従って表示すべき前記デジタルアセットの前記画像識別子を格納するアルバムマニフェストファイルと、
前記アセットロールディレクトリの下位でない位置に配置されており、前記アルバムマニフェストファイルを格納しているアルバムディレクトリと、
前記記録媒体毎に異なることのない予め定められたパスに配置されており、前記アセットマニフェストファイルへのパス、および前記アルバムマニフェストファイルへのパスを格納しているインデックスマニフェストファイルと、
前記複数のデジタルアセットの解像度を下げることで生成される複数の表示用画像と、
前記アセットロールディレクトリの下位に配置されており、前記複数の表示用画像を格納している表示用画像ディレクトリと
を備える記録媒体。
【請求項１０】
前記デジタルアセットのファイル名は、先頭文字が固定文字にされるとともに、前記デジタルアセット記録装置毎に固有のコードより作成され、同一のファイル名が生成されることのないファイル名である請求項９に記載の記録媒体。
【請求項１１】
前記複数の表示用画像のそれぞれは、前記表示用画像を生成する場合に用いられた前記デジタルアセットのファイル名が、逆変換可能な予め定められた規則で変換されたファイル名を有する請求項９または１０に記載の記録媒体。
【請求項１２】
前記複数の表示用画像のそれぞれは、前記デジタルアセットのファイル名の、先頭の予め定められた数の文字列が、他の文字列に変更されたファイル名を有する請求項１１に記載の記録媒体。
【国際調査報告】
2008530630.tif 000127
2008530630.tif 000128
2008530630.tif 000129